(57)【要約】【課題】フリークエンシーコントロールではなく、クリックコントロールが可能な広告配信システムなどを提供する。【解決手段】広告コンテンツを表示可能なＷｅｂページ（アフィリエイターサイト）を送信するＷｅｂサーバ４０と、Ｗｅｂサーバ４０からＷｅｂページ（アフィリエイターサイト）を受信する携帯電話６０と、がインターネット８０を介して接続されたクリック保証型の広告配信システムＡ。広告ＩＤ（ａｄ＿ｉｄ）と固体識別番号（ｔ＿ｉｄ）とが対応付可能に記憶され、固体識別番号（ｔ＿ｉｄ）を受信した場合に、この受信した固体識別番号（ｔ＿ｉｄ）と記憶されている固体識別番号（ｔ＿ｉｄ）および広告ＩＤ（ａｄ＿ｉｄ）とに基づいてクリックコントロール値（ｃｃ＿ｖａｌｕｅ）を生成し、生成されたクリックコントロール値（ｃｃ＿ｖａｌｕｅ）をＷｅｂページ（アフィリエイターサイト）に記述する。【選択図】図１
2009099075.tif 000002
【特許請求の範囲】
【請求項１】
広告コンテンツを表示可能なＷｅｂページを送信する媒体送信装置と、前記媒体送信装置からＷｅｂページを受信するクライアント装置と、がネットワークを介して接続されたクリック保証型の広告配信システムにおいて、
前記広告コンテンツを識別できる広告コンテンツ識別可能値と前記広告コンテンツがクリックされたクライアント装置を識別できるクライアント装置識別可能値とが対応付可能に記憶された記憶手段、および前記クライアント装置識別可能値を受信した場合に、この受信したクライアント装置識別可能値と前記記憶手段に記憶されているクライアント装置識別可能値および広告コンテンツ識別可能値とに基づいてクリックコントロール値を生成するクリックコントロール値生成手段を具備するクリックコントロール装置と、
前記クリックコントロール装置で生成されたクリックコントロール値をＷｅｂページに記述する媒体記述装置と、
を備えたことを特徴とする広告配信システム。
【請求項２】
ユニーククリック保証型であることを特徴とする請求項１に記載の広告配信システム。
【請求項３】
Ｗｅｂページに表示可能な広告コンテンツを識別できる広告コンテンツ識別可能値と、前記広告コンテンツがクリックされたクライアント装置を識別できるクライアント装置識別可能値と、が対応付可能に記憶された記憶手段と、
前記クライアント装置識別可能値を受信した場合に、この受信したクライアント装置識別可能値と前記記憶手段に記憶されているクライアント装置識別可能値および広告コンテンツ識別可能値とに基づいてクリックコントロール値を生成するクリックコントロール値生成手段と、
を具備したことを特徴とするクリックコントロール装置。
【請求項４】
ユニーククリック保証型の広告配信システムに備えられたことを特徴とする請求項３に記載のクリックコントロール装置。
【発明の詳細な説明】
【技術分野】
【０００１】
本発明は、広告配信システムに関し、特に、クリック保証型の広告配信システムに関する。
【背景技術】
【０００２】
従来、同じバナー広告を何度も見ることによってユーザがその広告をクリックする率は確実に低下していくとの考え方に基づき、１人のユーザに対する同一広告の掲出頻度（いわゆる「フリークエンシー」）の上限を設定してリーチ（広告が配信されたユニークユーザの数）の拡大を図るという広告配信システムが提案された。
この広告配信システムは、バナー広告配信数に基づいて課金される露出型の広告配信システムであり、これによると、広告主は、同じ広告予算内でより多くのユーザに向けた広告配信が可能とされる（特許文献１、非特許文献１、非特許文献２参照）。
【特許文献１】米国特許第５９４８０６１号明細書
【非特許文献１】″日本市場にリーチ型商品をいち早く導入より効果的な広告配信を可能に″、［ｏｎｌｉｎｅ］、１９９９年１０月５日、ダブルクリック株式会社、［平成１９年８月１４日検索］、インターネット＜ＵＲＬ：ｈｔｔｐ：／／ｗｗｗ．ｄｏｕｂｌｅｃｌｉｃｋ．ｎｅ．ｊｐ／ｃｏｍｐａｎｙ／ｐｒｅｓｓ／１９９９／１９９９１００５．ｈｔｍｌ＞
【非特許文献２】″ダブルクリックの広告配信ネットワークにおけるユニークユーザー数が月間一千万人を突破″、［ｏｎｌｉｎｅ］、２００１年２月１日、ダブルクリック株式会社、［平成１９年８月１４日検索］、インターネット＜ＵＲＬ：ｈｔｔｐ：／／ｗｗｗ．ｄｏｕｂｌｅｃｌｉｃｋ．ｎｅ．ｊｐ／ｃｏｍｐａｎｙ／ｐｒｅｓｓ／２００１／２００１０２０１．ｈｔｍｌ＞
【発明の開示】
【発明が解決しようとする課題】
【０００３】
しかしながら、近年は、「広告配信数」に基づいて課金がなされる上記露出型の広告配信システムよりも、「クリック数」に基づいて課金がなされるクリック保証型の広告配信システムの方が広く実施されている。
したがって、今後は、１人のユーザに対する同一広告の「掲出頻度（フリークエンシー）」ではなく、１人のユーザの同一広告に対する「クリック」の方をコントロールしていく必要がある。
そこで、本発明は、フリークエンシーコントロールではなく、クリックコントロールが可能な広告配信システムおよびクリックコントロール装置を提供することを目的とする。
【課題を解決するための手段】
【０００４】
本発明によれば、上記課題は、次の手段により解決される。
【０００５】
［広告配信システム］
本発明は、広告コンテンツを表示可能なＷｅｂページを送信する媒体送信装置と、前記媒体送信装置からＷｅｂページを受信するクライアント装置と、がネットワークを介して接続されたクリック保証型の広告配信システムにおいて、前記広告コンテンツを識別できる広告コンテンツ識別可能値と前記広告コンテンツがクリックされたクライアント装置を識別できるクライアント装置識別可能値とが対応付可能に記憶された記憶手段、および前記クライアント装置識別可能値を受信した場合に、この受信したクライアント装置識別可能値と前記記憶手段に記憶されているクライアント装置識別可能値および広告コンテンツ識別可能値とに基づいてクリックコントロール値を生成するクリックコントロール値生成手段を具備するクリックコントロール装置と、前記クリックコントロール装置で生成されたクリックコントロール値をＷｅｂページに記述する媒体記述装置と、を備えたことを特徴とする広告配信システムである。
【０００６】
［クリックコントロール装置］
また、本発明は、Ｗｅｂページに表示可能な広告コンテンツを識別できる広告コンテンツ識別可能値と、前記広告コンテンツがクリックされたクライアント装置を識別できるクライアント装置識別可能値と、が対応付可能に記憶された記憶手段と、前記クライアント装置識別可能値を受信した場合に、この受信したクライアント装置識別可能値と前記記憶手段に記憶されているクライアント装置識別可能値および広告コンテンツ識別可能値とに基づいてクリックコントロール値を生成するクリックコントロール値生成手段と、を具備したことを特徴とするクリックコントロール装置である。
【０００７】
上記した従来の「フリークエンシーコントロール」によると、１人のユーザに対する同一広告の「掲出頻度（フリークエンシー）」の上限が設定される。
このため、掲出頻度（フリークエンシー）が低く設定された場合には、これまでに１度もクリックしていなかったが、あと１回掲出していればクリックしたであろうユーザによるクリックが失われる（「価値あるクリックの喪失」）。
他方で、掲出頻度（フリークエンシー）が高く設定された場合には、これまでに１度クリックしたことがあるが、あと１回掲出していなければ２度目のクリックはしなかったであろうユーザによるクリックが生じる（「価値なきクリックの混入」）。
【０００８】
しかしながら、本発明によれば、クリック保証型の広告配信システムにおいて、クリックコントロール値が生成され提供される。このクリックコントロール値は、特定の広告コンテンツが特定のクライアント装置においていままでに「クリック」されているか否かに応じた値であり、このクリックコントロール値を用いれば、特定のクライアント装置による特定の広告コンテンツに対する「クリック」をコントロール（クリックコントロール）することが可能となる。このため、本発明によれば、特定の広告コンテンツが特定のクライアント装置においていままでに「クリック」されているか否かに応じて、特定の広告コンテンツにつき、特定のクライアント装置に対して、クリック機会を付与したり付与しなかったり、また、クリック意欲を高めたり低めたりすることが可能となる。
よって、本発明によれば、上記従来の「フリークエンシーコントロール」とは異なり、「価値あるクリックの獲得」を図ることができる一方で、「価値なきクリックの排除」を図ることができる。
【０００９】
上記した本発明に係る広告配信システムは、特に、ユニーククリック保証型であることが望ましく、また、上記した本発明に係るクリックコントロール装置は、特に、ユニーククリック保証型の広告配信システムに備えられることが望ましい。
ユニーククリックとは、特定の広告コンテンツをこれまで１度もクリックしたことがないクライアント装置において、その特定の広告コンテンツがクリックされることをいう。このユニーククリックに基づいて課金されるユニーククリック保証型の広告配信システムにおいては、これまでに１度もクリックしていなかったが、あと１回掲出していればクリックしたであろうユーザによるクリックに大きな価値が認められる一方で、これまでに１度クリックしたことがあるが、あと１回掲出していなければ２度目のクリックはしなかったであろうユーザによるクリックにはまったく価値が認められない。
これを本発明についてみると、本発明によれば、上記した「クリックコントロール」によって、これまでに１度もクリックしていなかったが、あと１回掲出していればクリックしたであろうユーザに対して、クリック機会を付与したりクリック意欲を高めたりする処理を行うことができる。他方で、これまでに１度クリックしたことがあるが、あと１回掲出していなければ２度目のクリックはしなかったであろうユーザに対して、クリック機会を付与しなかったりクリック意欲を低めたりする処理を行うことができる。
したがって、本発明は、クリック保証型の広告配信システムのなかでも、「価値あるクリックの獲得」と「価値なきクリックの排除」の要請が強いユニーククリック保証型の広告配信システムに適用することが、特に望ましい。
【００１０】
なお、本発明における「クリック」は、広告コンテンツが選択処理されるすべての形態を意味し、広告コンテンツとマウスのカーソルとが重ねられた際にマウスの左ボタンが押されるという形態に限られない。
【発明の効果】
【００１１】
本発明によれば、フリークエンシーコントロールではなく、クリックコントロールが可能な広告配信システムおよびクリックコントロール装置を提供することができる。
【発明を実施するための最良の形態】
【００１２】
本発明の実施形態に係るクリック保証型の広告配信システムについて説明する。
本発明の実施形態に係るクリック保証型の広告配信システムは、クリックコントロール装置と媒体記述装置とを備えている。以下では、まず、クリック保証型の広告配信システムの概要について説明し、次いで、クリックコントロール装置と媒体記述装置とについて説明する。
【００１３】
［クリック保証型の広告配信システムの概要］
クリック保証型の広告配信システムにおいては、次の（１）〜（４）の装置がネットワークを介して接続される。
【００１４】
（１）媒体送信装置
媒体送信装置は、広告コンテンツを記述可能なＷｅｂページ（アフィリエイターサイトやポイントサイトなど）を送信する装置である。広告コンテンツは、広告主の商品・サービスなどを広告するデータである。
【００１５】
（２）クライアント装置
クライアント装置は、媒体送信装置からＷｅｂページ（アフィリエイターサイトやポイントサイトなど）を受信する装置である。
【００１６】
（３）広告主装置
広告主装置は、広告主のＷｅｂページ（広告主サイト）が記憶された装置である。広告主のＷｅｂページ（広告主サイト）には、広告主の商品・サービスなどを示すデータが記述されている。
【００１７】
（４）費用報酬管理装置
費用報酬管理装置は、クライアント装置上で広告コンテンツがクリックされた場合における広告費や報酬（例えば、アフィリエイトシステムにおける報酬やポイントシステムにおけるポイントなど。）を管理する装置である。
【００１８】
このクリック保証型の広告配信システムは、次のように動作する。
【００１９】
まず、広告コンテンツを記述されたＷｅｂページ（または広告コンテンツを記述可能なＷｅｂページ）が、媒体送信装置からクライアント装置に対して送信され、クライアント装置上で閲覧される。
【００２０】
クライアント装置上でＷｅｂページ中の広告コンテンツがクリックされると、クライアント装置が広告主装置へリダイレクトされ、商品・サービス（広告コンテンツにより広告されていたもの。）を示すデータが記述された広告主のＷｅｂページ（広告主サイト）がクライアント装置上で閲覧される。
【００２１】
上記クリックが所定の条件を満たしている場合は、費用報酬管理装置において、広告主に対して広告費を課金する処理、およびＷｅｂページ（アフィリエイターサイトなど）の運営者や広告コンテンツの閲覧者などに報酬を支払う処理が行なわれる。
【００２２】
［クリックコントロール装置、媒体記述装置］
次に、クリックコントロール装置と媒体記述装置とについて説明する。本発明の実施形態は、上記したクリック保証型の広告配信システムにおいて、次の（５）クリックコントロール装置と（６）媒体記述装置とを備える広告配信システムである。
【００２３】
（５）クリックコントロール装置
クリックコントロール装置は、（ａ）記憶手段、（ｂ）クリックコントロール値生成手段、（ｃ）クリック判定手段、および（ｄ）リダイレクト手段を具備する装置である。
（ａ）記憶手段
記憶手段は、広告コンテンツを識別できる広告コンテンツ識別可能値と広告コンテンツがクリックされたクライアント装置を識別できるクライアント装置識別可能値とが対応付可能に記憶された手段である。
（ｂ）クリックコントロール値生成手段
クリックコントロール値生成手段は、クライアント装置識別可能値を受信した場合に、この受信したクライアント装置識別可能値と記憶手段に記憶されているクライアント装置識別可能値および広告コンテンツ識別可能値とに基づいてクリックコントロール値を生成する手段である。
（ｃ）クリック判定手段
クリック判定手段は、クライアント装置によって広告コンテンツ（クライアント装置が閲覧するＷｅｂページに記述されている。）がクリックされた場合に、このクリックが所定の条件を満たしているか否かを判定する手段である。
（ｄ）リダイレクト手段
リダイレクト手段は、クライアント装置を広告主装置へリダイレクトさせる手段である。
【００２４】
（６）媒体記述装置
媒体記述装置は、クリックコントロール装置で生成されたクリックコントロール値を、媒体送信装置から送信されるＷｅｂページ（アフィリエイターサイトやポイントサイトなど）、または媒体送信装置から送信されたＷｅｂページ（アフィリエイターサイトやポイントサイトなど）に記述する装置である。
【００２５】
本発明の実施形態は、上記したクリック保証型の広告配信システムにおいて、上記したクリックコントロール装置と媒体記述装置とを備えることにより、媒体送信装置から送信されるＷｅｂページ（または媒体送信装置から送信されたＷｅｂページ）にクリックコントロール値が記述されるようにしたものである。
【００２６】
クリックコントロール値は、特定の広告コンテンツが特定のクライアント装置においていままでに「クリック」されているか否かに応じた値として構成され、特定のクライアント装置に対して、特定の広告コンテンツがいままでに「クリック」されているか否かに応じた処理を可能とするものである。
【００２７】
本発明の実施形態は、このクリックコントロール値を用いて、特定のクライアント装置に対し、特定の広告コンテンツについてのクリック機会を付与したり付与しなかったり、また、特定の広告コンテンツについてのクリック意欲を高めたり低めたりする。
【００２８】
このようにして、本発明の実施形態は、クリック保証型の広告配信システムにおいて、特定のクライアント装置による特定の広告コンテンツについての「クリック」をコントロール（クリックコントロール）し、「価値あるクリックの獲得」と「価値なきクリックの排除」とを図る。
【００２９】
以下では、本発明の実施形態に係る広告配信システムをさらに具体化させた第１〜４実施形態に係る広告配信システムＡ〜Ｄについて説明する。
【００３０】
［第１実施形態に係る広告配信システムＡ］
図１は、第１実施形態に係る広告配信システムＡの概略構成図である。
図１に示すように、第１実施形態に係る広告配信システムＡは、クリックコントロールサーバ１０と、広告代理サーバ２０と、アフィリエイター端末３０と、Ｗｅｂサーバ４０と、基地局５０と、携帯電話６０と、広告主サーバ７０と、がインターネット８０を介して接続された広告配信システムである。携帯電話６０は、基地局５０を介してインターネット８０上の装置と通信を行う。
【００３１】
第１実施形態に係る広告配信システムＡは、ユニーククリック保証型のアフィリエイトシステムとして構成されており、概略、次のように動作する。
【００３２】
・広告主の商品・サービスを広告する広告コンテンツが、アフィリエイターサイト、すなわち、Ｗｅｂサーバ４０から携帯電話６０に対して送信されるＷｅｂページ（または送信されたＷｅｂページ）に記述され、携帯電話６０上で閲覧される。
・広告コンテンツが携帯電話６０上でクリックされた場合、広告主サイト、すなわち、広告主の商品・サービスを示すデータを記述されたＷｅｂページが、広告主サーバ７０から携帯電話６０に送信され、携帯電話６０上で閲覧される。
・クリックされた広告コンテンツが、その携帯電話６０によって今まで一度もクリックされたことがなかった場合、広告代理サーバ２０などにより、広告主に広告費を課金する処理と、Ｗｅｂページ（アフィリエイターサイト）を運営するアフィリエイターに対して報酬を支払う処理とが、実行される。
【００３３】
（第１実施形態に係る広告配信システムＡの第１構成例ａ１）
図２は、第１実施形態に係る広告配信システムＡの第１構成例ａ１を説明する図である。
【００３４】
この第１実施形態に係る広告配信システムＡの第１構成例ａ１においては、インターネット８０を介して接続された各装置が、次の装置としてそれぞれ構成される。
・Ｗｅｂサーバ４０：（１）媒体送信装置、（６）媒体記述装置
・携帯電話６０    ：（２）クライアント装置
・広告主サーバ７０：（３）広告主装置
・広告代理サーバ２０：（４）費用報酬管理装置、リダイレクト中継装置
・クリックコントロールサーバ１０：（５）クリックコントロール装置
【００３５】
以下、図２を参照しつつ、第１実施形態に係る広告配信システムＡの第１構成例ａ１を説明する。
【００３６】
（ステップａ１−１）
まず、アフィリエイター端末３０が、Ｗｅｂサーバ４０に対して、クリックコントロールサーバ１０のアドレス（ｃｃｓ＿ａｄｄｒｅｓｓ）と広告代理サーバ識別ＩＤ（ａａｓ＿ｉｄ）とアフィリエイターサイトＩＤ（ｐｓ＿ｉｄ）とが記述されたファイルを送信する（ステップａ１−１）。
【００３７】
広告代理サーバ識別ＩＤ（ａａｓ＿ｉｄ）とは、広告代理サーバを識別できる値であり、アフィリエイターサイトＩＤ（ｐｓ＿ｉｄ）とは、Ｗｅｂページ（アフィリエイターサイト）を識別できる値である。
【００３８】
（ステップａ１−２）
次に、携帯電話６０が、Ｗｅｂサーバ４０に対して、リクエストを送信する（ステップａ１−２）。このリクエストに際しては、携帯電話６０の固体識別番号（ｔ＿ｉｄ）が、携帯電話６０からＷｅｂサーバ４０に対して送信される。
【００３９】
（ステップａ１−３）
次に、Ｗｅｂサーバ４０が、クリックコントロールサーバ１０に対して、リクエストを送信する（ステップａ１−３）。
このリクエストは、アフィリエイター端末３０から受信したファイルに記述されているクリックコントロールサーバ１０のアドレス（ｃｃｓ＿ａｄｄｒｅｓｓ）に基づいて送信される。
このリクエストに際しては、携帯電話６０から受信した固体識別番号（ｔ＿ｉｄ）とアフィリエイター端末３０から受信したファイルに記述されている広告代理サーバ識別ＩＤ（ａａｓ＿ｉｄ）とが、Ｗｅｂサーバ４０からクリックコントロールサーバ１０に対して送信される。
【００４０】
（ステップａ１−４：クリックコントロール値生成処理）
次に、クリックコントロールサーバ１０が、クリックコントロール値生成処理を実行する（ステップａ１−４）。
【００４１】
クリックコントロールサーバ１０は、広告ＩＤ（ａｄ＿ｉｄ）と固体識別番号（ｔ＿ｉｄ）とが対応付可能に記憶されたユニーククリック管理テーブルを具備している。
クリックコントロール値生成処理は、このユニーククリック管理テーブルと、Ｗｅｂサーバ４０から受信した固体識別番号（ｔ＿ｉｄ）と、を用いて実行される。
【００４２】
具体的に説明すると、クリックコントロールサーバ１０は、まず、Ｗｅｂサーバ４０から受信した固体識別番号（ｔ＿ｉｄ）に対応付けられていない広告ＩＤ（ａｄ＿ｉｄ）が、ユニーククリック管理テーブルに記憶されているか否かを判定する。
そして、クリックコントロールサーバ１０は、対応付けられていない広告ＩＤ（ａｄ＿ｉｄ）がユニーククリック管理テーブルに記憶されていると判定した場合には、その対応付けられていない広告ＩＤ（ａｄ＿ｉｄ）とこの広告ＩＤ（ａｄ＿ｉｄ）により識別される広告コンテンツとをクリックコントロール値（ｃｃ＿ｖａｌｕｅ）とする。
他方、クリックコントロールサーバ１０は、対応付けられていない広告ＩＤ（ａｄ＿ｉｄ）がユニーククリック管理テーブルに記憶されていないと判定した場合には、ＮＵＬＬ値をクリックコントロール値（ｃｃ＿ｖａｌｕｅ）とする。
【００４３】
（ステップａ１−５）
次に、クリックコントロールサーバ１０が、Ｗｅｂサーバ４０に対して、クリックコントロール値（ｃｃ＿ｖａｌｕｅ）と広告代理サーバ２０のアドレス（ａａｓ＿ａｄｄｒｅｓｓ）とを送信する（ステップａ１−５）。
【００４４】
クリックコントロールサーバ１０は、広告代理サーバ識別ＩＤ（ａａｓ＿ｉｄ）と広告代理サーバのアドレス（ａａｓ＿ａｄｄｒｅｓｓ）とが対応付けて記憶されたサーバ管理テーブルを具備している。
クリックコントロールサーバ１０は、このサーバ管理テーブルから、Ｗｅｂサーバ４０から受信した広告代理サーバ識別ＩＤ（ａａｓ＿ｉｄ）に対応付けられている広告代理サーバ２０のアドレス（ａａｓ＿ａｄｄｒｅｓｓ）を取得し、クリックコントロール値（ｃｃ＿ｖａｌｕｅ）とともに、Ｗｅｂサーバ４０に対して送信する。
【００４５】
（ステップａ１−６）
次に、Ｗｅｂサーバ４０が、アフィリエイター端末３０から受信したファイルを用いてＷｅｂページ（アフィリエイターサイト）を動的に生成し、携帯電話６０に対して送信する（ステップａ１−６）。
Ｗｅｂサーバ４０は、この生成に際して、クリックコントロールサーバ１０から受信した広告代理サーバ２０のアドレス（ａａｓ＿ａｄｄｒｅｓｓ）およびクリックコントロール値（ｃｃ＿ｖａｌｕｅ）と、アフィリエイター端末３０から受信したファイルに記述されているアフィリエイターサイトＩＤ（ｐｓ＿ｉｄ）と、をＷｅｂページ（アフィリエイターサイト）に記述する。
【００４６】
以上の処理により、携帯電話６０上で閲覧されるＷｅｂページ（アフィリエイターサイト）には、広告代理サーバ２０のアドレス（ａａｓ＿ａｄｄｒｅｓｓ）、クリックコントロール値（ｃｃ＿ｖａｌｕｅ）、およびアフィリエイターサイトＩＤ（ｐｓ＿ｉｄ）が記述されていることになる。
【００４７】
なお、この第１構成例ａ１においては、広告ＩＤ（ａｄ＿ｉｄ）と広告コンテンツとがクリックコントロール値（ｃｃ＿ｖａｌｕｅ）としてＷｅｂページ（アフィリエイターサイト）に記述されている場合と、ＮＵＬＬ値がクリックコントロール値（ｃｃ＿ｖａｌｕｅ）としてＷｅｂページ（アフィリエイターサイト）に記述されている場合とがあるが、以下では、広告ＩＤ（ａｄ＿ｉｄ）と広告コンテンツとがクリックコントロール値（ｃｃ＿ｖａｌｕｅ）としてＷｅｂページ（アフィリエイターサイト）に記述されているとして、説明を続ける。
【００４８】
（ステップａ１−７）
次に、携帯電話６０が、広告代理サーバ２０に対して、リクエストを送信する（ステップａ１−７）。
【００４９】
このリクエストは、Ｗｅｂページ（アフィリエイターサイト）に記述されている広告コンテンツが携帯電話６０上でクリックされた場合に、Ｗｅｂページ（アフィリエイターサイト）に記述されている広告代理サーバ２０のアドレス（ａａｓ＿ａｄｄｒｅｓｓ）に基づいて送信される。
このリクエストに際しては、Ｗｅｂページ（アフィリエイターサイト）に記述されている広告ＩＤ（ａｄ＿ｉｄ）とアフィリエイターサイトＩＤ（ｐｓ＿ｉｄ）とが、携帯電話６０から広告代理サーバ２０に対して送信される。
【００５０】
（ステップａ１−８）
次に、広告代理サーバ２０が、携帯電話６０に対して、クリックコントロールサーバ１０のアドレス（ｃｃｓ＿ａｄｄｒｅｓｓ）とアフィリエイトセッションＩＤ（ａ＿ｓｅｓｓｉｏｎ＿ｉｄ）と広告代理サーバ識別ＩＤ（ａａｓ＿ｉｄ）と携帯電話６０から受信した広告ＩＤ（ａｄ＿ｉｄ）とを送信する（ステップａ１−８）。
【００５１】
アフィリエイトセッションＩＤ（ａ＿ｓｅｓｓｉｏｎ＿ｉｄ）は、携帯電話６０から受信した広告ＩＤ（ａｄ＿ｉｄ）とアフィリエイターサイトＩＤ（ｐｓ＿ｉｄ）とを一意に特定する値であり、携帯電話６０からリクエストを受信した場合に、広告代理サーバ２０において生成される。
生成されたアフィリエイトセッションＩＤ（ａ＿ｓｅｓｓｉｏｎ＿ｉｄ）と携帯電話６０から受信した広告ＩＤ（ａｄ＿ｉｄ）とアフィリエイターサイトＩＤ（ｐｓ＿ｉｄ）とは、広告代理サーバ２０の記憶手段に対応付けて記憶される。
【００５２】
なお、クリックコントロールサーバ１０のアドレス（ｃｃｓ＿ａｄｄｒｅｓｓ）と広告代理サーバ識別ＩＤ（ａａｓ＿ｉｄ）とは、広告代理サーバ２０の記憶手段にあらかじめ記憶されている。
【００５３】
（ステップａ１−９）
次に、携帯電話６０が、クリックコントロールサーバ１０に対して、リクエストを送信する（ステップａ１−９）。
このリクエストは、広告代理サーバ２０から受信したクリックコントロールサーバ１０のアドレス（ｃｃｓ＿ａｄｄｒｅｓｓ）に基づいて送信される。
このリクエストに際しては、広告代理サーバ２０から受信したアフィリエイトセッションＩＤ（ａ＿ｓｅｓｓｉｏｎ＿ｉｄ）、広告代理サーバ識別ＩＤ（ａａｓ＿ｉｄ）、および広告ＩＤ（ａｄ＿ｉｄ）と、携帯電話６０の固体識別番号（ｔ＿ｉｄ）と、が携帯電話６０からクリックコントロールサーバ１０に対して送信される。
【００５４】
（ステップａ１−１０：ユニーククリック判定処理）
次に、クリックコントロールサーバ１０が、ユニーククリック判定処理を実行する（ａ１−１０）。
【００５５】
このユニーククリック判定処理は、携帯電話６０上でのクリックがユニーククリックであったのか否か、すなわち、携帯電話６０から受信した広告ＩＤ（ａｄ＿ｉｄ）により識別される広告コンテンツが、携帯電話６０（携帯電話６０から受信した固体識別番号（ｔ＿ｉｄ）によって識別される。）によって初めてクリックされたのか否かを判定する処理である。
具体的に説明すると、クリックコントロールサーバ１０は、まず、携帯電話６０から受信した固体識別番号（ｔ＿ｉｄ）と広告ＩＤ（ａｄ＿ｉｄ）とが上記したユニーククリック管理テーブルにおいて対応付けて記憶されているか否かを判定する。
そして、クリックコントロールサーバ１０は、対応付けて記憶されていないと判定した場合、上記したユニーククリック管理テーブルに固体識別番号（ｔ＿ｉｄ）と広告ＩＤ（ａｄ＿ｉｄ）とを対応付けて記憶した上で、ユニーククリック値（ｕｃ＿ｖａｌｕｅ）に「１」を格納する。
他方、クリックコントロールサーバ１０は、対応付けて記憶されていると判定した場合、上記したユニーククリック管理テーブルに固体識別番号（ｔ＿ｉｄ）と広告ＩＤ（ａｄ＿ｉｄ）とを対応付けて記憶することなく、ユニーククリック値（ｕｃ＿ｖａｌｕｅ）に「０」を格納する。
なお、ユニーククリック値（ｕｃ＿ｖａｌｕｅ）とは、クリックコントロールサーバ１０の記憶手段上に領域を確保される変数であり、「１」がユニーククリックを示し、「０」が非ユニーククリックを示す。
【００５６】
（ステップａ１−１１）
次に、クリックコントロールサーバ１０が、広告代理サーバ２０に対して、ユニーククリック値（ｕｃ＿ｖａｌｕｅ）とアフィリエイトセッションＩＤ（ａ＿ｓｅｓｓｉｏｎ＿ｉｄ）とを送信する（ステップａ１−１１）。
クリックコントロールサーバ１０は、上記したサーバ管理テーブルから、携帯電話６０から受信した広告代理サーバ識別ＩＤ（ａａｓ＿ｉｄ）に対応付けられている広告代理サーバ２０のアドレス（ａａｓ＿ａｄｄｒｅｓｓ）を取得し、この取得した広告代理サーバ２０のアドレス（ａａｓ＿ａｄｄｒｅｓｓ）に基づいて、ユニーククリック値（ｕｃ＿ｖａｌｕｅ）とアフィリエイトセッションＩＤ（ａ＿ｓｅｓｓｉｏｎ＿ｉｄ）とを広告代理サーバ２０に対して送信する。
【００５７】
広告代理サーバ２０は、クリックコントロールサーバ１０からユニーククリック値（ｕｃ＿ｖａｌｕｅ）とアフィリエイトセッションＩＤ（ａ＿ｓｅｓｓｉｏｎ＿ｉｄ）とを受信した場合、ユニーククリック値（ｕｃ＿ｖａｌｕｅ）が「１」であるのか「０」であるのかを判定する。
そして、広告代理サーバ２０は、ユニーククリック値（ｕｃ＿ｖａｌｕｅ）が「１」であれば、広告主に広告費を課金する処理と、Ｗｅｂページ（アフィリエイターサイト）を運営するアフィリエイターに報酬を支払う処理と、を実行する。
【００５８】
なお、広告代理サーバ２０は、広告費を課金する広告主を、広告代理サーバ２０の記憶手段においてアフィリエイトセッションＩＤ（ａ＿ｓｅｓｓｉｏｎ＿ｉｄ）に対応付けて記憶されている広告ＩＤ（ａｄ＿ｉｄ）に基づき特定する。この広告ＩＤ（ａｄ＿ｉｄ）により識別される広告コンテンツを出稿した広告主が、広告費を課金する広告主である。
【００５９】
また、広告代理サーバ２０は、報酬を支払うアフィリエイターを、広告代理サーバ２０の記憶手段においてアフィリエイトセッションＩＤ（ａ＿ｓｅｓｓｉｏｎ＿ｉｄ）に対応付けて記憶されているアフィリエイターサイトＩＤ（ｐｓ＿ｉｄ）に基づき特定する。このアフィリエイターサイトＩＤ（ｐｓ＿ｉｄ）により識別されるＷｅｂページ（アフィリエイターサイト）を運営するアフィリエイターが、報酬を支払うアフィリエイターである。
【００６０】
（ステップａ１−１２）
次に、クリックコントロールサーバ１０が、携帯電話６０に対して、広告主サーバ７０上のＷｅｂページ（広告主サイト）のアドレス（ｃｓ＿ａｄｄｒｅｓｓ）を送信する（ステップａ１−１２）。
【００６１】
クリックコントロールサーバ１０は、広告ＩＤ（ａｄ＿ｉｄ）と広告主サーバ７０上のＷｅｂページ（広告主サイト）のアドレス（ｃｓ＿ａｄｄｒｅｓｓ）とを対応付けて記憶する広告管理テーブルを備えている。クリックコントロールサーバ１０は、この広告管理テーブルから、携帯電話６０から受信した広告ＩＤ（ａｄ＿ｉｄ）に対応付けて記憶されている広告主サーバ上のＷｅｂページ（広告主サイト）のアドレス（ｃｓ＿ａｄｄｒｅｓｓ）を取得し、携帯電話６０に対して送信する。
【００６２】
（ステップａ１−１３）
次に、携帯電話６０が、広告主サーバ７０に対して、リクエストを送信する（ステップａ１−１３）。このリクエストは、クリックコントロールサーバ１０から受信した広告主サーバ７０上のＷｅｂページ（広告主サイト）のアドレス（ｃｓ＿ａｄｄｒｅｓｓ）に基づいて送信される。
【００６３】
（ステップａ１−１４）
そして、広告主サーバ７０が、携帯電話６０に対して、Ｗｅｂページ（広告主サイト）を送信する（ステップａ１−１４）。
【００６４】
（第１実施形態に係る広告配信システムＡの第２構成例ａ２）
図３は、第１実施形態に係る広告配信システムＡの第２構成例ａ２を説明する図である。
【００６５】
この第１実施形態に係る広告配信システムＡの第２構成例ａ２は、広告代理サーバ２０がリダイレクト中継装置として構成されない点で、第１実施形態に係る広告配信システムＡの第１構成例ａ１と相違する。
【００６６】
以下、図３を参照しつつ、第１実施形態に係る広告配信システムＡの第２構成例ａ２を説明する。
【００６７】
（ステップａ２−１）
まず、アフィリエイター端末３０が、Ｗｅｂサーバ４０に対して、クリックコントロールサーバ１０のアドレス（ｃｃｓ＿ａｄｄｒｅｓｓ）と広告代理サーバ識別ＩＤ（ａａｓ＿ｉｄ）とアフィリエイターサイトＩＤ（ｐｓ＿ｉｄ）とが記述されたファイルを送信する（ステップａ２−１）。
【００６８】
広告代理サーバ識別ＩＤ（ａａｓ＿ｉｄ）とは、広告代理サーバを識別できる値であり、アフィリエイターサイトＩＤ（ｐｓ＿ｉｄ）とは、Ｗｅｂページ（アフィリエイターサイト）を識別できる値である。
【００６９】
（ステップａ２−２）
次に、携帯電話６０が、Ｗｅｂサーバ４０に対して、リクエストを送信する（ステップａ２−２）。このリクエストに際しては、携帯電話６０の固体識別番号（ｔ＿ｉｄ）が、携帯電話６０からＷｅｂサーバ４０に対して送信される。
【００７０】
（ステップａ２−３）
次に、Ｗｅｂサーバ４０が、クリックコントロールサーバ１０に対して、リクエストを送信する（ステップａ２−３）。
このリクエストは、アフィリエイター端末３０から受信したファイルに記述されているクリックコントロールサーバ１０のアドレス（ｃｃｓ＿ａｄｄｒｅｓｓ）に基づいて送信される。
このリクエストに際しては、携帯電話６０から受信した固体識別番号（ｔ＿ｉｄ）が、Ｗｅｂサーバ４０からクリックコントロールサーバ１０に対して送信される。
【００７１】
（ステップａ２−４：クリックコントロール値生成処理）
次に、クリックコントロールサーバ１０が、クリックコントロール値生成処理を実行する（ステップａ２−４）。
【００７２】
クリックコントロールサーバ１０は、広告ＩＤ（ａｄ＿ｉｄ）と固体識別番号（ｔ＿ｉｄ）とが対応付可能に記憶されたユニーククリック管理テーブルを具備している。
クリックコントロール値生成処理は、このユニーククリック管理テーブルと、Ｗｅｂサーバ４０から受信した固体識別番号（ｔ＿ｉｄ）と、を用いて実行される。
【００７３】
具体的に説明すると、クリックコントロールサーバ１０は、まず、Ｗｅｂサーバ４０から受信した固体識別番号（ｔ＿ｉｄ）に対応付けられていない広告ＩＤ（ａｄ＿ｉｄ）が、ユニーククリック管理テーブルに記憶されているか否かを判定する。
そして、クリックコントロールサーバ１０は、対応付けられていない広告ＩＤ（ａｄ＿ｉｄ）がユニーククリック管理テーブルに記憶されていると判定した場合には、その対応付けられていない広告ＩＤ（ａｄ＿ｉｄ）とこの広告ＩＤ（ａｄ＿ｉｄ）により識別される広告コンテンツとをクリックコントロール値（ｃｃ＿ｖａｌｕｅ）とする。
他方、クリックコントロールサーバ１０は、対応付けられていない広告ＩＤ（ａｄ＿ｉｄ）がユニーククリック管理テーブルに記憶されていないと判定した場合には、ＮＵＬＬ値をクリックコントロール値（ｃｃ＿ｖａｌｕｅ）とする。
【００７４】
（ステップａ２−５）
次に、クリックコントロールサーバ１０が、Ｗｅｂサーバ４０に対して、クリックコントロール値（ｃｃ＿ｖａｌｕｅ）を送信する（ステップａ２−５）。
【００７５】
（ステップａ２−６）
次に、Ｗｅｂサーバ４０が、アフィリエイター端末３０から受信したファイルを用いてＷｅｂページ（アフィリエイターサイト）を動的に生成し、携帯電話６０に対して送信する（ステップａ２−６）。
Ｗｅｂサーバ４０は、この生成に際して、アフィリエイター端末３０から受信したファイルに記述されているクリックコントロールサーバ１０のアドレス（ｃｃｓ＿ａｄｄｒｅｓｓ）、広告代理サーバ識別ＩＤ（ａａｓ＿ｉｄ）、およびアフィリエイターサイトＩＤ（ｐｓ＿ｉｄ）と、クリックコントロールサーバ１０から受信したクリックコントロール値（ｃｃ＿ｖａｌｕｅ）と、をＷｅｂページ（アフィリエイターサイト）に記述する。
【００７６】
以上の処理により、携帯電話６０上で閲覧されるＷｅｂページ（アフィリエイターサイト）には、クリックコントロールサーバ１０のアドレス（ｃｃｓ＿ａｄｄｒｅｓｓ）、広告代理サーバ識別ＩＤ（ａａｓ＿ｉｄ）、アフィリエイターサイトＩＤ（ｐｓ＿ｉｄ）、およびクリックコントロール値（ｃｃ＿ｖａｌｕｅ）が記述されていることになる。
【００７７】
なお、この第２構成例ａ２においては、広告ＩＤ（ａｄ＿ｉｄ）と広告コンテンツとがクリックコントロール値（ｃｃ＿ｖａｌｕｅ）としてＷｅｂページ（アフィリエイターサイト）に記述されている場合と、ＮＵＬＬ値がクリックコントロール値（ｃｃ＿ｖａｌｕｅ）としてＷｅｂページ（アフィリエイターサイト）に記述されている場合とがあるが、以下では、広告ＩＤ（ａｄ＿ｉｄ）と広告コンテンツとがクリックコントロール値（ｃｃ＿ｖａｌｕｅ）としてＷｅｂページ（アフィリエイターサイト）に記述されているとして、説明を続ける。
【００７８】
（ステップａ２−７）
次に、携帯電話６０が、クリックコントロールサーバ１０に対して、リクエストを送信する（ステップａ２−７）。
このリクエストは、Ｗｅｂサーバ４０から受信したＷｅｂページ（アフィリエイターサイト）に記述されているクリックコントロールサーバ１０のアドレス（ｃｃｓ＿ａｄｄｒｅｓｓ）に基づいて送信される。
このリクエストに際しては、Ｗｅｂサーバ４０から受信したＷｅｂページ（アフィリエイターサイト）に記述されている広告代理サーバ識別ＩＤ（ａａｓ＿ｉｄ）、アフィリエイターサイトＩＤ（ｐｓ＿ｉｄ）、および広告ＩＤ（ａｄ＿ｉｄ）と、固体識別番号（ｔ＿ｉｄ）と、が携帯電話６０からクリックコントロールサーバ１０に対して送信される。
【００７９】
（ステップａ２−８：ユニーククリック判定処理）
次に、クリックコントロールサーバ１０が、ユニーククリック判定処理を実行する（ａ２−８）。
【００８０】
このユニーククリック判定処理は、携帯電話６０上でのクリックがユニーククリックであったのか否か、すなわち、携帯電話６０から受信した広告ＩＤ（ａｄ＿ｉｄ）により識別される広告コンテンツが、携帯電話６０（携帯電話６０から受信した固体識別番号（ｔ＿ｉｄ）によって識別される。）によって初めてクリックされたのか否かを判定する処理である。
具体的に説明すると、クリックコントロールサーバ１０は、まず、携帯電話６０から受信した固体識別番号（ｔ＿ｉｄ）と広告ＩＤ（ａｄ＿ｉｄ）とが上記したユニーククリック管理テーブルにおいて対応付けて記憶されているか否かを判定する。
そして、クリックコントロールサーバ１０は、対応付けて記憶されていないと判定した場合、上記したユニーククリック管理テーブルに固体識別番号（ｔ＿ｉｄ）と広告ＩＤ（ａｄ＿ｉｄ）とを対応付けて記憶した上で、ユニーククリック値（ｕｃ＿ｖａｌｕｅ）に「１」を格納する。
他方、クリックコントロールサーバ１０は、対応付けて記憶されていると判定した場合、上記したユニーククリック管理テーブルに固体識別番号（ｔ＿ｉｄ）と広告ＩＤ（ａｄ＿ｉｄ）とを対応付けて記憶することなく、ユニーククリック値（ｕｃ＿ｖａｌｕｅ）に「０」を格納する。
なお、ユニーククリック値（ｕｃ＿ｖａｌｕｅ）とは、クリックコントロールサーバ１０の記憶手段上に領域を確保される変数であり、「１」がユニーククリックを示し、「０」が非ユニーククリックを示す。
【００８１】
（ステップａ２−９）
次に、クリックコントロールサーバ１０が、広告代理サーバ２０に対して、ユニーククリック値（ｕｃ＿ｖａｌｕｅ）とアフィリエイターサイトＩＤ（ｐｓ＿ｉｄ）と広告ＩＤ（ａｄ＿ｉｄ）とを送信する（ステップａ２−９）。
クリックコントロールサーバ１０は、広告代理サーバ識別ＩＤ（ａａｓ＿ｉｄ）と広告代理サーバのアドレス（ａａｓ＿ａｄｄｒｅｓｓ）とが対応付けて記憶されたサーバ管理テーブルを具備している。
クリックコントロールサーバ１０は、このサーバ管理テーブルから、携帯電話６０から受信した広告代理サーバ識別ＩＤ（ａａｓ＿ｉｄ）に対応付けられている広告代理サーバ２０のアドレス（ａａｓ＿ａｄｄｒｅｓｓ）を取得し、この取得した広告代理サーバ２０のアドレス（ａａｓ＿ａｄｄｒｅｓｓ）に基づいて、ユニーククリック値（ｕｃ＿ｖａｌｕｅ）とアフィリエイターサイトＩＤ（ｐｓ＿ｉｄ）と広告ＩＤ（ａｄ＿ｉｄ）とを広告代理サーバ２０に対して送信する。
【００８２】
広告代理サーバ２０は、クリックコントロールサーバ１０からユニーククリック値（ｕｃ＿ｖａｌｕｅ）とアフィリエイターサイトＩＤ（ｐｓ＿ｉｄ）と広告ＩＤ（ａｄ＿ｉｄ）とを受信した場合、ユニーククリック値（ｕｃ＿ｖａｌｕｅ）が「１」であるのか「０」であるのかを判定する。
そして、広告代理サーバ２０は、ユニーククリック値（ｕｃ＿ｖａｌｕｅ）が「１」であれば、広告主に広告費を課金する処理と、Ｗｅｂページ（アフィリエイターサイト）を運営するアフィリエイターに報酬を支払う処理と、を実行する。
【００８３】
なお、広告代理サーバ２０は、広告費を課金する広告主を、クリックコントロールサーバ１０から受信した広告ＩＤ（ａｄ＿ｉｄ）に基づき特定する。この広告ＩＤ（ａｄ＿ｉｄ）により識別される広告コンテンツを出稿した広告主が、広告費を課金する広告主である。
【００８４】
また、広告代理サーバ２０は、報酬を支払うアフィリエイターを、携帯電話６０から受信したアフィリエイターサイトＩＤ（ｐｓ＿ｉｄ）に基づき特定する。このアフィリエイターサイトＩＤ（ｐｓ＿ｉｄ）により識別されるＷｅｂページ（アフィリエイターサイト）を運営するアフィリエイターが、報酬を支払うアフィリエイターである。
【００８５】
（ステップａ２−１０）
次に、クリックコントロールサーバ１０が、携帯電話６０に対して、広告主サーバ７０上のＷｅｂページ（広告主サイト）のアドレス（ｃｓ＿ａｄｄｒｅｓｓ）を送信する（ステップａ２−１０）。
【００８６】
クリックコントロールサーバ１０は、広告ＩＤ（ａｄ＿ｉｄ）と広告主サーバ７０上のＷｅｂページ（広告主サイト）のアドレス（ｃｓ＿ａｄｄｒｅｓｓ）とを対応付けて記憶する広告管理テーブルを備えている。クリックコントロールサーバ１０は、この広告管理テーブルから、携帯電話６０から受信した広告ＩＤ（ａｄ＿ｉｄ）に対応付けて記憶されている広告主サーバ上のＷｅｂページ（広告主サイト）のアドレス（ｃｓ＿ａｄｄｒｅｓｓ）を取得し、携帯電話６０に対して送信する。
【００８７】
（ステップａ２−１１）
次に、携帯電話６０が、広告主サーバ７０に対して、リクエストを送信する（ステップａ２−１１）。このリクエストは、クリックコントロールサーバ１０から受信した広告主サーバ７０上のＷｅｂページ（広告主サイト）のアドレス（ｃｓ＿ａｄｄｒｅｓｓ）に基づいて送信される。
【００８８】
（ステップａ２−１２）
そして、広告主サーバ７０が、携帯電話６０に対して、Ｗｅｂページ（広告主サイト）を送信する（ステップａ２−１２）。
【００８９】
（第１実施形態に係る広告配信システムＡの第３構成例ａ３）
図４は、第１実施形態に係る広告配信システムＡの第３構成例ａ３を説明する図である。
【００９０】
この第１実施形態に係る広告配信システムＡの第３構成例ａ３においては、インターネット８０を介して接続された各装置が、次の装置としてそれぞれ構成される。
・Ｗｅｂサーバ４０：（１）媒体送信装置
・携帯電話６０    ：（２）クライアント装置、（６）媒体記述装置
・広告主サーバ７０：（３）広告主装置
・広告代理サーバ２０：（４）費用報酬管理装置、リダイレクト中継装置
・クリックコントロールサーバ１０：（５）クリックコントロール装置
【００９１】
以下、図４を参照しつつ、第１実施形態に係る広告配信システムＡの第３構成例ａ３を説明する。
【００９２】
（ステップａ３−１）
まず、アフィリエイター端末３０が、Ｗｅｂサーバ４０に対して、クリックコントロールサーバ１０のアドレス（ｃｃｓ＿ａｄｄｒｅｓｓ）と広告代理サーバ識別ＩＤ（ａａｓ＿ｉｄ）とアフィリエイターサイトＩＤ（ｐｓ＿ｉｄ）とが記述されたＷｅｂページ（アフィリエイターサイト）を送信する（ステップａ３−１）。
【００９３】
広告代理サーバ識別ＩＤ（ａａｓ＿ｉｄ）とは、広告代理サーバを識別できる値であり、アフィリエイターサイトＩＤ（ｐｓ＿ｉｄ）とは、Ｗｅｂページ（アフィリエイターサイト）を識別できる値である。
【００９４】
（ステップａ３−２）
次に、携帯電話６０が、Ｗｅｂサーバ４０に対して、リクエストを送信する（ステップａ３−２）。
【００９５】
（ステップａ３−３）
次に、Ｗｅｂサーバ４０が、携帯電話６０に対して、クリックコントロールサーバ１０のアドレス（ｃｃｓ＿ａｄｄｒｅｓｓ）と広告代理サーバ識別ＩＤ（ａａｓ＿ｉｄ）とアフィリエイターサイトＩＤ（ｐｓ＿ｉｄ）とが記述されたＷｅｂページ（アフィリエイターサイト）を送信する（ステップａ３−３）。
【００９６】
（ステップａ３−４）
次に、携帯電話６０が、クリックコントロールサーバ１０に対して、リクエストを送信する（ステップａ３−４）。
このリクエストは、Ｗｅｂサーバ４０から受信したＷｅｂページ（アフィリエイターサイト）に記述されているクリックコントロールサーバ１０のアドレス（ｃｃｓ＿ａｄｄｒｅｓｓ）に基づいて送信される。
このリクエストに際しては、Ｗｅｂサーバ４０から受信したＷｅｂページ（アフィリエイターサイト）に記述されている広告代理サーバ識別ＩＤ（ａａｓ＿ｉｄ）と固体識別番号（ｔ＿ｉｄ）とが、携帯電話６０からクリックコントロールサーバ１０に対して送信される。
【００９７】
（ステップａ３−５：クリックコントロール値生成処理）
次に、クリックコントロールサーバ１０が、クリックコントロール値生成処理を実行する（ステップａ３−５）。
【００９８】
クリックコントロールサーバ１０は、広告ＩＤ（ａｄ＿ｉｄ）と固体識別番号（ｔ＿ｉｄ）とが対応付可能に記憶されたユニーククリック管理テーブルを具備している。
クリックコントロール値生成処理は、このユニーククリック管理テーブルと、携帯電話６０から受信した固体識別番号（ｔ＿ｉｄ）と、を用いて実行される。
【００９９】
具体的に説明すると、クリックコントロールサーバ１０は、まず、携帯電話６０から受信した固体識別番号（ｔ＿ｉｄ）に対応付けられていない広告ＩＤ（ａｄ＿ｉｄ）が、ユニーククリック管理テーブルに記憶されているか否かを判定する。
そして、クリックコントロールサーバ１０は、対応付けられていない広告ＩＤ（ａｄ＿ｉｄ）がユニーククリック管理テーブルに記憶されていると判定した場合には、その対応付けられていない広告ＩＤ（ａｄ＿ｉｄ）とこの広告ＩＤ（ａｄ＿ｉｄ）により識別される広告コンテンツとをクリックコントロール値（ｃｃ＿ｖａｌｕｅ）とする。
他方、クリックコントロールサーバ１０は、対応付けられていない広告ＩＤ（ａｄ＿ｉｄ）がユニーククリック管理テーブルに記憶されていないと判定した場合には、ＮＵＬＬ値をクリックコントロール値（ｃｃ＿ｖａｌｕｅ）とする。
【０１００】
（ステップａ３−６）
次に、クリックコントロールサーバ１０が、携帯電話６０に対して、クリックコントロール値（ｃｃ＿ｖａｌｕｅ）と広告代理サーバ２０のアドレス（ａａｓ＿ａｄｄｒｅｓｓ）とを送信する（ステップａ３−６）。
【０１０１】
クリックコントロールサーバ１０は、広告代理サーバ識別ＩＤ（ａａｓ＿ｉｄ）と広告代理サーバのアドレス（ａａｓ＿ａｄｄｒｅｓｓ）とが対応付けて記憶されたサーバ管理テーブルを具備している。
クリックコントロールサーバ１０は、このサーバ管理テーブルから、携帯電話６０から受信した広告代理サーバ識別ＩＤ（ａａｓ＿ｉｄ）に対応付けられている広告代理サーバ２０のアドレス（ａａｓ＿ａｄｄｒｅｓｓ）を取得し、クリックコントロール値（ｃｃ＿ｖａｌｕｅ）とともに、携帯電話６０に対して送信する。
【０１０２】
携帯電話６０は、クリックコントロールサーバ１０から広告代理サーバ２０のアドレス（ａａｓ＿ａｄｄｒｅｓｓ）とクリックコントロール値（ｃｃ＿ｖａｌｕｅ）とを受信した場合、これらをＷｅｂページ（アフィリエイターサイト）に記述する。
【０１０３】
以上の処理により、携帯電話６０上で閲覧されるＷｅｂページ（アフィリエイターサイト）には、広告代理サーバ２０のアドレス（ａａｓ＿ａｄｄｒｅｓｓ）、クリックコントロール値（ｃｃ＿ｖａｌｕｅ）、およびアフィリエイターサイトＩＤ（ｐｓ＿ｉｄ）が記述されていることになる。
【０１０４】
なお、この第３構成例ａ３においては、広告ＩＤ（ａｄ＿ｉｄ）と広告コンテンツとがクリックコントロール値（ｃｃ＿ｖａｌｕｅ）としてＷｅｂページ（アフィリエイターサイト）に記述されている場合と、ＮＵＬＬ値がクリックコントロール値（ｃｃ＿ｖａｌｕｅ）としてＷｅｂページ（アフィリエイターサイト）に記述されている場合とがあるが、以下では、広告ＩＤ（ａｄ＿ｉｄ）と広告コンテンツとがクリックコントロール値（ｃｃ＿ｖａｌｕｅ）としてＷｅｂページ（アフィリエイターサイト）に記述されているとして、説明を続ける。
【０１０５】
（ステップａ３−７）
次に、携帯電話６０が、広告代理サーバ２０に対して、リクエストを送信する（ステップａ３−７）。
【０１０６】
このリクエストは、Ｗｅｂページ（アフィリエイターサイト）に記述されている広告コンテンツが携帯電話６０上でクリックされた場合に、Ｗｅｂページ（アフィリエイターサイト）に記述されている広告代理サーバ２０のアドレス（ａａｓ＿ａｄｄｒｅｓｓ）に基づいて送信される。
このリクエストに際しては、Ｗｅｂページ（アフィリエイターサイト）に記述されている広告ＩＤ（ａｄ＿ｉｄ）とアフィリエイターサイトＩＤ（ｐｓ＿ｉｄ）とが、携帯電話６０から広告代理サーバ２０に対して送信される。
【０１０７】
（ステップａ３−８）
次に、広告代理サーバ２０が、携帯電話６０に対して、クリックコントロールサーバ１０のアドレス（ｃｃｓ＿ａｄｄｒｅｓｓ）とアフィリエイトセッションＩＤ（ａ＿ｓｅｓｓｉｏｎ＿ｉｄ）と広告代理サーバ識別ＩＤ（ａａｓ＿ｉｄ）と携帯電話６０から受信した広告ＩＤ（ａｄ＿ｉｄ）とを送信する（ステップａ３−８）。
【０１０８】
アフィリエイトセッションＩＤ（ａ＿ｓｅｓｓｉｏｎ＿ｉｄ）は、携帯電話６０から受信した広告ＩＤ（ａｄ＿ｉｄ）とアフィリエイターサイトＩＤ（ｐｓ＿ｉｄ）とを一意に特定する値であり、携帯電話６０からリクエストを受信した場合に、広告代理サーバ２０において生成される。
生成されたアフィリエイトセッションＩＤ（ａ＿ｓｅｓｓｉｏｎ＿ｉｄ）と携帯電話６０から受信した広告ＩＤ（ａｄ＿ｉｄ）とアフィリエイターサイトＩＤ（ｐｓ＿ｉｄ）とは、広告代理サーバ２０の記憶手段に対応付けて記憶される。
【０１０９】
なお、クリックコントロールサーバ１０のアドレス（ｃｃｓ＿ａｄｄｒｅｓｓ）と広告代理サーバ識別ＩＤ（ａａｓ＿ｉｄ）とは、広告代理サーバ２０の記憶手段にあらかじめ記憶されている。
【０１１０】
（ステップａ３−９）
次に、携帯電話６０が、クリックコントロールサーバ１０に対して、リクエストを送信する（ステップａ３−９）。
このリクエストは、広告代理サーバ２０から受信したクリックコントロールサーバ１０のアドレス（ｃｃｓ＿ａｄｄｒｅｓｓ）に基づいて送信される。
このリクエストに際しては、広告代理サーバ２０から受信したアフィリエイトセッションＩＤ（ａ＿ｓｅｓｓｉｏｎ＿ｉｄ）、広告代理サーバ識別ＩＤ（ａａｓ＿ｉｄ）、および広告ＩＤ（ａｄ＿ｉｄ）と、携帯電話６０の固体識別番号（ｔ＿ｉｄ）と、が携帯電話６０からクリックコントロールサーバ１０に対して送信される。
【０１１１】
（ステップａ３−１０：ユニーククリック判定処理）
次に、クリックコントロールサーバ１０が、ユニーククリック判定処理を実行する（ａ３−１０）。
【０１１２】
このユニーククリック判定処理は、携帯電話６０上でのクリックがユニーククリックであったのか否か、すなわち、携帯電話６０から受信した広告ＩＤ（ａｄ＿ｉｄ）により識別される広告コンテンツが、携帯電話６０（携帯電話６０から受信した固体識別番号（ｔ＿ｉｄ）によって識別される。）によって初めてクリックされたのか否かを判定する処理である。
具体的に説明すると、クリックコントロールサーバ１０は、まず、携帯電話６０から受信した固体識別番号（ｔ＿ｉｄ）と広告ＩＤ（ａｄ＿ｉｄ）とが上記したユニーククリック管理テーブルにおいて対応付けて記憶されているか否かを判定する。
そして、クリックコントロールサーバ１０は、対応付けて記憶されていないと判定した場合、上記したユニーククリック管理テーブルに固体識別番号（ｔ＿ｉｄ）と広告ＩＤ（ａｄ＿ｉｄ）とを対応付けて記憶した上で、ユニーククリック値（ｕｃ＿ｖａｌｕｅ）に「１」を格納する。
他方、クリックコントロールサーバ１０は、対応付けて記憶されていると判定した場合、上記したユニーククリック管理テーブルに固体識別番号（ｔ＿ｉｄ）と広告ＩＤ（ａｄ＿ｉｄ）とを対応付けて記憶することなく、ユニーククリック値（ｕｃ＿ｖａｌｕｅ）に「０」を格納する。
なお、ユニーククリック値（ｕｃ＿ｖａｌｕｅ）とは、クリックコントロールサーバ１０の記憶手段上に領域を確保される変数であり、「１」がユニーククリックを示し、「０」が非ユニーククリックを示す。
【０１１３】
（ステップａ３−１１）
次に、クリックコントロールサーバ１０が、広告代理サーバ２０に対して、ユニーククリック値（ｕｃ＿ｖａｌｕｅ）とアフィリエイトセッションＩＤ（ａ＿ｓｅｓｓｉｏｎ＿ｉｄ）とを送信する（ステップａ３−１１）。
クリックコントロールサーバ１０は、上記したサーバ管理テーブルから、携帯電話６０から受信した広告代理サーバ識別ＩＤ（ａａｓ＿ｉｄ）に対応付けられている広告代理サーバ２０のアドレス（ａａｓ＿ａｄｄｒｅｓｓ）を取得し、この取得した広告代理サーバ２０のアドレス（ａａｓ＿ａｄｄｒｅｓｓ）に基づいて、ユニーククリック値（ｕｃ＿ｖａｌｕｅ）とアフィリエイトセッションＩＤ（ａ＿ｓｅｓｓｉｏｎ＿ｉｄ）とを広告代理サーバ２０に対して送信する。
【０１１４】
広告代理サーバ２０は、クリックコントロールサーバ１０からユニーククリック値（ｕｃ＿ｖａｌｕｅ）とアフィリエイトセッションＩＤ（ａ＿ｓｅｓｓｉｏｎ＿ｉｄ）とを受信した場合、ユニーククリック値（ｕｃ＿ｖａｌｕｅ）が「１」であるのか「０」であるのかを判定する。
そして、広告代理サーバ２０は、ユニーククリック値（ｕｃ＿ｖａｌｕｅ）が「１」であれば、広告主に広告費を課金する処理と、Ｗｅｂページ（アフィリエイターサイト）を運営するアフィリエイターに報酬を支払う処理と、を実行する。
【０１１５】
なお、広告代理サーバ２０は、広告費を課金する広告主を、広告代理サーバ２０の記憶手段においてアフィリエイトセッションＩＤ（ａ＿ｓｅｓｓｉｏｎ＿ｉｄ）に対応付けて記憶されている広告ＩＤ（ａｄ＿ｉｄ）に基づき特定する。この広告ＩＤ（ａｄ＿ｉｄ）により識別される広告コンテンツを出稿した広告主が、広告費を課金する広告主である。
【０１１６】
また、広告代理サーバ２０は、報酬を支払うアフィリエイターを、広告代理サーバ２０の記憶手段においてアフィリエイトセッションＩＤ（ａ＿ｓｅｓｓｉｏｎ＿ｉｄ）に対応付けて記憶されているアフィリエイターサイトＩＤ（ｐｓ＿ｉｄ）に基づき特定する。このアフィリエイターサイトＩＤ（ｐｓ＿ｉｄ）により識別されるＷｅｂページ（アフィリエイターサイト）を運営するアフィリエイターが、報酬を支払うアフィリエイターである。
【０１１７】
（ステップａ３−１２）
次に、クリックコントロールサーバ１０が、携帯電話６０に対して、広告主サーバ７０上のＷｅｂページ（広告主サイト）のアドレス（ｃｓ＿ａｄｄｒｅｓｓ）を送信する（ステップａ３−１２）。
【０１１８】
クリックコントロールサーバ１０は、広告ＩＤ（ａｄ＿ｉｄ）と広告主サーバ７０上のＷｅｂページ（広告主サイト）のアドレス（ｃｓ＿ａｄｄｒｅｓｓ）とを対応付けて記憶する広告管理テーブルを備えている。クリックコントロールサーバ１０は、この広告管理テーブルから、携帯電話６０から受信した広告ＩＤ（ａｄ＿ｉｄ）に対応付けて記憶されている広告主サーバ上のＷｅｂページ（広告主サイト）のアドレス（ｃｓ＿ａｄｄｒｅｓｓ）を取得し、携帯電話６０に対して送信する。
【０１１９】
（ステップａ３−１３）
次に、携帯電話６０が、広告主サーバ７０に対して、リクエストを送信する（ステップａ３−１３）。このリクエストは、クリックコントロールサーバ１０から受信した広告主サーバ７０上のＷｅｂページ（広告主サイト）のアドレス（ｃｓ＿ａｄｄｒｅｓｓ）に基づいて送信される。
【０１２０】
（ステップａ３−１４）
そして、広告主サーバ７０が、携帯電話６０に対して、Ｗｅｂページ（広告主サイト）を送信する（ステップａ３−１４）。
【０１２１】
（第１実施形態に係る広告配信システムＡの第４構成例ａ４）
図５は、第１実施形態に係る広告配信システムＡの第４構成例ａ４を説明する図である。
【０１２２】
この第１実施形態に係る広告配信システムＡの第４構成例ａ４は、広告代理サーバ２０がリダイレクト中継装置として構成されない点で、第１実施形態に係る広告配信システムＡの第３構成例ａ３と相違する。
【０１２３】
以下、図５を参照しつつ、第１実施形態に係る広告配信システムＡの第４構成例ａ４を説明する。
【０１２４】
（ステップａ４−１）
まず、アフィリエイター端末３０が、Ｗｅｂサーバ４０に対して、クリックコントロールサーバ１０のアドレス（ｃｃｓ＿ａｄｄｒｅｓｓ）と広告代理サーバ識別ＩＤ（ａａｓ＿ｉｄ）とアフィリエイターサイトＩＤ（ｐｓ＿ｉｄ）とが記述されたＷｅｂページ（アフィリエイターサイト）を送信する（ステップａ４−１）。
【０１２５】
広告代理サーバ識別ＩＤ（ａａｓ＿ｉｄ）とは、広告代理サーバを識別できる値であり、アフィリエイターサイトＩＤ（ｐｓ＿ｉｄ）とは、Ｗｅｂページ（アフィリエイターサイト）を識別できる値である。
【０１２６】
（ステップａ４−２）
次に、携帯電話６０が、Ｗｅｂサーバ４０に対して、リクエストを送信する（ステップａ４−２）。
【０１２７】
（ステップａ４−３）
次に、Ｗｅｂサーバ４０が、携帯電話６０に対して、クリックコントロールサーバ１０のアドレス（ｃｃｓ＿ａｄｄｒｅｓｓ）と広告代理サーバ識別ＩＤ（ａａｓ＿ｉｄ）とアフィリエイターサイトＩＤ（ｐｓ＿ｉｄ）とが記述されたＷｅｂページ（アフィリエイターサイト）を送信する（ステップａ４−３）。
【０１２８】
（ステップａ４−４）
次に、携帯電話６０が、クリックコントロールサーバ１０に対して、リクエストを送信する（ステップａ４−４）。
このリクエストは、Ｗｅｂサーバ４０から受信したＷｅｂページ（アフィリエイターサイト）に記述されているクリックコントロールサーバ１０のアドレス（ｃｃｓ＿ａｄｄｒｅｓｓ）に基づいて送信される。
このリクエストに際しては、携帯電話６０の固体識別番号（ｔ＿ｉｄ）が、携帯電話６０からクリックコントロールサーバ１０に対して送信される。
【０１２９】
（ステップａ４−５：クリックコントロール値生成処理）
次に、クリックコントロールサーバ１０が、クリックコントロール値生成処理を実行する（ステップａ４−５）。
【０１３０】
クリックコントロールサーバ１０は、広告ＩＤ（ａｄ＿ｉｄ）と固体識別番号（ｔ＿ｉｄ）とが対応付可能に記憶されたユニーククリック管理テーブルを具備している。
クリックコントロール値生成処理は、このユニーククリック管理テーブルと、携帯電話６０から受信した固体識別番号（ｔ＿ｉｄ）と、を用いて実行される。
【０１３１】
具体的に説明すると、クリックコントロールサーバ１０は、まず、携帯電話６０から受信した固体識別番号（ｔ＿ｉｄ）に対応付けられていない広告ＩＤ（ａｄ＿ｉｄ）が、ユニーククリック管理テーブルに記憶されているか否かを判定する。
そして、クリックコントロールサーバ１０は、対応付けられていない広告ＩＤ（ａｄ＿ｉｄ）がユニーククリック管理テーブルに記憶されていると判定した場合には、その対応付けられていない広告ＩＤ（ａｄ＿ｉｄ）とこの広告ＩＤ（ａｄ＿ｉｄ）により識別される広告コンテンツとをクリックコントロール値（ｃｃ＿ｖａｌｕｅ）とする。
他方、クリックコントロールサーバ１０は、対応付けられていない広告ＩＤ（ａｄ＿ｉｄ）がユニーククリック管理テーブルに記憶されていないと判定した場合には、ＮＵＬＬ値をクリックコントロール値（ｃｃ＿ｖａｌｕｅ）とする。
【０１３２】
（ステップａ４−６）
次に、クリックコントロールサーバ１０が、携帯電話６０に対して、クリックコントロール値（ｃｃ＿ｖａｌｕｅ）を送信する（ステップａ４−６）。
【０１３３】
携帯電話６０は、クリックコントロールサーバ１０からクリックコントロール値（ｃｃ＿ｖａｌｕｅ）を受信した場合、これをＷｅｂページ（アフィリエイターサイト）に記述する。
【０１３４】
以上の処理により、携帯電話６０上で閲覧されるＷｅｂページ（アフィリエイターサイト）には、クリックコントロールサーバ１０のアドレス（ｃｃｓ＿ａｄｄｒｅｓｓ）、クリックコントロール値（ｃｃ＿ｖａｌｕｅ）、広告サーバ識別ＩＤ（ａａｓ＿ｉｄ）、およびアフィリエイターサイトＩＤ（ｐｓ＿ｉｄ）が記述されていることになる。
【０１３５】
なお、この第４構成例ａ４においては、広告ＩＤ（ａｄ＿ｉｄ）と広告コンテンツとがクリックコントロール値（ｃｃ＿ｖａｌｕｅ）としてＷｅｂページ（アフィリエイターサイト）に記述されている場合と、ＮＵＬＬ値がクリックコントロール値（ｃｃ＿ｖａｌｕｅ）としてＷｅｂページ（アフィリエイターサイト）に記述されている場合とがあるが、以下では、広告ＩＤ（ａｄ＿ｉｄ）と広告コンテンツとがクリックコントロール値（ｃｃ＿ｖａｌｕｅ）としてＷｅｂページ（アフィリエイターサイト）に記述されているとして、説明を続ける。
【０１３６】
（ステップａ４−７）
次に、携帯電話６０が、クリックコントロールサーバ１０に対して、リクエストを送信する（ステップａ４−７）。
このリクエストは、Ｗｅｂサーバ４０から受信したＷｅｂページ（アフィリエイターサイト）に記述されているクリックコントロールサーバ１０のアドレス（ｃｃｓ＿ａｄｄｒｅｓｓ）に基づいて送信される。
このリクエストに際しては、Ｗｅｂページ（アフィリエイターサイト）に記述されている広告代理サーバ識別ＩＤ（ａａｓ＿ｉｄ）、アフィリエイターサイトＩＤ（ｐｓ＿ｉｄ）、および広告ＩＤ（ａｄ＿ｉｄ）と、携帯電話６０の固体識別番号（ｔ＿ｉｄ）と、が携帯電話６０からクリックコントロールサーバ１０に対して送信される。
【０１３７】
（ステップａ４−８：ユニーククリック判定処理）
次に、クリックコントロールサーバ１０が、ユニーククリック判定処理を実行する（ａ４−８）。
【０１３８】
このユニーククリック判定処理は、携帯電話６０上でのクリックがユニーククリックであったのか否か、すなわち、携帯電話６０から受信した広告ＩＤ（ａｄ＿ｉｄ）により識別される広告コンテンツが、携帯電話６０（携帯電話６０から受信した固体識別番号（ｔ＿ｉｄ）によって識別される。）によって初めてクリックされたのか否かを判定する処理である。
具体的に説明すると、クリックコントロールサーバ１０は、まず、携帯電話６０から受信した固体識別番号（ｔ＿ｉｄ）と広告ＩＤ（ａｄ＿ｉｄ）とが上記したユニーククリック管理テーブルにおいて対応付けて記憶されているか否かを判定する。
そして、クリックコントロールサーバ１０は、対応付けて記憶されていないと判定した場合、上記したユニーククリック管理テーブルに固体識別番号（ｔ＿ｉｄ）と広告ＩＤ（ａｄ＿ｉｄ）とを対応付けて記憶した上で、ユニーククリック値（ｕｃ＿ｖａｌｕｅ）に「１」を格納する。
他方、クリックコントロールサーバ１０は、対応付けて記憶されていると判定した場合、上記したユニーククリック管理テーブルに固体識別番号（ｔ＿ｉｄ）と広告ＩＤ（ａｄ＿ｉｄ）とを対応付けて記憶することなく、ユニーククリック値（ｕｃ＿ｖａｌｕｅ）に「０」を格納する。
なお、ユニーククリック値（ｕｃ＿ｖａｌｕｅ）とは、クリックコントロールサーバ１０の記憶手段上に領域を確保される変数であり、「１」がユニーククリックを示し、「０」が非ユニーククリックを示す。
【０１３９】
（ステップａ４−９）
次に、クリックコントロールサーバ１０が、広告代理サーバ２０に対して、ユニーククリック値（ｕｃ＿ｖａｌｕｅ）とアフィリエイターサイトＩＤ（ｐｓ＿ｉｄ）と広告ＩＤ（ａｄ＿ｉｄ）とを送信する（ステップａ４−９）。
クリックコントロールサーバ１０は、広告代理サーバ識別ＩＤ（ａａｓ＿ｉｄ）と広告代理サーバのアドレス（ａａｓ＿ａｄｄｒｅｓｓ）とが対応付けて記憶されたサーバ管理テーブルを具備している。
クリックコントロールサーバ１０は、このサーバ管理テーブルから、携帯電話６０から受信した広告代理サーバ識別ＩＤ（ａａｓ＿ｉｄ）に対応付けられている広告代理サーバ２０のアドレス（ａａｓ＿ａｄｄｒｅｓｓ）を取得し、この取得した広告代理サーバ２０のアドレス（ａａｓ＿ａｄｄｒｅｓｓ）に基づいて、ユニーククリック値（ｕｃ＿ｖａｌｕｅ）とアフィリエイターサイトＩＤ（ｐｓ＿ｉｄ）と広告ＩＤ（ａｄ＿ｉｄ）とを広告代理サーバ２０に対して送信する。
【０１４０】
広告代理サーバ２０は、クリックコントロールサーバ１０からユニーククリック値（ｕｃ＿ｖａｌｕｅ）とアフィリエイターサイトＩＤ（ｐｓ＿ｉｄ）と広告ＩＤ（ａｄ＿ｉｄ）とを受信した場合、ユニーククリック値（ｕｃ＿ｖａｌｕｅ）が「１」であるのか「０」であるのかを判定する。
そして、広告代理サーバ２０は、ユニーククリック値（ｕｃ＿ｖａｌｕｅ）が「１」であれば、広告主に広告費を課金する処理と、Ｗｅｂページ（アフィリエイターサイト）を運営するアフィリエイターに報酬を支払う処理と、を実行する。
【０１４１】
なお、広告代理サーバ２０は、広告費を課金する広告主を、クリックコントロールサーバ１０から受信した広告ＩＤ（ａｄ＿ｉｄ）に基づき特定する。この広告ＩＤ（ａｄ＿ｉｄ）により識別される広告コンテンツを出稿した広告主が、広告費を課金する広告主である。
【０１４２】
また、広告代理サーバ２０は、報酬を支払うアフィリエイターを、携帯電話６０から受信したアフィリエイターサイトＩＤ（ｐｓ＿ｉｄ）に基づき特定する。このアフィリエイターサイトＩＤ（ｐｓ＿ｉｄ）により識別されるＷｅｂページ（アフィリエイターサイト）を運営するアフィリエイターが、報酬を支払うアフィリエイターである。
【０１４３】
（ステップａ４−１０）
次に、クリックコントロールサーバ１０が、携帯電話６０に対して、広告主サーバ７０上のＷｅｂページ（広告主サイト）のアドレス（ｃｓ＿ａｄｄｒｅｓｓ）を送信する（ステップａ４−１０）。
【０１４４】
クリックコントロールサーバ１０は、広告ＩＤ（ａｄ＿ｉｄ）と広告主サーバ７０上のＷｅｂページ（広告主サイト）のアドレス（ｃｓ＿ａｄｄｒｅｓｓ）とを対応付けて記憶する広告管理テーブルを備えている。クリックコントロールサーバ１０は、この広告管理テーブルから、携帯電話６０から受信した広告ＩＤ（ａｄ＿ｉｄ）に対応付けて記憶されている広告主サーバ上のＷｅｂページ（広告主サイト）のアドレス（ｃｓ＿ａｄｄｒｅｓｓ）を取得し、携帯電話６０に対して送信する。
【０１４５】
（ステップａ４−１１）
次に、携帯電話６０が、広告主サーバ７０に対して、リクエストを送信する（ステップａ４−１１）。このリクエストは、クリックコントロールサーバ１０から受信した広告主サーバ７０上のＷｅｂページ（広告主サイト）のアドレス（ｃｓ＿ａｄｄｒｅｓｓ）に基づいて送信される。
【０１４６】
（ステップａ４−１２）
そして、広告主サーバ７０が、携帯電話６０に対して、Ｗｅｂページ（広告主サイト）を送信する（ステップａ４−１２）。
【０１４７】
［第２実施形態に係る広告配信システムＢ］
図６は、第２実施形態に係る広告配信システムＢの概略構成図である。
図６に示すように、第２実施形態に係る広告配信システムＢは、クリックコントロールサーバ１０を備えていない点で、第１実施形態に係る広告配信システムＡと相違する。
【０１４８】
（第２実施形態に係る広告配信システムＢの第１構成例ｂ１）
図７は、第２実施形態に係る広告配信システムＢの第１構成例ｂ１を説明する図である。
【０１４９】
この第２実施形態に係る広告配信システムＢの第１構成例ｂ１においては、インターネット８０を介して接続された各装置が、次の装置としてそれぞれ構成される。
・Ｗｅｂサーバ４０：（１）媒体送信装置、（６）媒体記述装置
・携帯電話６０    ：（２）クライアント装置
・広告主サーバ７０：（３）広告主装置
・広告代理サーバ２０：（４）費用報酬管理装置、（５）クリックコントロール装置
【０１５０】
以下、図７を参照しつつ、第２実施形態に係る広告配信システムＢの第１構成例ｂ１を説明する。
【０１５１】
（ステップｂ１−１）
まず、アフィリエイター端末３０が、Ｗｅｂサーバ４０に対して、広告代理サーバ２０のアドレス（ａａｓ＿ａｄｄｒｅｓｓ）とアフィリエイターサイトＩＤ（ｐｓ＿ｉｄ）とが記述されたファイルを送信する（ステップｂ１−１）。
【０１５２】
アフィリエイターサイトＩＤ（ｐｓ＿ｉｄ）とは、Ｗｅｂページ（アフィリエイターサイト）を識別できる値である。
【０１５３】
（ステップｂ１−２）
次に、携帯電話６０が、Ｗｅｂサーバ４０に対して、リクエストを送信する（ステップｂ１−２）。このリクエストに際しては、携帯電話６０の固体識別番号（ｔ＿ｉｄ）が、携帯電話６０からＷｅｂサーバ４０に対して送信される。
【０１５４】
（ステップｂ１−３）
次に、Ｗｅｂサーバ４０が、広告代理サーバ２０に対して、リクエストを送信する（ステップｂ１−３）。
このリクエストは、アフィリエイター端末３０から受信したファイルに記述されている広告代理サーバ２０のアドレス（ａａｓ＿ａｄｄｒｅｓｓ）に基づいて送信される。
このリクエストに際しては、携帯電話６０から受信した固体識別番号（ｔ＿ｉｄ）が、Ｗｅｂサーバ４０から広告代理サーバ２０に対して送信される。
【０１５５】
（ステップｂ１−４：クリックコントロール値生成処理）
次に、広告代理サーバ２０が、クリックコントロール値生成処理を実行する（ステップｂ１−４）。
【０１５６】
広告代理サーバ２０は、広告ＩＤ（ａｄ＿ｉｄ）と固体識別番号（ｔ＿ｉｄ）とが対応付可能に記憶されたユニーククリック管理テーブルを具備している。
クリックコントロール値生成処理は、このユニーククリック管理テーブルと、Ｗｅｂサーバ４０から受信した固体識別番号（ｔ＿ｉｄ）と、を用いて実行される。
【０１５７】
具体的に説明すると、広告代理サーバ２０は、まず、Ｗｅｂサーバ４０から受信した固体識別番号（ｔ＿ｉｄ）に対応付けられていない広告ＩＤ（ａｄ＿ｉｄ）が、ユニーククリック管理テーブルに記憶されているか否かを判定する。
そして、広告代理サーバ２０は、対応付けられていない広告ＩＤ（ａｄ＿ｉｄ）がユニーククリック管理テーブルに記憶されていると判定した場合には、その対応付けられていない広告ＩＤ（ａｄ＿ｉｄ）とこの広告ＩＤ（ａｄ＿ｉｄ）により識別される広告コンテンツとをクリックコントロール値（ｃｃ＿ｖａｌｕｅ）とする。
他方、広告代理サーバ２０は、対応付けられていない広告ＩＤ（ａｄ＿ｉｄ）がユニーククリック管理テーブルに記憶されていないと判定した場合には、ＮＵＬＬ値をクリックコントロール値（ｃｃ＿ｖａｌｕｅ）とする。
【０１５８】
（ステップｂ１−５）
次に、広告代理サーバ２０が、Ｗｅｂサーバ４０に対して、クリックコントロール値（ｃｃ＿ｖａｌｕｅ）を送信する（ステップｂ１−５）。
【０１５９】
（ステップｂ１−６）
次に、Ｗｅｂサーバ４０が、アフィリエイター端末３０から受信したファイルを用いて、Ｗｅｂページ（アフィリエイターサイト）を動的に生成し、携帯電話６０に対して送信する（ステップｂ１−６）。
Ｗｅｂサーバ４０は、この生成に際して、アフィリエイター端末３０から受信したファイルに記述されている広告代理サーバ２０のアドレス（ａａｓ＿ａｄｄｒｅｓｓ）およびアフィリエイターサイトＩＤ（ｐｓ＿ｉｄ）と、広告代理サーバ２０から受信したクリックコントロール値（ｃｃ＿ｖａｌｕｅ）と、をＷｅｂページ（アフィリエイターサイト）に記述する。
【０１６０】
以上の処理により、携帯電話６０上で閲覧されるＷｅｂページ（アフィリエイターサイト）には、広告代理サーバ２０のアドレス（ａａｓ＿ａｄｄｒｅｓｓ）、アフィリエイターサイトＩＤ（ｐｓ＿ｉｄ）、およびクリックコントロール値（ｃｃ＿ｖａｌｕｅ）が記述されていることになる。
【０１６１】
なお、この第２構成例ｂ１においては、広告ＩＤ（ａｄ＿ｉｄ）と広告コンテンツとがクリックコントロール値（ｃｃ＿ｖａｌｕｅ）としてＷｅｂページ（アフィリエイターサイト）に記述されている場合と、ＮＵＬＬ値がクリックコントロール値（ｃｃ＿ｖａｌｕｅ）としてＷｅｂページ（アフィリエイターサイト）に記述されている場合とがあるが、以下では、広告ＩＤ（ａｄ＿ｉｄ）と広告コンテンツとがクリックコントロール値（ｃｃ＿ｖａｌｕｅ）としてＷｅｂページ（アフィリエイターサイト）に記述されているとして、説明を続ける。
【０１６２】
（ステップｂ１−７）
次に、携帯電話６０が、広告代理サーバ２０に対して、リクエストを送信する（ステップｂ１−７）。
【０１６３】
このリクエストは、Ｗｅｂページ（アフィリエイターサイト）に記述されている広告コンテンツが携帯電話６０上でクリックされた場合に、Ｗｅｂページ（アフィリエイターサイト）に記述されている広告代理サーバ２０のアドレス（ａａｓ＿ａｄｄｒｅｓｓ）に基づいて送信される。
このリクエストに際しては、Ｗｅｂページ（アフィリエイターサイト）に記述されているアフィリエイターサイトＩＤ（ｐｓ＿ｉｄ）および広告ＩＤ（ａｄ＿ｉｄ）と、携帯電話６０の固体識別番号（ｔ＿ｉｄ）と、が携帯電話６０から広告代理サーバ２０に対して送信される。
【０１６４】
（ステップｂ１−８：ユニーククリック判定処理）
次に、広告代理サーバ２０が、ユニーククリック判定処理を実行する（ｂ１−８）。
【０１６５】
このユニーククリック判定処理は、携帯電話６０上でのクリックがユニーククリックであったのか否か、すなわち、携帯電話６０から受信した広告ＩＤ（ａｄ＿ｉｄ）により識別される広告コンテンツが、携帯電話６０（携帯電話６０から受信した固体識別番号（ｔ＿ｉｄ）によって識別される。）によって初めてクリックされたのか否かを判定する処理である。
具体的に説明すると、広告代理サーバ２０は、まず、携帯電話６０から受信した固体識別番号（ｔ＿ｉｄ）と広告ＩＤ（ａｄ＿ｉｄ）とが上記したユニーククリック管理テーブルにおいて対応付けて記憶されているか否かを判定する。
そして、広告代理サーバ２０は、対応付けて記憶されていないと判定した場合、上記したユニーククリック管理テーブルに固体識別番号（ｔ＿ｉｄ）と広告ＩＤ（ａｄ＿ｉｄ）とを対応付けて記憶した上で、ユニーククリック値（ｕｃ＿ｖａｌｕｅ）に「１」を格納する。
他方、広告代理サーバ２０は、対応付けて記憶されていると判定した場合、上記したユニーククリック管理テーブルに固体識別番号（ｔ＿ｉｄ）と広告ＩＤ（ａｄ＿ｉｄ）とを対応付けて記憶することなく、ユニーククリック値（ｕｃ＿ｖａｌｕｅ）に「０」を格納する。
なお、ユニーククリック値（ｕｃ＿ｖａｌｕｅ）とは、広告代理サーバ２０の記憶手段上に領域を確保される変数であり、「１」がユニーククリックを示し、「０」が非ユニーククリックを示す。
【０１６６】
なお、広告代理サーバ２０は、任意のタイミングで、ユニーククリック値（ｕｃ＿ｖａｌｕｅ）が「１」であるのか「０」であるのかを判定する。
そして、広告代理サーバ２０は、ユニーククリック値（ｕｃ＿ｖａｌｕｅ）が「１」であれば、広告主に広告費を課金する処理と、Ｗｅｂページ（アフィリエイターサイト）を運営するアフィリエイターに報酬を支払う処理と、を実行する。
【０１６７】
なお、広告代理サーバ２０は、広告費を課金する広告主を、携帯電話６０から受信した広告ＩＤ（ａｄ＿ｉｄ）に基づき特定する。この広告ＩＤ（ａｄ＿ｉｄ）により識別される広告コンテンツを出稿した広告主が、広告費を課金する広告主である。
【０１６８】
また、広告代理サーバ２０は、報酬を支払うアフィリエイターを、携帯電話６０から受信したアフィリエイターサイトＩＤ（ｐｓ＿ｉｄ）に基づき特定する。このアフィリエイターサイトＩＤ（ｐｓ＿ｉｄ）により識別されるＷｅｂページ（アフィリエイターサイト）を運営するアフィリエイターが、報酬を支払うアフィリエイターである。
【０１６９】
（ステップｂ１−９）
次に、広告代理サーバ２０が、携帯電話６０に対して、広告主サーバ７０上のＷｅｂページ（広告主サイト）のアドレス（ｃｓ＿ａｄｄｒｅｓｓ）を送信する（ステップｂ１−９）。
【０１７０】
広告代理サーバ２０は、広告ＩＤ（ａｄ＿ｉｄ）と広告主サーバ７０上のＷｅｂページ（広告主サイト）のアドレス（ｃｓ＿ａｄｄｒｅｓｓ）とを対応付けて記憶する広告管理テーブルを備えている。広告代理サーバ２０は、この広告管理テーブルから、携帯電話６０から受信した広告ＩＤ（ａｄ＿ｉｄ）に対応付けて記憶されている広告主サーバ上のＷｅｂページ（広告主サイト）のアドレス（ｃｓ＿ａｄｄｒｅｓｓ）を取得し、携帯電話６０に対して送信する。
【０１７１】
（ステップｂ１−１０）
次に、携帯電話６０が、広告主サーバ７０に対して、リクエストを送信する（ステップｂ１−１０）。このリクエストは、広告代理サーバ２０から受信した広告主サーバ７０上のＷｅｂページ（広告主サイト）のアドレス（ｃｓ＿ａｄｄｒｅｓｓ）に基づいて送信される。
【０１７２】
（ステップｂ１−１１）
そして、広告主サーバ７０が、携帯電話６０に対して、Ｗｅｂページ（広告主サイト）を送信する（ステップｂ１−１１）。
【０１７３】
（第２実施形態に係る広告配信システムＢの第２構成例ｂ２）
図８は、第２実施形態に係る広告配信システムＢの第２構成例ｂ２を説明する図である。
この第２実施形態に係る広告配信システムＢの第２構成例ｂ２においては、インターネット８０を介して接続された各装置が、次の装置としてそれぞれ構成される。
・Ｗｅｂサーバ４０：（１）媒体送信装置
・携帯電話６０    ：（２）クライアント装置、（６）媒体記述装置
・広告主サーバ７０：（３）広告主装置
・広告代理サーバ２０：（４）費用報酬管理装置、（５）クリックコントロール装置
【０１７４】
以下、図８を参照しつつ、第２実施形態に係る広告配信システムＢの第２構成例ｂ２を説明する。
【０１７５】
（ステップｂ２−１）
まず、アフィリエイター端末３０が、Ｗｅｂサーバ４０に対して、広告代理サーバ２０のアドレス（ａａｓ＿ａｄｄｒｅｓｓ）とアフィリエイターサイトＩＤ（ｐｓ＿ｉｄ）とが記述されたＷｅｂページ（アフィリエイターサイト）を送信する（ステップｂ２−１）。
【０１７６】
アフィリエイターサイトＩＤ（ｐｓ＿ｉｄ）とは、Ｗｅｂページ（アフィリエイターサイト）を識別できる値である。
【０１７７】
（ステップｂ２−２）
次に、携帯電話６０が、Ｗｅｂサーバ４０に対して、リクエストを送信する（ステップｂ２−２）。
【０１７８】
（ステップｂ２−３）
次に、Ｗｅｂサーバ４０が、携帯電話６０に対して、広告代理サーバ２０のアドレス（ａａｓ＿ａｄｄｒｅｓｓ）とアフィリエイターサイトＩＤ（ｐｓ＿ｉｄ）とが記述されたＷｅｂページ（アフィリエイターサイト）を送信する（ステップｂ２−３）。
【０１７９】
（ステップｂ２−４）
次に、携帯電話６０が、広告代理サーバ２０に対して、リクエストを送信する（ステップｂ２−４）。
このリクエストは、Ｗｅｂサーバ４０から受信したＷｅｂページ（アフィリエイターサイト）に記述されている広告代理サーバ２０のアドレス（ａａｓ＿ａｄｄｒｅｓｓ）に基づいて送信される。
このリクエストに際しては、携帯電話６０の固体識別番号（ｔ＿ｉｄ）が、携帯電話６０から広告代理サーバ２０に対して送信される。
【０１８０】
（ステップｂ２−５：クリックコントロール値生成処理）
次に、広告代理サーバ２０が、クリックコントロール値生成処理を実行する（ステップｂ２−５）。
【０１８１】
広告代理サーバ２０は、広告ＩＤ（ａｄ＿ｉｄ）と固体識別番号（ｔ＿ｉｄ）とが対応付可能に記憶されたユニーククリック管理テーブルを具備している。
クリックコントロール値生成処理は、このユニーククリック管理テーブルと、携帯電話６０から受信した固体識別番号（ｔ＿ｉｄ）と、を用いて実行される。
【０１８２】
具体的に説明すると、広告代理サーバ２０は、まず、携帯電話６０から受信した固体識別番号（ｔ＿ｉｄ）に対応付けられていない広告ＩＤ（ａｄ＿ｉｄ）が、ユニーククリック管理テーブルに記憶されているか否かを判定する。
そして、広告代理サーバ２０は、対応付けられていない広告ＩＤ（ａｄ＿ｉｄ）がユニーククリック管理テーブルに記憶されていると判定した場合には、その対応付けられていない広告ＩＤ（ａｄ＿ｉｄ）とこの広告ＩＤ（ａｄ＿ｉｄ）により識別される広告コンテンツとをクリックコントロール値（ｃｃ＿ｖａｌｕｅ）とする。
他方、広告代理サーバ２０は、対応付けられていない広告ＩＤ（ａｄ＿ｉｄ）がユニーククリック管理テーブルに記憶されていないと判定した場合には、ＮＵＬＬ値をクリックコントロール値（ｃｃ＿ｖａｌｕｅ）とする。
【０１８３】
（ステップｂ２−６）
次に、広告代理サーバ２０が、携帯電話６０に対して、クリックコントロール値（ｃｃ＿ｖａｌｕｅ）を送信する（ステップｂ２−６）。
【０１８４】
携帯電話６０は、広告代理サーバ２０からクリックコントロール値（ｃｃ＿ｖａｌｕｅ）を受信した場合、これをＷｅｂページ（アフィリエイターサイト）に記述する。
【０１８５】
以上の処理により、携帯電話６０上で閲覧されるＷｅｂページ（アフィリエイターサイト）には、広告代理サーバ２０のアドレス（ａａｓ＿ａｄｄｒｅｓｓ）、アフィリエイターサイトＩＤ（ｐｓ＿ｉｄ）、およびクリックコントロール値（ｃｃ＿ｖａｌｕｅ）が記述されていることになる。
【０１８６】
なお、この第２構成例ｂ２においては、広告ＩＤ（ａｄ＿ｉｄ）と広告コンテンツとがクリックコントロール値（ｃｃ＿ｖａｌｕｅ）としてＷｅｂページ（アフィリエイターサイト）に記述されている場合と、ＮＵＬＬ値がクリックコントロール値（ｃｃ＿ｖａｌｕｅ）としてＷｅｂページ（アフィリエイターサイト）に記述されている場合とがあるが、以下では、広告ＩＤ（ａｄ＿ｉｄ）と広告コンテンツとがクリックコントロール値（ｃｃ＿ｖａｌｕｅ）としてＷｅｂページ（アフィリエイターサイト）に記述されているとして、説明を続ける。
【０１８７】
（ステップｂ２−７）
次に、携帯電話６０が、広告代理サーバ２０に対して、リクエストを送信する（ステップｂ２−７）。
【０１８８】
このリクエストは、Ｗｅｂページ（アフィリエイターサイト）に記述されている広告コンテンツが携帯電話６０上でクリックされた場合に、Ｗｅｂページ（アフィリエイターサイト）に記述されている広告代理サーバ２０のアドレス（ａａｓ＿ａｄｄｒｅｓｓ）に基づいて送信される。
このリクエストに際しては、Ｗｅｂページ（アフィリエイターサイト）に記述されているアフィリエイターサイトＩＤ（ｐｓ＿ｉｄ）および広告ＩＤ（ａｄ＿ｉｄ）と、携帯電話６０の固体識別番号（ｔ＿ｉｄ）と、が携帯電話６０から広告代理サーバ２０に対して送信される。
【０１８９】
（ステップｂ２−８：ユニーククリック判定処理）
次に、広告代理サーバ２０が、ユニーククリック判定処理を実行する（ｂ２−８）。
【０１９０】
このユニーククリック判定処理は、携帯電話６０上でのクリックがユニーククリックであったのか否か、すなわち、携帯電話６０から受信した広告ＩＤ（ａｄ＿ｉｄ）により識別される広告コンテンツが、携帯電話６０（携帯電話６０から受信した固体識別番号（ｔ＿ｉｄ）によって識別される。）によって初めてクリックされたのか否かを判定する処理である。
具体的に説明すると、広告代理サーバ２０は、まず、携帯電話６０から受信した固体識別番号（ｔ＿ｉｄ）と広告ＩＤ（ａｄ＿ｉｄ）とが上記したユニーククリック管理テーブルにおいて対応付けて記憶されているか否かを判定する。
そして、広告代理サーバ２０は、対応付けて記憶されていないと判定した場合、上記したユニーククリック管理テーブルに固体識別番号（ｔ＿ｉｄ）と広告ＩＤ（ａｄ＿ｉｄ）とを対応付けて記憶した上で、ユニーククリック値（ｕｃ＿ｖａｌｕｅ）に「１」を格納する。
他方、広告代理サーバ２０は、対応付けて記憶されていると判定した場合、上記したユニーククリック管理テーブルに固体識別番号（ｔ＿ｉｄ）と広告ＩＤ（ａｄ＿ｉｄ）とを対応付けて記憶することなく、ユニーククリック値（ｕｃ＿ｖａｌｕｅ）に「０」を格納する。
なお、ユニーククリック値（ｕｃ＿ｖａｌｕｅ）とは、広告代理サーバ２０の記憶手段上に領域を確保される変数であり、「１」がユニーククリックを示し、「０」が非ユニーククリックを示す。
【０１９１】
なお、広告代理サーバ２０は、任意のタイミングで、ユニーククリック値（ｕｃ＿ｖａｌｕｅ）が「１」であるのか「０」であるのかを判定する。
そして、広告代理サーバ２０は、ユニーククリック値（ｕｃ＿ｖａｌｕｅ）が「１」であれば、広告主に広告費を課金する処理と、Ｗｅｂページ（アフィリエイターサイト）を運営するアフィリエイターに報酬を支払う処理と、を実行する。
【０１９２】
なお、広告代理サーバ２０は、広告費を課金する広告主を、携帯電話６０から受信した広告ＩＤ（ａｄ＿ｉｄ）に基づき特定する。この広告ＩＤ（ａｄ＿ｉｄ）により識別される広告コンテンツを出稿した広告主が、広告費を課金する広告主である。
【０１９３】
また、広告代理サーバ２０は、報酬を支払うアフィリエイターを、携帯電話６０から受信したアフィリエイターサイトＩＤ（ｐｓ＿ｉｄ）に基づき特定する。このアフィリエイターサイトＩＤ（ｐｓ＿ｉｄ）により識別されるＷｅｂページ（アフィリエイターサイト）を運営するアフィリエイターが、報酬を支払うアフィリエイターである。
【０１９４】
（ステップｂ２−９）
次に、広告代理サーバ２０が、携帯電話６０に対して、広告主サーバ７０上のＷｅｂページ（広告主サイト）のアドレス（ｃｓ＿ａｄｄｒｅｓｓ）を送信する（ステップｂ２−９）。
【０１９５】
広告代理サーバ２０は、広告ＩＤ（ａｄ＿ｉｄ）と広告主サーバ７０上のＷｅｂページ（広告主サイト）のアドレス（ｃｓ＿ａｄｄｒｅｓｓ）とを対応付けて記憶する広告管理テーブルを備えている。広告代理サーバ２０は、この広告管理テーブルから、携帯電話６０から受信した広告ＩＤ（ａｄ＿ｉｄ）に対応付けて記憶されている広告主サーバ上のＷｅｂページ（広告主サイト）のアドレス（ｃｓ＿ａｄｄｒｅｓｓ）を取得し、携帯電話６０に対して送信する。
【０１９６】
（ステップｂ２−１０）
次に、携帯電話６０が、広告主サーバ７０に対して、リクエストを送信する（ステップｂ２−１０）。このリクエストは、広告代理サーバ２０から受信した広告主サーバ７０上のＷｅｂページ（広告主サイト）のアドレス（ｃｓ＿ａｄｄｒｅｓｓ）に基づいて送信される。
【０１９７】
（ステップｂ２−１１）
そして、広告主サーバ７０が、携帯電話６０に対して、Ｗｅｂページ（広告主サイト）を送信する（ステップｂ２−１１）。
【０１９８】
［第３実施形態に係る広告配信システムＣ］
図９は、第３実施形態に係る広告配信システムＣの概略構成図である。
図９に示すように、第３実施形態に係る広告配信システムＣは、クリックコントロールサーバ１０と、ポイントサイトサーバ９０と、基地局５０と、携帯電話６０と、広告主サーバ７０と、がインターネット８０を介して接続された広告配信システムである。携帯電話６０は、基地局５０を介してインターネット８０上の装置と通信を行う。
【０１９９】
第３実施形態に係る広告配信システムＣは、ユニーククリック保証型のポイントシステムとして構成されており、概略、次のように動作する。
【０２００】
・広告主の商品・サービスを広告する広告コンテンツが、ポイントサイト、すなわち、ポイントサイトサーバ９０から携帯電話６０に対して送信されるＷｅｂページ（または送信されたＷｅｂページ）に記述され、携帯電話６０上で閲覧される。
・広告コンテンツが携帯電話６０上でクリックされた場合、広告主サイト、すなわち、広告主の商品・サービスを示すデータを記述されたＷｅｂページが、広告主サーバ７０から携帯電話６０に送信され、携帯電話６０上で閲覧される。
・クリックされた広告コンテンツが、その携帯電話６０によって今まで一度もクリックされたことがなかった場合、ポイントサイトサーバ９０などにより、広告主に広告費を課金する処理と、広告コンテンツの閲覧者に対してポイントを付与する処理とが、実行される。
【０２０１】
（第３実施形態に係る広告配信システムＣの第１構成例ｃ１）
図１０は、第３実施形態に係る広告配信システムＣの第１構成例ｃ１を説明する図である。
【０２０２】
この第３実施形態に係る広告配信システムＣの第１構成例ｃ１においては、インターネット８０を介して接続された各装置が、次の装置としてそれぞれ構成される。
・ポイントサイトサーバ９０：（１）媒体送信装置、（６）媒体記述装置、（４）費用報酬管理装置、リダイレクト中継装置
・携帯電話６０            ：（２）クライアント装置
・広告主サーバ７０        ：（３）広告主装置
・クリックコントロールサーバ１０：（５）クリックコントロール装置
【０２０３】
以下、図１０を参照しつつ、第３実施形態に係る広告配信システムＣの第１構成例ｃ１を説明する。
【０２０４】
（ステップｃ１−１）
まず、携帯電話６０が、ポイントサイトサーバ９０に対して、リクエストを送信する（ステップｃ１−１）。このリクエストに際しては、携帯電話６０の固体識別番号（ｔ＿ｉｄ）が、携帯電話６０からポイントサイトサーバ９０に対して送信される。
【０２０５】
（ステップｃ１−２）
次に、ポイントサイトサーバ９０が、クリックコントロールサーバ１０に対して、リクエストを送信する（ステップｃ１−２）。
このリクエストは、ポイントサイトサーバ９０の記憶手段に記憶されているクリックコントロールサーバ１０のアドレス（ｃｃｓ＿ａｄｄｒｅｓｓ）に基づいて送信される。
このリクエストに際しては、携帯電話６０から受信した固体識別番号（ｔ＿ｉｄ）が、ポイントサイトサーバ９０からクリックコントロールサーバ１０に対して送信される。
【０２０６】
（ステップｃ１−３：クリックコントロール値生成処理）
次に、クリックコントロールサーバ１０が、クリックコントロール値生成処理を実行する（ステップｃ１−３）。
【０２０７】
クリックコントロールサーバ１０は、広告ＩＤ（ａｄ＿ｉｄ）と固体識別番号（ｔ＿ｉｄ）とが対応付可能に記憶されたユニーククリック管理テーブルを具備している。
クリックコントロール値生成処理は、このユニーククリック管理テーブルと、ポイントサイトサーバ９０から受信した固体識別番号（ｔ＿ｉｄ）と、を用いて実行される。
【０２０８】
具体的に説明すると、クリックコントロールサーバ１０は、まず、ポイントサイトサーバ９０から受信した固体識別番号（ｔ＿ｉｄ）に対応付けられていない広告ＩＤ（ａｄ＿ｉｄ）が、ユニーククリック管理テーブルに記憶されているか否かを判定する。
そして、クリックコントロールサーバ１０は、対応付けられていない広告ＩＤ（ａｄ＿ｉｄ）がユニーククリック管理テーブルに記憶されていると判定した場合には、その対応付けられていない広告ＩＤ（ａｄ＿ｉｄ）とこの広告ＩＤ（ａｄ＿ｉｄ）により識別される広告コンテンツとをクリックコントロール値（ｃｃ＿ｖａｌｕｅ）とする。
他方、クリックコントロールサーバ１０は、対応付けられていない広告ＩＤ（ａｄ＿ｉｄ）がユニーククリック管理テーブルに記憶されていないと判定した場合には、ＮＵＬＬ値をクリックコントロール値（ｃｃ＿ｖａｌｕｅ）とする。
【０２０９】
（ステップｃ１−４）
次に、クリックコントロールサーバ１０が、ポイントサイトサーバ９０に対して、クリックコントロール値（ｃｃ＿ｖａｌｕｅ）を送信する（ステップｃ１−４）。
【０２１０】
（ステップｃ１−５）
次に、ポイントサイトサーバ９０が、ポイントサイトサーバ９０のアドレス（ｐｓｓ＿ａｄｄｒｅｓｓ）とクリックコントロールサーバ１０から受信したクリックコントロール値（ｃｃ＿ｖａｌｕｅ）とをＷｅｂページ（ポイントサイト）に記述し、携帯電話６０に対して送信する（ステップｃ１−５）。
なお、ポイントサイトサーバ９０のアドレスは、ポイントサイトサーバ９０の記憶手段に記憶されている。
【０２１１】
以上の処理により、携帯電話６０上で閲覧されるＷｅｂページ（ポイントサイト）には、ポイントサイトサーバ９０のアドレス（ｐｓｓ＿ａｄｄｒｅｓｓ）、クリックコントロール値（ｃｃ＿ｖａｌｕｅ）が記述されていることになる。
【０２１２】
なお、この第１構成例ｃ１においては、広告ＩＤ（ａｄ＿ｉｄ）と広告コンテンツとがクリックコントロール値（ｃｃ＿ｖａｌｕｅ）としてＷｅｂページ（ポイントサイト）に記述されている場合と、ＮＵＬＬ値がクリックコントロール値（ｃｃ＿ｖａｌｕｅ）としてＷｅｂページ（ポイントサイト）に記述されている場合とがあるが、以下では、広告ＩＤ（ａｄ＿ｉｄ）と広告コンテンツとがクリックコントロール値（ｃｃ＿ｖａｌｕｅ）としてＷｅｂページ（ポイントサイト）に記述されているとして、説明を続ける。
【０２１３】
（ステップｃ１−６）
次に、携帯電話６０が、ポイントサイトサーバ９０に対して、リクエストを送信する（ステップｃ１−６）。
【０２１４】
このリクエストは、Ｗｅｂページ（ポイントサイト）に記述されている広告コンテンツが携帯電話６０上でクリックされた場合に、Ｗｅｂページ（ポイントサイト）に記述されているポイントサイトサーバ９０のアドレス（ｐｓｓ＿ａｄｄｒｅｓｓ）に基づいて送信される。
このリクエストに際しては、Ｗｅｂページ（ポイントサイト）に記述されている広告ＩＤ（ａｄ＿ｉｄ）と、携帯電話６０に入力された（または携帯電話６０の記憶手段に記憶されている）会員ＩＤ（ｍ＿ｉｄ）とが、携帯電話６０からポイントサイトサーバ９０に対して送信される。なお、会員ＩＤ（ｍ＿ｉｄ）は、広告コンテンツの閲覧者を識別できる値であり、ポイントサイトサーバ９０から携帯電話６０に対してあらかじめ送信されている。
【０２１５】
（ステップｃ１−７）
次に、ポイントサイトサーバ９０が、携帯電話６０に対して、クリックコントロールサーバ１０のアドレス（ｃｃｓ＿ａｄｄｒｅｓｓ）とポイントセッションＩＤ（ｐ＿ｓｅｓｓｉｏｎ＿ｉｄ）とポイントサイトサーバ識別ＩＤ（ｐｓｓ＿ｉｄ）と携帯電話６０から受信した広告ＩＤ（ａｄ＿ｉｄ）とを送信する（ステップｃ１−７）。
【０２１６】
ポイントセッションＩＤ（ｐ＿ｓｅｓｓｉｏｎ＿ｉｄ）は、携帯電話６０から受信した広告ＩＤ（ａｄ＿ｉｄ）と会員ＩＤ（ｍ＿ｉｄ）とを一意に特定する値であり、携帯電話６０からリクエストを受信した場合に、ポイントサイトサーバ９０において生成される。
生成されたポイントセッションＩＤ（ｐ＿ｓｅｓｓｉｏｎ＿ｉｄ）と携帯電話６０から受信した広告ＩＤ（ａｄ＿ｉｄ）と会員ＩＤ（ｍ＿ｉｄ）とは、ポイントサイトサーバ９０の記憶手段に対応付けて記憶される。
【０２１７】
なお、ポイントサイトサーバ識別ＩＤ（ｐｓｓ＿ｉｄ）とは、ポイントサイトサーバを識別できる値であり、ポイントサイトサーバ９０の記憶手段にあらかじめ記憶されている。
【０２１８】
（ステップｃ１−８）
次に、携帯電話６０が、クリックコントロールサーバ１０に対して、リクエストを送信する（ステップｃ１−８）。
このリクエストは、ポイントサイトサーバ９０から受信したクリックコントロールサーバ１０のアドレス（ｃｃｓ＿ａｄｄｒｅｓｓ）に基づいて送信される。
このリクエストに際しては、ポイントサイトサーバ９０から受信したポイントセッションＩＤ（ｐ＿ｓｅｓｓｉｏｎ＿ｉｄ）、ポイントサイトサーバ識別ＩＤ（ｐｓｓ＿ｉｄ）、および広告ＩＤ（ａｄ＿ｉｄ）と、携帯電話６０の固体識別番号（ｔ＿ｉｄ）と、が携帯電話６０からクリックコントロールサーバ１０に対して送信される。
【０２１９】
（ステップｃ１−９：ユニーククリック判定処理）
次に、クリックコントロールサーバ１０が、ユニーククリック判定処理を実行する（ｃ１−９）。
【０２２０】
このユニーククリック判定処理は、携帯電話６０上でのクリックがユニーククリックであったのか否か、すなわち、携帯電話６０から受信した広告ＩＤ（ａｄ＿ｉｄ）により識別される広告コンテンツが、携帯電話６０（携帯電話６０から受信した固体識別番号（ｔ＿ｉｄ）によって識別される。）によって初めてクリックされたのか否かを判定する処理である。
具体的に説明すると、クリックコントロールサーバ１０は、まず、携帯電話６０から受信した固体識別番号（ｔ＿ｉｄ）と広告ＩＤ（ａｄ＿ｉｄ）とが上記したユニーククリック管理テーブルにおいて対応付けて記憶されているか否かを判定する。
そして、クリックコントロールサーバ１０は、対応付けて記憶されていないと判定した場合、上記したユニーククリック管理テーブルに固体識別番号（ｔ＿ｉｄ）と広告ＩＤ（ａｄ＿ｉｄ）とを対応付けて記憶した上で、ユニーククリック値（ｕｃ＿ｖａｌｕｅ）に「１」を格納する。
他方、クリックコントロールサーバ１０は、対応付けて記憶されていると判定した場合、上記したユニーククリック管理テーブルに固体識別番号（ｔ＿ｉｄ）と広告ＩＤ（ａｄ＿ｉｄ）とを対応付けて記憶することなく、ユニーククリック値（ｕｃ＿ｖａｌｕｅ）に「０」を格納する。
なお、ユニーククリック値（ｕｃ＿ｖａｌｕｅ）とは、クリックコントロールサーバ１０の記憶手段上に領域を確保される変数であり、「１」がユニーククリックを示し、「０」が非ユニーククリックを示す。
【０２２１】
（ステップｃ１−１０）
次に、クリックコントロールサーバ１０が、ポイントサイトサーバ９０に対して、ユニーククリック値（ｕｃ＿ｖａｌｕｅ）とポイントセッションＩＤ（ｐ＿ｓｅｓｓｉｏｎ＿ｉｄ）とを送信する（ステップｃ１−１０）。
クリックコントロールサーバ１０は、ポイントサイトサーバ識別ＩＤ（ｐｓｓ＿ｉｄ）とポイントサイトサーバのアドレス（ｐｓｓ＿ａｄｄｒｅｓｓ）とが対応付けて記憶されたサーバ管理テーブルを具備している。
クリックコントロールサーバ１０は、このサーバ管理テーブルから、携帯電話６０から受信したポイントサイトサーバ識別ＩＤ（ｐｓｓ＿ｉｄ）に対応付けられているポイントサイトサーバ９０のアドレス（ｐｓｓ＿ａｄｄｒｅｓｓ）を取得し、この取得したポイントサイトサーバ９０のアドレス（ｐｓｓ＿ａｄｄｒｅｓｓ）に基づいて、ユニーククリック値（ｕｃ＿ｖａｌｕｅ）とポイントセッションＩＤ（ｐ＿ｓｅｓｓｉｏｎ＿ｉｄ）とをポイントサイトサーバ９０に対して送信する。
【０２２２】
ポイントサイトサーバ９０は、クリックコントロールサーバ１０からユニーククリック値（ｕｃ＿ｖａｌｕｅ）とポイントセッションＩＤ（ｐ＿ｓｅｓｓｉｏｎ＿ｉｄ）とを受信した場合、ユニーククリック値（ｕｃ＿ｖａｌｕｅ）が「１」であるのか「０」であるのかを判定する。
そして、ポイントサイトサーバ９０は、ユニーククリック値（ｕｃ＿ｖａｌｕｅ）が「１」であれば、広告主に広告費を課金する処理と、広告コンテンツの閲覧者に対してポイントを付与する処理と、を実行する。
【０２２３】
なお、ポイントサイトサーバ９０は、広告費を課金する広告主を、ポイントサイトサーバ９０の記憶手段においてポイントセッションＩＤ（ｐ＿ｓｅｓｓｉｏｎ＿ｉｄ）に対応付けて記憶されている広告ＩＤ（ａｄ＿ｉｄ）に基づき特定する。この広告ＩＤ（ａｄ＿ｉｄ）により識別される広告コンテンツを出稿した広告主が、広告費を課金する広告主である。
【０２２４】
また、ポイントサイトサーバ９０は、ポイントを付与する閲覧者を、ポイントサイトサーバ９０の記憶手段においてポイントセッションＩＤ（ｐ＿ｓｅｓｓｉｏｎ＿ｉｄ）に対応付けて記憶されている会員ＩＤ（ｍ＿ｉｄ）に基づき特定する。この会員ＩＤ（ｍ＿ｉｄ）により識別される閲覧者が、ポイントを付与する閲覧者である。
【０２２５】
（ステップｃ１−１１）
次に、クリックコントロールサーバ１０が、携帯電話６０に対して、広告主サーバ７０上のＷｅｂページ（広告主サイト）のアドレス（ｃｓ＿ａｄｄｒｅｓｓ）を送信する（ステップｃ１−１１）。
【０２２６】
クリックコントロールサーバ１０は、広告ＩＤ（ａｄ＿ｉｄ）と広告主サーバ７０上のＷｅｂページ（広告主サイト）のアドレス（ｃｓ＿ａｄｄｒｅｓｓ）とを対応付けて記憶する広告管理テーブルを備えている。クリックコントロールサーバ１０は、この広告管理テーブルから、携帯電話６０から受信した広告ＩＤ（ａｄ＿ｉｄ）に対応付けて記憶されている広告主サーバ上のＷｅｂページ（広告主サイト）のアドレス（ｃｓ＿ａｄｄｒｅｓｓ）を取得し、携帯電話６０に対して送信する。
【０２２７】
（ステップｃ１−１２）
次に、携帯電話６０が、広告主サーバ７０に対して、リクエストを送信する（ステップｃ１−１２）。このリクエストは、クリックコントロールサーバ１０から受信した広告主サーバ７０上のＷｅｂページ（広告主サイト）のアドレス（ｃｓ＿ａｄｄｒｅｓｓ）に基づいて送信される。
【０２２８】
（ステップｃ１−１３）
そして、広告主サーバ７０が、携帯電話６０に対して、Ｗｅｂページ（広告主サイト）を送信する（ステップｃ１−１３）。
【０２２９】
（第３実施形態に係る広告配信システムＣの第２構成例ｃ２）
図１１は、第３実施形態に係る広告配信システムＣの第２構成例ｃ２を説明する図である。
【０２３０】
この第３実施形態に係る広告配信システムＣの第２構成例ｃ２は、ポイントサイトサーバ９０がリダイレクト中継装置として構成されない点で、第３実施形態に係る広告配信システムＣの第１構成例ｃ１と相違する。
【０２３１】
以下、図１１を参照しつつ、第３実施形態に係る広告配信システムＣの第２構成例ｃ２を説明する。
【０２３２】
（ステップｃ２−１）
まず、携帯電話６０が、ポイントサイトサーバ９０に対して、リクエストを送信する（ステップｃ２−１）。このリクエストに際しては、携帯電話６０の固体識別番号（ｔ＿ｉｄ）が、携帯電話６０からポイントサイトサーバ９０に対して送信される。
【０２３３】
（ステップｃ２−２）
次に、ポイントサイトサーバ９０が、クリックコントロールサーバ１０に対して、リクエストを送信する（ステップｃ２−２）。
このリクエストは、ポイントサイトサーバ９０の記憶手段に記憶されているクリックコントロールサーバ１０のアドレス（ｃｃｓ＿ａｄｄｒｅｓｓ）に基づいて送信される。
このリクエストに際しては、携帯電話６０から受信した固体識別番号（ｔ＿ｉｄ）が、ポイントサイトサーバ９０からクリックコントロールサーバ１０に対して送信される。
【０２３４】
（ステップｃ２−３：クリックコントロール値生成処理）
次に、クリックコントロールサーバ１０が、クリックコントロール値生成処理を実行する（ステップｃ２−３）。
【０２３５】
クリックコントロールサーバ１０は、広告ＩＤ（ａｄ＿ｉｄ）と固体識別番号（ｔ＿ｉｄ）とが対応付可能に記憶されたユニーククリック管理テーブルを具備している。
クリックコントロール値生成処理は、このユニーククリック管理テーブルと、ポイントサイトサーバ９０から受信した固体識別番号（ｔ＿ｉｄ）と、を用いて実行される。
【０２３６】
具体的に説明すると、クリックコントロールサーバ１０は、まず、ポイントサイトサーバ９０から受信した固体識別番号（ｔ＿ｉｄ）に対応付けられていない広告ＩＤ（ａｄ＿ｉｄ）が、ユニーククリック管理テーブルに記憶されているか否かを判定する。
そして、クリックコントロールサーバ１０は、対応付けられていない広告ＩＤ（ａｄ＿ｉｄ）がユニーククリック管理テーブルに記憶されていると判定した場合には、その対応付けられていない広告ＩＤ（ａｄ＿ｉｄ）とこの広告ＩＤ（ａｄ＿ｉｄ）により識別される広告コンテンツとをクリックコントロール値（ｃｃ＿ｖａｌｕｅ）とする。
他方、クリックコントロールサーバ１０は、対応付けられていない広告ＩＤ（ａｄ＿ｉｄ）がユニーククリック管理テーブルに記憶されていないと判定した場合には、ＮＵＬＬ値をクリックコントロール値（ｃｃ＿ｖａｌｕｅ）とする。
【０２３７】
（ステップｃ２−４）
次に、クリックコントロールサーバ１０が、ポイントサイトサーバ９０に対して、クリックコントロール値（ｃｃ＿ｖａｌｕｅ）を送信する（ステップｃ２−４）。
【０２３８】
（ステップｃ２−５）
次に、ポイントサイトサーバ９０が、クリックコントロールサーバ１０のアドレス（ｃｃｓ＿ａｄｄｒｅｓｓ）とポイントサイトサーバ識別ＩＤ（ｐｓｓ＿ｉｄ）とクリックコントロールサーバ１０から受信したクリックコントロール値（ｃｃ＿ｖａｌｕｅ）とをＷｅｂページ（ポイントサイト）に記述し、携帯電話６０に対して送信する（ステップｃ２−５）。
【０２３９】
なお、ポイントサイトサーバ識別ＩＤ（ｐｓｓ＿ｉｄ）とは、ポイントサイトサーバを識別できる値であり、ポイントサイトサーバ９０の記憶手段にあらかじめ記憶されている。
【０２４０】
以上の処理により、携帯電話６０上で閲覧されるＷｅｂページ（ポイントサイト）には、クリックコントロールサーバ１０のアドレス（ｃｃｓ＿ａｄｄｒｅｓｓ）と、ポイントサイトサーバ識別ＩＤ（ｐｓｓ＿ｉｄ）と、クリックコントロール値（ｃｃ＿ｖａｌｕｅ）と、が記述されていることになる。
【０２４１】
なお、この第２構成例ｃ２においては、広告ＩＤ（ａｄ＿ｉｄ）と広告コンテンツとがクリックコントロール値（ｃｃ＿ｖａｌｕｅ）としてＷｅｂページ（ポイントサイト）に記述されている場合と、ＮＵＬＬ値がクリックコントロール値（ｃｃ＿ｖａｌｕｅ）としてＷｅｂページ（ポイントサイト）に記述されている場合とがあるが、以下では、広告ＩＤ（ａｄ＿ｉｄ）と広告コンテンツとがクリックコントロール値（ｃｃ＿ｖａｌｕｅ）としてＷｅｂページ（ポイントサイト）に記述されているとして、説明を続ける。
【０２４２】
（ステップｃ２−６）
次に、携帯電話６０が、クリックコントロールサーバ１０に対して、リクエストを送信する（ステップｃ２−６）。
【０２４３】
このリクエストは、Ｗｅｂページ（ポイントサイト）に記述されている広告コンテンツが携帯電話６０上でクリックされた場合に、Ｗｅｂページ（ポイントサイト）に記述されているクリックコントロールサーバ１０のアドレス（ｃｃｓ＿ａｄｄｒｅｓｓ）に基づいて送信される。
このリクエストに際しては、Ｗｅｂページ（ポイントサイト）に記述されているポイントサイトサーバ識別ＩＤ（ｐｓｓ＿ｉｄ）および広告ＩＤ（ａｄ＿ｉｄ）と、携帯電話６０に入力された（または携帯電話６０の記憶手段に記憶されている）会員ＩＤ（ｍ＿ｉｄ）と、携帯電話６０の固体識別番号（ｔ＿ｉｄ）とが、携帯電話６０からクリックコントロールサーバ１０に対して送信される。なお、会員ＩＤ（ｍ＿ｉｄ）は、広告コンテンツの閲覧者を識別できる値であり、ポイントサイトサーバ９０から携帯電話６０に対してあらかじめ送信されている。
【０２４４】
（ステップｃ２−７：ユニーククリック判定処理）
次に、クリックコントロールサーバ１０が、ユニーククリック判定処理を実行する（ｃ２−７）。
【０２４５】
このユニーククリック判定処理は、携帯電話６０上でのクリックがユニーククリックであったのか否か、すなわち、携帯電話６０から受信した広告ＩＤ（ａｄ＿ｉｄ）により識別される広告コンテンツが、携帯電話６０（携帯電話６０から受信した固体識別番号（ｔ＿ｉｄ）によって識別される。）によって初めてクリックされたのか否かを判定する処理である。
具体的に説明すると、クリックコントロールサーバ１０は、まず、携帯電話６０から受信した固体識別番号（ｔ＿ｉｄ）と広告ＩＤ（ａｄ＿ｉｄ）とが上記したユニーククリック管理テーブルにおいて対応付けて記憶されているか否かを判定する。
そして、クリックコントロールサーバ１０は、対応付けて記憶されていないと判定した場合、上記したユニーククリック管理テーブルに固体識別番号（ｔ＿ｉｄ）と広告ＩＤ（ａｄ＿ｉｄ）とを対応付けて記憶した上で、ユニーククリック値（ｕｃ＿ｖａｌｕｅ）に「１」を格納する。
他方、クリックコントロールサーバ１０は、対応付けて記憶されていると判定した場合、上記したユニーククリック管理テーブルに固体識別番号（ｔ＿ｉｄ）と広告ＩＤ（ａｄ＿ｉｄ）とを対応付けて記憶することなく、ユニーククリック値（ｕｃ＿ｖａｌｕｅ）に「０」を格納する。
なお、ユニーククリック値（ｕｃ＿ｖａｌｕｅ）とは、クリックコントロールサーバ１０の記憶手段上に領域を確保される変数であり、「１」がユニーククリックを示し、「０」が非ユニーククリックを示す。
【０２４６】
（ステップｃ２−８）
次に、クリックコントロールサーバ１０が、ポイントサイトサーバ９０に対して、ユニーククリック値（ｕｃ＿ｖａｌｕｅ）と広告ＩＤ（ａｄ＿ｉｄ）と会員ＩＤ（ｍ＿ｉｄ）とを送信する（ステップｃ２−８）。
クリックコントロールサーバ１０は、ポイントサイトサーバ識別ＩＤ（ｐｓｓ＿ｉｄ）とポイントサイトサーバのアドレス（ｐｓｓ＿ａｄｄｒｅｓｓ）とが対応付けて記憶されたサーバ管理テーブルを具備している。
クリックコントロールサーバ１０は、このサーバ管理テーブルから、携帯電話６０から受信したポイントサイトサーバ識別ＩＤ（ｐｓｓ＿ｉｄ）に対応付けられているポイントサイトサーバ９０のアドレス（ｐｓｓ＿ａｄｄｒｅｓｓ）を取得し、この取得したポイントサイトサーバ９０のアドレス（ｐｓｓ＿ａｄｄｒｅｓｓ）に基づいて、ユニーククリック値（ｕｃ＿ｖａｌｕｅ）と広告ＩＤ（ａｄ＿ｉｄ）と会員ＩＤ（ｍ＿ｉｄ）とをポイントサイトサーバ９０に対して送信する。
【０２４７】
ポイントサイトサーバ９０は、クリックコントロールサーバ１０からユニーククリック値（ｕｃ＿ｖａｌｕｅ）と広告ＩＤ（ａｄ＿ｉｄ）と会員ＩＤ（ｍ＿ｉｄ）とを受信した場合、ユニーククリック値（ｕｃ＿ｖａｌｕｅ）が「１」であるのか「０」であるのかを判定する。
そして、ポイントサイトサーバ９０は、ユニーククリック値（ｕｃ＿ｖａｌｕｅ）が「１」であれば、広告主に広告費を課金する処理と、広告コンテンツの閲覧者に対してポイントを付与する処理と、を実行する。
【０２４８】
なお、ポイントサイトサーバ９０は、広告費を課金する広告主を、クリックコントロールサーバ１０から受信した広告ＩＤ（ａｄ＿ｉｄ）に基づき特定する。この広告ＩＤ（ａｄ＿ｉｄ）により識別される広告コンテンツを出稿した広告主が、広告費を課金する広告主である。
【０２４９】
また、ポイントサイトサーバ９０は、ポイントを付与する閲覧者を、クリックコントロールサーバ１０から受信した会員ＩＤ（ｍ＿ｉｄ）に基づき特定する。この会員ＩＤ（ｍ＿ｉｄ）により識別される閲覧者が、ポイントを付与する閲覧者である。
【０２５０】
（ステップｃ２−９）
次に、クリックコントロールサーバ１０が、携帯電話６０に対して、広告主サーバ７０上のＷｅｂページ（広告主サイト）のアドレス（ｃｓ＿ａｄｄｒｅｓｓ）を送信する（ステップｃ２−９）。
【０２５１】
クリックコントロールサーバ１０は、広告ＩＤ（ａｄ＿ｉｄ）と広告主サーバ７０上のＷｅｂページ（広告主サイト）のアドレス（ｃｓ＿ａｄｄｒｅｓｓ）とを対応付けて記憶する広告管理テーブルを備えている。クリックコントロールサーバ１０は、この広告管理テーブルから、携帯電話６０から受信した広告ＩＤ（ａｄ＿ｉｄ）に対応付けて記憶されている広告主サーバ上のＷｅｂページ（広告主サイト）のアドレス（ｃｓ＿ａｄｄｒｅｓｓ）を取得し、携帯電話６０に対して送信する。
【０２５２】
（ステップｃ２−１０）
次に、携帯電話６０が、広告主サーバ７０に対して、リクエストを送信する（ステップｃ２−１０）。このリクエストは、クリックコントロールサーバ１０から受信した広告主サーバ７０上のＷｅｂページ（広告主サイト）のアドレス（ｃｓ＿ａｄｄｒｅｓｓ）に基づいて送信される。
【０２５３】
（ステップｃ２−１１）
そして、広告主サーバ７０が、携帯電話６０に対して、Ｗｅｂページ（広告主サイト）を送信する（ステップｃ２−１１）。
【０２５４】
（第３実施形態に係る広告配信システムＣの第３構成例ｃ３）
図１２は、第３実施形態に係る広告配信システムＣの第３構成例ｃ３を説明する図である。
【０２５５】
この第３実施形態に係る広告配信システムＣの第３構成例ｃ３においては、インターネット８０を介して接続された各装置が、次の装置としてそれぞれ構成される。
・ポイントサイトサーバ９０：（１）媒体送信装置、（４）費用報酬管理装置、リダイレクト中継装置
・携帯電話６０            ：（２）クライアント装置、（６）媒体記述装置
・広告主サーバ７０        ：（３）広告主装置
・クリックコントロールサーバ１０：（５）クリックコントロール装置
【０２５６】
以下、図１２を参照しつつ、第３実施形態に係る広告配信システムＣの第３構成例ｃ３を説明する。
【０２５７】
（ステップｃ３−１）
まず、携帯電話６０が、ポイントサイトサーバ９０に対して、リクエストを送信する（ステップｃ３−１）。
【０２５８】
（ステップｃ３−２）
次に、ポイントサイトサーバ９０が、携帯電話６０に対して、クリックコントロールサーバ１０のアドレス（ｃｃｓ＿ａｄｄｒｅｓｓ）とポイントサイトサーバ識別ＩＤ（ｐｓｓ＿ｉｄ）とが記述されたＷｅｂページ（ポイントサイト）を送信する（ステップｃ３−２）。
【０２５９】
なお、ポイントサイトサーバ識別ＩＤ（ｐｓｓ＿ｉｄ）とは、ポイントサイトサーバを識別できる値であり、ポイントサイトサーバ９０の記憶手段にあらかじめ記憶されている。
【０２６０】
（ステップｃ３−３）
次に、携帯電話６０が、クリックコントロールサーバ１０に対して、リクエストを送信する（ステップｃ３−３）。
このリクエストは、ポイントサイトサーバ９０から受信したＷｅｂページ（ポイントサイト）に記述されているクリックコントロールサーバ１０のアドレス（ｃｃｓ＿ａｄｄｒｅｓｓ）に基づき送信される。
このリクエストに際しては、ポイントサイトサーバ９０から受信したＷｅｂページ（ポイントサイト）に記述されているポイントサイトサーバ識別ＩＤ（ｐｓｓ＿ｉｄ）と携帯電話６０の固体識別番号（ｔ＿ｉｄ）とが、携帯電話６０からクリックコントロールサーバ１０に対して送信される。
【０２６１】
（ステップｃ３−４：クリックコントロール値生成処理）
次に、クリックコントロールサーバ１０が、クリックコントロール値生成処理を実行する（ステップｃ３−４）。
【０２６２】
クリックコントロールサーバ１０は、広告ＩＤ（ａｄ＿ｉｄ）と固体識別番号（ｔ＿ｉｄ）とが対応付可能に記憶されたユニーククリック管理テーブルを具備している。
クリックコントロール値生成処理は、このユニーククリック管理テーブルと、携帯電話６０から受信した固体識別番号（ｔ＿ｉｄ）と、を用いて実行される。
【０２６３】
具体的に説明すると、クリックコントロールサーバ１０は、まず、携帯電話６０から受信した固体識別番号（ｔ＿ｉｄ）に対応付けられていない広告ＩＤ（ａｄ＿ｉｄ）が、ユニーククリック管理テーブルに記憶されているか否かを判定する。
そして、クリックコントロールサーバ１０は、対応付けられていない広告ＩＤ（ａｄ＿ｉｄ）がユニーククリック管理テーブルに記憶されていると判定した場合には、その対応付けられていない広告ＩＤ（ａｄ＿ｉｄ）とこの広告ＩＤ（ａｄ＿ｉｄ）により識別される広告コンテンツとをクリックコントロール値（ｃｃ＿ｖａｌｕｅ）とする。
他方、クリックコントロールサーバ１０は、対応付けられていない広告ＩＤ（ａｄ＿ｉｄ）がユニーククリック管理テーブルに記憶されていないと判定した場合には、ＮＵＬＬ値をクリックコントロール値（ｃｃ＿ｖａｌｕｅ）とする。
【０２６４】
（ステップｃ３−５）
次に、クリックコントロールサーバ１０が、携帯電話６０に対して、ポイントサイトサーバ９０のアドレス（ｐｓｓ＿ａｄｄｒｅｓｓ）とクリックコントロール値（ｃｃ＿ｖａｌｕｅ）とを送信する（ステップｃ３−５）。
【０２６５】
クリックコントロールサーバ１０は、ポイントサイトサーバ識別ＩＤ（ｐｓｓ＿ｉｄ）とポイントサイトサーバのアドレス（ｐｓｓ＿ａｄｄｒｅｓｓ）とが対応付けて記憶されたサーバ管理テーブルを具備している。
クリックコントロールサーバ１０は、このサーバ管理テーブルから、携帯電話６０から受信したポイントサイトサーバ識別ＩＤ（ｐｓｓ＿ｉｄ）に対応付けられているポイントサイトサーバ９０のアドレス（ｐｓｓ＿ａｄｄｒｅｓｓ）を取得し、クリックコントロール値（ｃｃ＿ｖａｌｕｅ）とともに、携帯電話６０に対して送信する。
【０２６６】
携帯電話６０は、クリックコントロールサーバ１０からポイントサイトサーバ９０のアドレス（ｐｓｓ＿ａｄｄｒｅｓｓ）とクリックコントロール値（ｃｃ＿ｖａｌｕｅ）とを受信した場合、これらをＷｅｂページ（ポイントサイト）に記述する。
【０２６７】
以上の処理により、携帯電話６０上で閲覧されるＷｅｂページ（ポイントサイト）には、ポイントサイトサーバ９０のアドレス（ｐｓｓ＿ａｄｄｒｅｓｓ）とクリックコントロール値（ｃｃ＿ｖａｌｕｅ）とが記述されていることになる。
【０２６８】
なお、この第３構成例ｃ３においては、広告ＩＤ（ａｄ＿ｉｄ）と広告コンテンツとがクリックコントロール値（ｃｃ＿ｖａｌｕｅ）としてＷｅｂページ（ポイントサイト）に記述されている場合と、ＮＵＬＬ値がクリックコントロール値（ｃｃ＿ｖａｌｕｅ）としてＷｅｂページ（ポイントサイト）に記述されている場合とがあるが、以下では、広告ＩＤ（ａｄ＿ｉｄ）と広告コンテンツとがクリックコントロール値（ｃｃ＿ｖａｌｕｅ）としてＷｅｂページ（ポイントサイト）に記述されているとして、説明を続ける。
【０２６９】
（ステップｃ３−６）
次に、携帯電話６０が、ポイントサイトサーバ９０に対して、リクエストを送信する（ステップｃ３−６）。
【０２７０】
このリクエストは、Ｗｅｂページ（ポイントサイト）に記述されている広告コンテンツが携帯電話６０上でクリックされた場合に、Ｗｅｂページ（ポイントサイト）に記述されているポイントサイトサーバ９０のアドレス（ｐｓｓ＿ａｄｄｒｅｓｓ）に基づいて送信される。
このリクエストに際しては、Ｗｅｂページ（ポイントサイト）に記述されている広告ＩＤ（ａｄ＿ｉｄ）と、携帯電話６０に入力された（または携帯電話６０の記憶手段に記憶されている）会員ＩＤ（ｍ＿ｉｄ）とが、携帯電話６０からポイントサイトサーバ９０に対して送信される。なお、会員ＩＤ（ｍ＿ｉｄ）は、広告コンテンツの閲覧者を識別できる値であり、ポイントサイトサーバ９０から携帯電話６０に対してあらかじめ送信されている。
【０２７１】
（ステップｃ３−７）
次に、ポイントサイトサーバ９０が、携帯電話６０に対して、クリックコントロールサーバ１０のアドレス（ｃｃｓ＿ａｄｄｒｅｓｓ）とポイントセッションＩＤ（ｐ＿ｓｅｓｓｉｏｎ＿ｉｄ）とポイントサイトサーバ識別ＩＤ（ｐｓｓ＿ｉｄ）と携帯電話６０から受信した広告ＩＤ（ａｄ＿ｉｄ）とを送信する（ステップｃ３−７）。
【０２７２】
ポイントセッションＩＤ（ｐ＿ｓｅｓｓｉｏｎ＿ｉｄ）は、携帯電話６０から受信した広告ＩＤ（ａｄ＿ｉｄ）と会員ＩＤ（ｍ＿ｉｄ）とを一意に特定する値であり、携帯電話６０からリクエストを受信した場合に、ポイントサイトサーバ９０において生成される。
生成されたポイントセッションＩＤ（ｐ＿ｓｅｓｓｉｏｎ＿ｉｄ）と携帯電話６０から受信した広告ＩＤ（ａｄ＿ｉｄ）と会員ＩＤ（ｍ＿ｉｄ）とは、ポイントサイトサーバ９０の記憶手段に対応付けて記憶される。
【０２７３】
（ステップｃ３−８）
次に、携帯電話６０が、クリックコントロールサーバ１０に対して、リクエストを送信する（ステップｃ３−８）。
このリクエストは、ポイントサイトサーバ９０から受信したクリックコントロールサーバ１０のアドレス（ｃｃｓ＿ａｄｄｒｅｓｓ）に基づいて送信される。
このリクエストに際しては、ポイントサイトサーバ９０から受信したポイントセッションＩＤ（ｐ＿ｓｅｓｓｉｏｎ＿ｉｄ）、ポイントサイトサーバ識別ＩＤ（ｐｓｓ＿ｉｄ）、および広告ＩＤ（ａｄ＿ｉｄ）と、携帯電話６０の固体識別番号（ｔ＿ｉｄ）と、が携帯電話６０からクリックコントロールサーバ１０に対して送信される。
【０２７４】
（ステップｃ３−９：ユニーククリック判定処理）
次に、クリックコントロールサーバ１０が、ユニーククリック判定処理を実行する（ｃ３−９）。
【０２７５】
このユニーククリック判定処理は、携帯電話６０上でのクリックがユニーククリックであったのか否か、すなわち、携帯電話６０から受信した広告ＩＤ（ａｄ＿ｉｄ）により識別される広告コンテンツが、携帯電話６０（携帯電話６０から受信した固体識別番号（ｔ＿ｉｄ）によって識別される。）によって初めてクリックされたのか否かを判定する処理である。
具体的に説明すると、クリックコントロールサーバ１０は、まず、携帯電話６０から受信した固体識別番号（ｔ＿ｉｄ）と広告ＩＤ（ａｄ＿ｉｄ）とが上記したユニーククリック管理テーブルにおいて対応付けて記憶されているか否かを判定する。
そして、クリックコントロールサーバ１０は、対応付けて記憶されていないと判定した場合、上記したユニーククリック管理テーブルに固体識別番号（ｔ＿ｉｄ）と広告ＩＤ（ａｄ＿ｉｄ）とを対応付けて記憶した上で、ユニーククリック値（ｕｃ＿ｖａｌｕｅ）に「１」を格納する。
他方、クリックコントロールサーバ１０は、対応付けて記憶されていると判定した場合、上記したユニーククリック管理テーブルに固体識別番号（ｔ＿ｉｄ）と広告ＩＤ（ａｄ＿ｉｄ）とを対応付けて記憶することなく、ユニーククリック値（ｕｃ＿ｖａｌｕｅ）に「０」を格納する。
なお、ユニーククリック値（ｕｃ＿ｖａｌｕｅ）とは、クリックコントロールサーバ１０の記憶手段上に領域を確保される変数であり、「１」がユニーククリックを示し、「０」が非ユニーククリックを示す。
【０２７６】
（ステップｃ３−１０）
次に、クリックコントロールサーバ１０が、ポイントサイトサーバ９０に対して、ユニーククリック値（ｕｃ＿ｖａｌｕｅ）とポイントセッションＩＤ（ｐ＿ｓｅｓｓｉｏｎ＿ｉｄ）とを送信する（ステップｃ３−１０）。
クリックコントロールサーバ１０は、上記したサーバ管理テーブルから、携帯電話６０から受信したポイントサイトサーバ識別ＩＤ（ｐｓｓ＿ｉｄ）に対応付けられているポイントサイトサーバ９０のアドレス（ｐｓｓ＿ａｄｄｒｅｓｓ）を取得し、この取得したポイントサイトサーバ９０のアドレス（ｐｓｓ＿ａｄｄｒｅｓｓ）に基づいて、ユニーククリック値（ｕｃ＿ｖａｌｕｅ）とポイントセッションＩＤ（ｐ＿ｓｅｓｓｉｏｎ＿ｉｄ）とをポイントサイトサーバ９０に対して送信する。
【０２７７】
ポイントサイトサーバ９０は、クリックコントロールサーバ１０からユニーククリック値（ｕｃ＿ｖａｌｕｅ）とポイントセッションＩＤ（ｐ＿ｓｅｓｓｉｏｎ＿ｉｄ）とを受信した場合、ユニーククリック値（ｕｃ＿ｖａｌｕｅ）が「１」であるのか「０」であるのかを判定する。
そして、ポイントサイトサーバ９０は、ユニーククリック値（ｕｃ＿ｖａｌｕｅ）が「１」であれば、広告主に広告費を課金する処理と、広告コンテンツの閲覧者に対してポイントを付与する処理と、を実行する。
【０２７８】
なお、ポイントサイトサーバ９０は、広告費を課金する広告主を、ポイントサイトサーバ９０の記憶手段においてポイントセッションＩＤ（ｐ＿ｓｅｓｓｉｏｎ＿ｉｄ）に対応付けて記憶されている広告ＩＤ（ａｄ＿ｉｄ）に基づき特定する。この広告ＩＤ（ａｄ＿ｉｄ）により識別される広告コンテンツを出稿した広告主が、広告費を課金する広告主である。
【０２７９】
また、ポイントサイトサーバ９０は、ポイントを付与する閲覧者を、ポイントサイトサーバ９０の記憶手段においてポイントセッションＩＤ（ｐ＿ｓｅｓｓｉｏｎ＿ｉｄ）に対応付けて記憶されている会員ＩＤ（ｍ＿ｉｄ）に基づき特定する。この会員ＩＤ（ｍ＿ｉｄ）により識別される閲覧者が、ポイントを付与する閲覧者である。
【０２８０】
（ステップｃ３−１１）
次に、クリックコントロールサーバ１０が、携帯電話６０に対して、広告主サーバ７０上のＷｅｂページ（広告主サイト）のアドレス（ｃｓ＿ａｄｄｒｅｓｓ）を送信する（ステップｃ３−１１）。
【０２８１】
クリックコントロールサーバ１０は、広告ＩＤ（ａｄ＿ｉｄ）と広告主サーバ７０上のＷｅｂページ（広告主サイト）のアドレス（ｃｓ＿ａｄｄｒｅｓｓ）とを対応付けて記憶する広告管理テーブルを備えている。クリックコントロールサーバ１０は、この広告管理テーブルから、携帯電話６０から受信した広告ＩＤ（ａｄ＿ｉｄ）に対応付けて記憶されている広告主サーバ上のＷｅｂページ（広告主サイト）のアドレス（ｃｓ＿ａｄｄｒｅｓｓ）を取得し、携帯電話６０に対して送信する。
【０２８２】
（ステップｃ３−１２）
次に、携帯電話６０が、広告主サーバ７０に対して、リクエストを送信する（ステップｃ３−１２）。このリクエストは、クリックコントロールサーバ１０から受信した広告主サーバ７０上のＷｅｂページ（広告主サイト）のアドレス（ｃｓ＿ａｄｄｒｅｓｓ）に基づいて送信される。
【０２８３】
（ステップｃ３−１３）
そして、広告主サーバ７０が、携帯電話６０に対して、Ｗｅｂページ（広告主サイト）を送信する（ステップｃ３−１３）。
【０２８４】
（第３実施形態に係る広告配信システムＣの第４構成例ｃ４）
図１３は、第３実施形態に係る広告配信システムＣの第４構成例ｃ４を説明する図である。
【０２８５】
この第３実施形態に係る広告配信システムＣの第４構成例ｃ４は、ポイントサイトサーバ９０がリダイレクト中継装置として構成されない点で、第３実施形態に係る広告配信システムＣの第３構成例ｃ３と相違する。
【０２８６】
以下、図１３を参照しつつ、第３実施形態に係る広告配信システムＣの第４構成例ｃ４を説明する。
【０２８７】
（ステップｃ４−１）
まず、携帯電話６０が、ポイントサイトサーバ９０に対して、リクエストを送信する（ステップｃ４−１）。
【０２８８】
（ステップｃ４−２）
次に、ポイントサイトサーバ９０が、携帯電話６０に対して、クリックコントロールサーバ１０のアドレス（ｃｃｓ＿ａｄｄｒｅｓｓ）とポイントサイトサーバ識別ＩＤ（ｐｓｓ＿ｉｄ）とが記述されたＷｅｂページ（ポイントサイト）を送信する（ステップｃ４−２）。
【０２８９】
なお、ポイントサイトサーバ識別ＩＤ（ｐｓｓ＿ｉｄ）とは、ポイントサイトサーバを識別できる値であり、ポイントサイトサーバ９０の記憶手段にあらかじめ記憶されている。
【０２９０】
（ステップｃ４−３）
次に、携帯電話６０が、クリックコントロールサーバ１０に対して、リクエストを送信する（ステップｃ４−３）。
このリクエストは、ポイントサイトサーバ９０から受信したＷｅｂページ（ポイントサイト）に記述されているクリックコントロールサーバ１０のアドレス（ｃｃｓ＿ａｄｄｒｅｓｓ）に基づき送信される。
このリクエストに際しては、携帯電話６０の固体識別番号（ｔ＿ｉｄ）が、携帯電話６０からクリックコントロールサーバ１０に対して送信される。
【０２９１】
（ステップｃ４−４：クリックコントロール値生成処理）
次に、クリックコントロールサーバ１０が、クリックコントロール値生成処理を実行する（ステップｃ４−４）。
【０２９２】
クリックコントロールサーバ１０は、広告ＩＤ（ａｄ＿ｉｄ）と固体識別番号（ｔ＿ｉｄ）とが対応付可能に記憶されたユニーククリック管理テーブルを具備している。
クリックコントロール値生成処理は、このユニーククリック管理テーブルと、携帯電話６０から受信した固体識別番号（ｔ＿ｉｄ）と、を用いて実行される。
【０２９３】
具体的に説明すると、クリックコントロールサーバ１０は、まず、携帯電話６０から受信した固体識別番号（ｔ＿ｉｄ）に対応付けられていない広告ＩＤ（ａｄ＿ｉｄ）が、ユニーククリック管理テーブルに記憶されているか否かを判定する。
そして、クリックコントロールサーバ１０は、対応付けられていない広告ＩＤ（ａｄ＿ｉｄ）がユニーククリック管理テーブルに記憶されていると判定した場合には、その対応付けられていない広告ＩＤ（ａｄ＿ｉｄ）とこの広告ＩＤ（ａｄ＿ｉｄ）により識別される広告コンテンツとをクリックコントロール値（ｃｃ＿ｖａｌｕｅ）とする。
他方、クリックコントロールサーバ１０は、対応付けられていない広告ＩＤ（ａｄ＿ｉｄ）がユニーククリック管理テーブルに記憶されていないと判定した場合には、ＮＵＬＬ値をクリックコントロール値（ｃｃ＿ｖａｌｕｅ）とする。
【０２９４】
（ステップｃ４−５）
次に、クリックコントロールサーバ１０が、携帯電話６０に対して、クリックコントロール値（ｃｃ＿ｖａｌｕｅ）を送信する（ステップｃ４−５）。
【０２９５】
携帯電話６０は、クリックコントロールサーバ１０からクリックコントロール値（ｃｃ＿ｖａｌｕｅ）を受信した場合、これをＷｅｂページ（ポイントサイト）に記述する。
【０２９６】
以上の処理により、携帯電話６０上で閲覧されるＷｅｂページ（ポイントサイト）には、クリックコントロールサーバ１０のアドレス（ｃｃｓ＿ａｄｄｒｅｓｓ）、ポイントサイトサーバ識別ＩＤ（ｐｓｓ＿ｉｄ）、およびクリックコントロール値（ｃｃ＿ｖａｌｕｅ）が記述されていることになる。
【０２９７】
なお、この第４構成例ｃ４においては、広告ＩＤ（ａｄ＿ｉｄ）と広告コンテンツとがクリックコントロール値（ｃｃ＿ｖａｌｕｅ）としてＷｅｂページ（ポイントサイト）に記述されている場合と、ＮＵＬＬ値がクリックコントロール値（ｃｃ＿ｖａｌｕｅ）としてＷｅｂページ（ポイントサイト）に記述されている場合とがあるが、以下では、広告ＩＤ（ａｄ＿ｉｄ）と広告コンテンツとがクリックコントロール値（ｃｃ＿ｖａｌｕｅ）としてＷｅｂページ（ポイントサイト）に記述されているとして、説明を続ける。
【０２９８】
（ステップｃ４−６）
次に、携帯電話６０が、クリックコントロールサーバ１０に対して、リクエストを送信する（ステップｃ４−６）。
【０２９９】
このリクエストは、Ｗｅｂページ（ポイントサイト）に記述されている広告コンテンツが携帯電話６０上でクリックされた場合に、Ｗｅｂページ（ポイントサイト）に記述されているクリックコントロールサーバ１０のアドレス（ｃｃｓ＿ａｄｄｒｅｓｓ）に基づいて送信される。
このリクエストに際しては、Ｗｅｂページ（ポイントサイト）に記述されているポイントサイトサーバ識別ＩＤ（ｐｓｓ＿ｉｄ）および広告ＩＤ（ａｄ＿ｉｄ）と、携帯電話６０に入力された（または携帯電話６０の記憶手段に記憶されている）会員ＩＤ（ｍ＿ｉｄ）と、携帯電話６０の固体識別番号（ｔ＿ｉｄ）とが、携帯電話６０からクリックコントロールサーバ１０に対して送信される。なお、会員ＩＤ（ｍ＿ｉｄ）は、広告コンテンツの閲覧者を識別できる値であり、ポイントサイトサーバ９０から携帯電話６０に対してあらかじめ送信されている。
【０３００】
（ステップｃ４−７：ユニーククリック判定処理）
次に、クリックコントロールサーバ１０が、ユニーククリック判定処理を実行する（ｃ４−７）。
【０３０１】
このユニーククリック判定処理は、携帯電話６０上でのクリックがユニーククリックであったのか否か、すなわち、携帯電話６０から受信した広告ＩＤ（ａｄ＿ｉｄ）により識別される広告コンテンツが、携帯電話６０（携帯電話６０から受信した固体識別番号（ｔ＿ｉｄ）によって識別される。）によって初めてクリックされたのか否かを判定する処理である。
具体的に説明すると、クリックコントロールサーバ１０は、まず、携帯電話６０から受信した固体識別番号（ｔ＿ｉｄ）と広告ＩＤ（ａｄ＿ｉｄ）とが上記したユニーククリック管理テーブルにおいて対応付けて記憶されているか否かを判定する。
そして、クリックコントロールサーバ１０は、対応付けて記憶されていないと判定した場合、上記したユニーククリック管理テーブルに固体識別番号（ｔ＿ｉｄ）と広告ＩＤ（ａｄ＿ｉｄ）とを対応付けて記憶した上で、ユニーククリック値（ｕｃ＿ｖａｌｕｅ）に「１」を格納する。
他方、クリックコントロールサーバ１０は、対応付けて記憶されていると判定した場合、上記したユニーククリック管理テーブルに固体識別番号（ｔ＿ｉｄ）と広告ＩＤ（ａｄ＿ｉｄ）とを対応付けて記憶することなく、ユニーククリック値（ｕｃ＿ｖａｌｕｅ）に「０」を格納する。
なお、ユニーククリック値（ｕｃ＿ｖａｌｕｅ）とは、クリックコントロールサーバ１０の記憶手段上に領域を確保される変数であり、「１」がユニーククリックを示し、「０」が非ユニーククリックを示す。
【０３０２】
（ステップｃ４−８）
次に、クリックコントロールサーバ１０が、ポイントサイトサーバ９０に対して、ユニーククリック値（ｕｃ＿ｖａｌｕｅ）と広告ＩＤ（ａｄ＿ｉｄ）と会員ＩＤ（ｍ＿ｉｄ）とを送信する（ステップｃ４−８）。
クリックコントロールサーバ１０は、ポイントサイトサーバ識別ＩＤ（ｐｓｓ＿ｉｄ）とポイントサイトサーバのアドレス（ｐｓｓ＿ａｄｄｒｅｓｓ）とが対応付けて記憶されたサーバ管理テーブルを具備している。
クリックコントロールサーバ１０は、このサーバ管理テーブルから、携帯電話６０から受信したポイントサイトサーバ識別ＩＤ（ｐｓｓ＿ｉｄ）に対応付けられているポイントサイトサーバ９０のアドレス（ｐｓｓ＿ａｄｄｒｅｓｓ）を取得し、この取得したポイントサイトサーバ９０のアドレス（ｐｓｓ＿ａｄｄｒｅｓｓ）に基づいて、ユニーククリック値（ｕｃ＿ｖａｌｕｅ）と広告ＩＤ（ａｄ＿ｉｄ）と会員ＩＤ（ｍ＿ｉｄ）とをポイントサイトサーバ９０に対して送信する。
【０３０３】
ポイントサイトサーバ９０は、クリックコントロールサーバ１０からユニーククリック値（ｕｃ＿ｖａｌｕｅ）と広告ＩＤ（ａｄ＿ｉｄ）と会員ＩＤ（ｍ＿ｉｄ）とを受信した場合、ユニーククリック値（ｕｃ＿ｖａｌｕｅ）が「１」であるのか「０」であるのかを判定する。
そして、ポイントサイトサーバ９０は、ユニーククリック値（ｕｃ＿ｖａｌｕｅ）が「１」であれば、広告主に広告費を課金する処理と、広告コンテンツの閲覧者に対してポイントを付与する処理と、を実行する。
【０３０４】
なお、ポイントサイトサーバ９０は、広告費を課金する広告主を、クリックコントロールサーバ１０から受信した広告ＩＤ（ａｄ＿ｉｄ）に基づき特定する。この広告ＩＤ（ａｄ＿ｉｄ）により識別される広告コンテンツを出稿した広告主が、広告費を課金する広告主である。
【０３０５】
また、ポイントサイトサーバ９０は、ポイントを付与する閲覧者を、クリックコントロールサーバ１０から受信した会員ＩＤ（ｍ＿ｉｄ）に基づき特定する。この会員ＩＤ（ｍ＿ｉｄ）により識別される閲覧者が、ポイントを付与する閲覧者である。
【０３０６】
（ステップｃ４−９）
次に、クリックコントロールサーバ１０が、携帯電話６０に対して、広告主サーバ７０上のＷｅｂページ（広告主サイト）のアドレス（ｃｓ＿ａｄｄｒｅｓｓ）を送信する（ステップｃ４−９）。
【０３０７】
クリックコントロールサーバ１０は、広告ＩＤ（ａｄ＿ｉｄ）と広告主サーバ７０上のＷｅｂページ（広告主サイト）のアドレス（ｃｓ＿ａｄｄｒｅｓｓ）とを対応付けて記憶する広告管理テーブルを備えている。クリックコントロールサーバ１０は、この広告管理テーブルから、携帯電話６０から受信した広告ＩＤ（ａｄ＿ｉｄ）に対応付けて記憶されている広告主サーバ上のＷｅｂページ（広告主サイト）のアドレス（ｃｓ＿ａｄｄｒｅｓｓ）を取得し、携帯電話６０に対して送信する。
【０３０８】
（ステップｃ４−１０）
次に、携帯電話６０が、広告主サーバ７０に対して、リクエストを送信する（ステップｃ４−１０）。このリクエストは、クリックコントロールサーバ１０から受信した広告主サーバ７０上のＷｅｂページ（広告主サイト）のアドレス（ｃｓ＿ａｄｄｒｅｓｓ）に基づいて送信される。
【０３０９】
（ステップｃ４−１１）
そして、広告主サーバ７０が、携帯電話６０に対して、Ｗｅｂページ（広告主サイト）を送信する（ステップｃ４−１１）。
【０３１０】
［第４実施形態に係る広告配信システムＤ］
図１４は、第４実施形態に係る広告配信システムＤの概略構成図である。
図１４に示すように、第４実施形態に係る広告配信システムＤは、クリックコントロールサーバ１０を備えていない点で、第３実施形態に係る広告配信システムＣと相違する。
【０３１１】
（第４実施形態に係る広告配信システムＤの構成例ｄ）
図１５は、第４実施形態に係る広告配信システムＤの構成例ｄを説明する図である。
【０３１２】
この第４実施形態に係る広告配信システムＤの構成例ｄにおいては、インターネット８０を介して接続された各装置が、次の装置としてそれぞれ構成される。
・ポイントサイトサーバ９０：（１）媒体送信装置、（４）費用報酬管理装置、（５）クリックコントロール装置、（６）媒体記述装置
・携帯電話６０            ：（２）クライアント装置
・広告主サーバ７０        ：（３）広告主装置
【０３１３】
以下、図１５を参照しつつ、第４実施形態に係る広告配信システムＤの構成例ｄを説明する。
【０３１４】
（ステップｄ−１）
まず、携帯電話６０が、ポイントサイトサーバ９０に対して、リクエストを送信する（ステップｄ−１）。このリクエストに際しては、携帯電話６０の固体識別番号（ｔ＿ｉｄ）が、携帯電話６０からポイントサイトサーバ９０に対して送信される。
【０３１５】
（ステップｄ−２：クリックコントロール値生成処理）
次に、ポイントサイトサーバ９０が、クリックコントロール値生成処理を実行する（ステップｄ−２）。
【０３１６】
ポイントサイトサーバ９０は、広告ＩＤ（ａｄ＿ｉｄ）と固体識別番号（ｔ＿ｉｄ）とが対応付可能に記憶されたユニーククリック管理テーブルを具備している。
クリックコントロール値生成処理は、このユニーククリック管理テーブルと、携帯電話６０から受信した固体識別番号（ｔ＿ｉｄ）と、を用いて実行される。
【０３１７】
具体的に説明すると、ポイントサイトサーバ９０は、まず、携帯電話６０から受信した固体識別番号（ｔ＿ｉｄ）に対応付けられていない広告ＩＤ（ａｄ＿ｉｄ）が、ユニーククリック管理テーブルに記憶されているか否かを判定する。
そして、ポイントサイトサーバ９０は、対応付けられていない広告ＩＤ（ａｄ＿ｉｄ）がユニーククリック管理テーブルに記憶されていると判定した場合には、その対応付けられていない広告ＩＤ（ａｄ＿ｉｄ）とこの広告ＩＤ（ａｄ＿ｉｄ）により識別される広告コンテンツとをクリックコントロール値（ｃｃ＿ｖａｌｕｅ）とする。
他方、ポイントサイトサーバ９０は、対応付けられていない広告ＩＤ（ａｄ＿ｉｄ）がユニーククリック管理テーブルに記憶されていないと判定した場合には、ＮＵＬＬ値をクリックコントロール値（ｃｃ＿ｖａｌｕｅ）とする。
【０３１８】
そして、ポイントサイトサーバ９０は、ポイントサイトサーバ９０の記憶手段にあらかじめ記憶されているポイントサイトサーバ９０のアドレス（ｐｓｓ＿ａｄｄｒｅｓｓ）とクリックコントロール値（ｃｃ＿ｖａｌｕｅ）とをＷｅｂページ（ポイントサイト）に記述する。
【０３１９】
以上の処理により、携帯電話６０上で閲覧されるＷｅｂページ（ポイントサイト）には、ポイントサイトサーバ９０のアドレス（ｐｓｓ＿ａｄｄｒｅｓｓ）とクリックコントロール値（ｃｃ＿ｖａｌｕｅ）とが記述されていることになる。
【０３２０】
なお、この構成例ｄにおいては、広告ＩＤ（ａｄ＿ｉｄ）と広告コンテンツとがクリックコントロール値（ｃｃ＿ｖａｌｕｅ）としてＷｅｂページ（ポイントサイト）に記述されている場合と、ＮＵＬＬ値がクリックコントロール値（ｃｃ＿ｖａｌｕｅ）としてＷｅｂページ（ポイントサイト）に記述されている場合とがあるが、以下では、広告ＩＤ（ａｄ＿ｉｄ）と広告コンテンツとがクリックコントロール値（ｃｃ＿ｖａｌｕｅ）としてＷｅｂページ（ポイントサイト）に記述されているとして、説明を続ける。
【０３２１】
（ステップｄ−３）
次に、ポイントサイトサーバ９０が、携帯電話６０に対して、ポイントサイトサーバ９０のアドレス（ｐｓｓ＿ａｄｄｒｅｓｓ）とクリックコントロール値（ｃｃ＿ｖａｌｕｅ）とが記述されたＷｅｂページ（ポイントサイト）を送信する（ステップｄ−３）。
【０３２２】
（ステップｄ−４）
次に、携帯電話６０が、ポイントサイトサーバ９０に対して、リクエストを送信する（ステップｄ−４）。
【０３２３】
このリクエストは、Ｗｅｂページ（ポイントサイト）に記述されている広告コンテンツが携帯電話６０上でクリックされた場合に、Ｗｅｂページ（ポイントサイト）に記述されているポイントサイトサーバ９０のアドレス（ｐｓｓ＿ａｄｄｒｅｓｓ）に基づいて送信される。
このリクエストに際しては、Ｗｅｂページ（ポイントサイト）に記述されている広告ＩＤ（ａｄ＿ｉｄ）と、携帯電話６０に入力された（または携帯電話６０の記憶手段に記憶されている）会員ＩＤ（ｍ＿ｉｄ）と、携帯電話６０の固体識別番号（ｔ＿ｉｄ）とが、携帯電話６０からポイントサイトサーバ９０に対して送信される。なお、会員ＩＤ（ｍ＿ｉｄ）は、広告コンテンツの閲覧者を識別できる値であり、ポイントサイトサーバ９０から携帯電話６０に対してあらかじめ送信されている。
【０３２４】
（ステップｄ−５：ユニーククリック判定処理）
次に、ポイントサイトサーバ９０が、ユニーククリック判定処理を実行する（ｄ−５）。
【０３２５】
このユニーククリック判定処理は、携帯電話６０上でのクリックがユニーククリックであったのか否か、すなわち、携帯電話６０から受信した広告ＩＤ（ａｄ＿ｉｄ）により識別される広告コンテンツが、携帯電話６０（携帯電話６０から受信した固体識別番号（ｔ＿ｉｄ）によって識別される。）によって初めてクリックされたのか否かを判定する処理である。
具体的に説明すると、ポイントサイトサーバ９０は、まず、携帯電話６０から受信した固体識別番号（ｔ＿ｉｄ）と広告ＩＤ（ａｄ＿ｉｄ）とが上記したユニーククリック管理テーブルにおいて対応付けて記憶されているか否かを判定する。
そして、ポイントサイトサーバ９０は、対応付けて記憶されていないと判定した場合、上記したユニーククリック管理テーブルに固体識別番号（ｔ＿ｉｄ）と広告ＩＤ（ａｄ＿ｉｄ）とを対応付けて記憶した上で、ユニーククリック値（ｕｃ＿ｖａｌｕｅ）に「１」を格納する。
他方、ポイントサイトサーバ９０は、対応付けて記憶されていると判定した場合、上記したユニーククリック管理テーブルに固体識別番号（ｔ＿ｉｄ）と広告ＩＤ（ａｄ＿ｉｄ）とを対応付けて記憶することなく、ユニーククリック値（ｕｃ＿ｖａｌｕｅ）に「０」を格納する。
なお、ユニーククリック値（ｕｃ＿ｖａｌｕｅ）とは、ポイントサイトサーバ９０の記憶手段上に領域を確保される変数であり、「１」がユニーククリックを示し、「０」が非ユニーククリックを示す。
【０３２６】
なお、ポイントサイトサーバ９０は、任意のタイミングで、ユニーククリック値（ｕｃ＿ｖａｌｕｅ）が「１」であるのか「０」であるのかを判定する。
そして、ポイントサイトサーバ９０は、ユニーククリック値（ｕｃ＿ｖａｌｕｅ）が「１」であれば、広告主に広告費を課金する処理と、広告コンテンツの閲覧者に対してポイントを付与する処理と、を実行する。
【０３２７】
なお、ポイントサイトサーバ９０は、広告費を課金する広告主を、携帯電話６０から受信した広告ＩＤ（ａｄ＿ｉｄ）に基づき特定する。この広告ＩＤ（ａｄ＿ｉｄ）により識別される広告コンテンツを出稿した広告主が、広告費を課金する広告主である。
【０３２８】
また、ポイントサイトサーバ９０は、ポイントを付与する閲覧者を、携帯電話６０から受信した会員ＩＤ（ｍ＿ｉｄ）に基づき特定する。この会員ＩＤ（ｍ＿ｉｄ）により識別される閲覧者が、ポイントを付与する閲覧者である。
【０３２９】
（ステップｄ−６）
次に、ポイントサイトサーバ９０が、携帯電話６０に対して、広告主サーバ７０上のＷｅｂページ（広告主サイト）のアドレス（ｃｓ＿ａｄｄｒｅｓｓ）を送信する（ステップｄ−６）。
【０３３０】
ポイントサイトサーバ９０は、広告ＩＤ（ａｄ＿ｉｄ）と広告主サーバ７０上のＷｅｂページ（広告主サイト）のアドレス（ｃｓ＿ａｄｄｒｅｓｓ）とを対応付けて記憶する広告管理テーブルを備えている。ポイントサイトサーバ９０は、この広告管理テーブルから、携帯電話６０から受信した広告ＩＤ（ａｄ＿ｉｄ）に対応付けて記憶されている広告主サーバ上のＷｅｂページ（広告主サイト）のアドレス（ｃｓ＿ａｄｄｒｅｓｓ）を取得し、携帯電話６０に対して送信する。
【０３３１】
（ステップｄ−７）
次に、携帯電話６０が、広告主サーバ７０に対して、リクエストを送信する（ステップｄ−７）。このリクエストは、ポイントサイトサーバ９０から受信した広告主サーバ７０上のＷｅｂページ（広告主サイト）のアドレス（ｃｓ＿ａｄｄｒｅｓｓ）に基づいて送信される。
【０３３２】
（ステップｄ−８）
そして、広告主サーバ７０が、携帯電話６０に対して、Ｗｅｂページ（広告主サイト）を送信する（ステップｄ−８）。
【０３３３】
以上、本発明の実施形態に係る広告配信システムをさらに具体化させた第１〜４実施形態に係る広告配信システムＡ〜Ｄについて説明した。
以下では、クリックコントロールサーバ１０、広告代理サーバ２０、ポイントサイトサーバ９０について、より詳細に説明する。
【０３３４】
［クリックコントロールサーバ１０（広告代理サーバ２０、ポイントサイトサーバ９０）］
図１６は、クリックコントロールサーバ１０（広告代理サーバ２０、ポイントサイトサーバ９０）の概略構成を示す図である。
図１６に示すように、クリックコントロールサーバ１０（広告代理サーバ２０、ポイントサイトサーバ９０）は、ＣＰＵ１１（２１、９１）と、ＲＡＭ１２（２２、９２）と、ブートプログラムなどが記憶されたＲＯＭ１３（２３、９３）と、記憶手段の一例であるストレージ１４（２４、９４）と、ネットワークインターフェースカード１５（２５、９５）と、を具備している。なお、図１６中、ネットワークインターフェースカードは、「ＮＩＣ」と記している。
【０３３５】
クリックコントロールサーバ１０（広告代理サーバ２０、ポイントサイトサーバ９０）は、ストレージ１４（２４、９４）に記憶されているプログラムを、ＲＡＭ１２（２２、９２）に読み出して、ＣＰＵ１１（２１、９１）で実行することにより、各種の処理を行う。
【０３３６】
［ストレージ１４（２４、９４）］
クリックコントロールサーバ１０のストレージ１４と、クリックコントロール装置として構成される場合における広告代理サーバ２０のストレージ２４と、クリックコントロール装置として構成される場合におけるポイントサイトサーバ９０のストレージ９４には、次に説明するテーブルが記憶されている。
【０３３７】
図１７は、ストレージ１４（２４、９４）に記憶されるテーブルの概略構成を示す図である。図１７に示すように、ストレージ１４（２４、９４）には、（ａ）ユニーククリック管理テーブルと、（ｂ）広告管理テーブルと、（ｃ）サーバ管理テーブルとが記憶されている。以下、各テーブルについて詳述する。
【０３３８】
（ユニーククリック管理テーブル）
ユニーククリック管理テーブルは、携帯電話６０上で広告コンテンツがクリックされた場合に更新などされるテーブルであり、「ｕｃｍ＿ｉｄ」フィールドと、「ｔ＿ｉｄ」フィールドと、「ａｄ＿ｉｄ」フィールドと、「ｕｃｍ＿ｄａｔｅ」フィールドと、を有している。
【０３３９】
「ｕｃｍ＿ｉｄ」フィールドには、ユニーククリックＩＤが格納される。このユニーククリックＩＤは、特定の携帯電話６０による特定の広告コンテンツに対する「クリック」を一意に特定する番号である。
【０３４０】
「ｔ＿ｉｄ」フィールドには、携帯電話６０の固体識別番号（ｔ＿ｉｄ）が格納される。
【０３４１】
「ａｄ＿ｉｄ」フィールドには、広告ＩＤ（ａｄ＿ｉｄ）が格納される。
【０３４２】
「ｕｃｍ＿ｄａｔｅ」フィールドには、ユニーククリックＩＤが生成された日時を示す値が格納される。
【０３４３】
（広告管理テーブル）
広告管理テーブルは、広告コンテンツを管理するテーブルであり、「ａｄ＿ｉｄ」フィールドと、「ａｄ＿ｃｏｎｔｅｎｔｓ」フィールドと、「ｃｓ＿ａｄｄｒｅｓｓ」フィールドと、を有している。
【０３４４】
「ａｄ＿ｉｄ」フィールドには、広告ＩＤ（ａｄ＿ｉｄ）が格納される。
【０３４５】
「ａｄ＿ｃｏｎｔｅｎｔｓ」フィールドには、広告コンテンツが格納される。
【０３４６】
「ｃｓ＿ａｄｄｒｅｓｓ」フィールドには、広告主サーバ上のＷｅｂページ（広告主サイト）のアドレス（ｃｓ＿ａｄｄｒｅｓｓ）が格納される。
【０３４７】
（サーバ管理テーブル）
サーバ管理テーブルは、広告代理サーバやポイントサイトサーバを管理するテーブルであり、「ｓｅｒｖｅｒ＿ｉｄ」フィールドと、「ｓｅｒｖｅｒ＿ａｄｄｒｅｓｓ」フィールドと、を有している。
【０３４８】
「ｓｅｒｖｅｒ＿ｉｄ」フィールドには、広告代理サーバ識別ＩＤ（ａａｓ＿ｉｄ）やポイントサイトサーバ識別ＩＤ（ｐｓｓ＿ｉｄ）が格納される。
【０３４９】
「ｓｅｒｖｅｒ＿ａｄｄｒｅｓｓ」フィールドには、広告代理サーバのアドレス（ａａｓ＿ａｄｄｒｅｓｓ）やポイントサイトサーバのアドレス（ｐｓｓ＿ａｄｄｒｅｓｓ）が格納される。
【０３５０】
［クリックコントロール値生成処理］
次に、クリックコントロール値生成処理について詳細に説明する。
上述したように、クリックコントロール値生成処理は、クリックコントロールサーバ１０や、クリックコントロール装置として構成される場合における広告代理サーバ２０や、クリックコントロール装置として構成される場合におけるポイントサイトサーバ９０において実行される処理である。
【０３５１】
図１８は、クリックコントロール値生成処理を示すフローチャートである。クリックコントロール値生成処理は、クリックコントロールサーバ１０（広告代理サーバ２０、ポイントサイトサーバ９０）において、ストレージ１４（２４、９４）に記憶されているプログラムが、ＲＡＭ１２（２２、９２）に読み出されてＣＰＵ１１（２１、９１）で実行されることにより実現される。以下、図１８を参照しつつ、クリックコントロール値生成処理について説明する。
【０３５２】
（ステップＳ１−１）
まず、クリックコントロールサーバ１０（広告代理サーバ２０、ポイントサイトサーバ９０）は、ユニーククリック管理テーブルにおいて、受信した固体識別番号（ｔ＿ｉｄ）が「ｔ＿ｉｄ」フィールドに格納されているレコードの「ａｄ＿ｉｄ」フィールドから、広告ＩＤ（ａｄ＿ｉｄ）を取得する（ステップＳ１−１）。
【０３５３】
（ステップＳ１−２）
次に、クリックコントロールサーバ１０（広告代理サーバ２０、ポイントサイトサーバ９０）は、広告管理テーブルにおいて、取得した広告ＩＤ（ａｄ＿ｉｄ）が「ａｄ＿ｉｄ」フィールドに格納されていないレコードを特定し、この特定したレコードの「ａｄ＿ｉｄ」フィールドと「ａｄ＿ｃｏｎｔｅｎｔｓ」フィールドとから、広告ＩＤ（ａｄ＿ｉｄ）と広告コンテンツとをそれぞれ取得する（ステップＳ１−２）。
【０３５４】
（ステップＳ１−３）
次に、クリックコントロールサーバ１０（広告代理サーバ２０、ポイントサイトサーバ９０）は、広告ＩＤ（ａｄ＿ｉｄ）と広告コンテンツとを取得できたか否かを判断し（ステップＳ１−３）、取得できたと判断した場合はステップＳ１−４に進み、取得できなかったと判断した場合はステップＳ１−５に進む。
【０３５５】
（ステップＳ１−４）
クリックコントロールサーバ１０（広告代理サーバ２０、ポイントサイトサーバ９０）は、ステップＳ１−３において取得できたと判断した場合、取得した広告ＩＤ（ａｄ＿ｉｄ）と広告コンテンツとをクリックコントロール値（ｃｃ＿ｖａｌｕｅ）とし（ステップＳ１−４）、クリックコントロール値生成処理を終了する。
【０３５６】
（ステップＳ１−５）
他方、クリックコントロールサーバ１０（広告代理サーバ２０、ポイントサイトサーバ９０）は、ステップＳ１−３において取得できなかったと判断した場合、ＮＵＬＬ値をクリックコントロール値（ｃｃ＿ｖａｌｕｅ）とし（ステップＳ１−５）、クリックコントロール値生成処理を終了する。
【０３５７】
［ユニーククリック判定処理］
次に、ユニーククリック判定処理について詳細に説明する。
上述したように、ユニーククリック判定処理は、クリックコントロールサーバ１０や、クリックコントロール装置として構成される場合における広告代理サーバ２０や、クリックコントロール装置として構成される場合におけるポイントサイトサーバ９０において実行される処理である。
【０３５８】
図１９は、ユニーククリック判定処理を示すフローチャートである。ユニーククリック判定処理は、クリックコントロールサーバ１０（広告代理サーバ２０、ポイントサイトサーバ９０）において、ストレージ１４（２４、９４）に記憶されているプログラムが、ＲＡＭ１２（２２、９２）に読み出されてＣＰＵ１１（２１、９１）で実行されることにより実現される。以下、図１９を参照しつつ、ユニーククリック判定処理について説明する。
【０３５９】
（ステップＳ２−１）
まず、クリックコントロールサーバ１０（広告代理サーバ２０、ポイントサイトサーバ９０）は、ユニーククリック管理テーブルにおいて、受信した固体識別番号（ｔ＿ｉｄ）が「ｔ＿ｉｄ」フィールドに格納され、且つ、受信した広告ＩＤ（ａｄ＿ｉｄ）が「ａｄ＿ｉｄ」フィールドに格納されているレコードを検索する（ステップＳ２−１）。
【０３６０】
（ステップＳ２−２）
次に、クリックコントロールサーバ１０（広告代理サーバ２０、ポイントサイトサーバ９０）は、レコードが存在するか否かを判断し（ステップＳ２−２）、存在しないと判断した場合はステップＳ２−３に進み、存在すると判断した場合はステップＳ２−５に進む。
【０３６１】
（ステップＳ２−３）
クリックコントロールサーバ１０（広告代理サーバ２０、ポイントサイトサーバ９０）は、ステップＳ２−２において存在しないと判断した場合、ユニーククリックＩＤを生成し、ユニーククリック管理テーブルの新規レコードにおける「ｕｃｍ＿ＩＤ」フィールド、「ｔ＿ｉｄ」フィールド、「ａｄ＿ｉｄ」フィールド、および「ｕｃｍ＿ｄａｔｅ」フィールドに、ユニーククリックＩＤ、固体識別番号（ｔ＿ｉｄ）、広告ＩＤ（ａｄ＿ｉｄ）、およびユニーククリックＩＤを生成した日時を示す値をそれぞれ格納する（ステップＳ２−３）。
【０３６２】
（ステップＳ２−４）
そして、クリックコントロールサーバ１０（広告代理サーバ２０、ポイントサイトサーバ９０）は、ユニーククリック値（ｕｃ＿ｖａｌｕｅ）に「１」を格納して、ユニーククリック判定処理を終了する。
【０３６３】
（ステップＳ２−５）
他方、クリックコントロールサーバ１０（広告代理サーバ２０、ポイントサイトサーバ９０）は、ステップＳ２−２において存在すると判断した場合、ユニーククリック値（ｕｃ＿ｖａｌｕｅ）に「０」を格納して、ユニーククリック判定処理を終了する。
【０３６４】
以上本発明の第１〜４実施形態に係る広告配信システムＡ、Ｂ、Ｃ、Ｄについて説明した。
【０３６５】
本発明の第１〜４実施形態に係る広告配信システムＡ、Ｂ、Ｃ、Ｄによれば、特定の広告コンテンツが特定のクライアント装置においていままでに「クリック」されていない場合には、この特定の広告コンテンツと広告ＩＤ（ａｄ＿ｉｄ）とがクリックコントロール値（ｃｃ＿ｖａｌｕｅ）としてＷｅｂページ（アフィリエイターサイトやポイントサイトなど）に記述され、特定の携帯電話６０に対して、特定の広告コンテンツについてのクリック機会が付与される。
【０３６６】
他方、特定の広告コンテンツが特定のクライアント装置においていままでに「クリック」されている場合には、ＮＵＬＬ値がクリックコントロール値（ｃｃ＿ｖａｌｕｅ）としてＷｅｂページ（アフィリエイターサイトやポイントサイトなど）に記述され、特定の携帯電話６０に対して、特定の広告コンテンツについてのクリック機会が付与されない。
【０３６７】
したがって、本発明の第１〜４実施形態に係る広告配信システムＡ、Ｂ、Ｃ、Ｄによれば、「価値あるクリックの獲得」を図ることができる一方で、「価値なきクリックの排除」を図ることができる。
【０３６８】
［ユニーククリック保証型］
本発明は、クリック保証型の広告配信システムに広く適用することができるが、クリック保証型の広告配信システムのなかでも、上記した第１〜４実施形態に係る広告配信システムＡ、Ｂ、Ｃ、Ｄのように、ユニーククリック保証型の広告配信システムに適用することが特に望ましい。
【０３６９】
ユニーククリック保証型の広告配信システムにおいては、これまでに１度もクリックしていなかったが、あと１回掲出していればクリックしたであろうユーザによるクリックに価値が認められる一方で、これまでに１度クリックしたことがあるが、あと１回掲出していなければ２度目のクリックはしなかったであろうユーザによるクリックには価値が認められない。
【０３７０】
この点、本発明に係る広告配信システムによれば、上記した「クリックコントロール」によって、これまでに１度もクリックしていなかったが、あと１回掲出していればクリックしたであろうユーザに対して、クリック機会を付与したりクリック意欲を高めたりする処理を行うことができる。
【０３７１】
他方で、本発明に係る広告配信システムによれば、これまでに１度クリックしたことがあるが、あと１回掲出していなければ２度目のクリックはしなかったであろうユーザに対して、クリック機会を付与しなかったりクリック意欲を低めたりする処理を行うことができる。
【０３７２】
したがって、本発明は、クリック保証型の広告配信システムのなかでも、特に、ユニーククリック保証型の広告配信システムに適用することが望ましい。
【０３７３】
［ワイドユニーククリック、ローカルユニーククリック］
本発明においては、上記した第１、３実施形態に係る広告配信システムＡ、Ｃのように、クリックコントロール装置は、媒体送信装置や媒体記述装置や費用報酬管理装置などの装置とは別個の装置とすることが好ましい。
【０３７４】
媒体送信装置、媒体記述装置、または費用報酬管理装置などの装置とクリックコントロール装置とを同一の装置として構成する場合には、あるクリックがユニーククリックであるか否かが、媒体送信装置、媒体記述装置、または費用報酬管理装置などの装置を中心に形成される局所的なネットワークの範囲内で判定される（以下、このようなユニーククリックを「ローカルユニーククリック」という。）。
【０３７５】
これに対し、クリックコントロール装置が、媒体送信装置や媒体記述装置や費用報酬管理装置などの装置とは別個の装置として構成される場合には、あるクリックがユニーククリックであるか否かが、広域のネットワークの範囲内で判定される（以下、このようなユニーククリックを「ワイドユニーククリック」という）。
【０３７６】
したがって、クリックコントロール装置が、媒体送信装置や媒体記述装置や費用報酬管理装置などの装置とは別個の装置として構成される場合には、特定の媒体送信装置や特定の媒体記述装置や特定の費用報酬管理装置などの装置によって形成された局所的なネットワークの垣根を越えて、クリックのユニーク性を判定することができる。
【０３７７】
［サーバサイド、クライアントサイド］
媒体記述装置は、クライアント装置（特に、携帯端末）ではなく、サーバをもって構成することが望ましい。このようにすれば、クライアント装置（特に、携帯端末）におけるハードウェアリソースの負担を極力抑えることができる。
【０３７８】
［費用報酬管理の正確性］
本実施形態においては、上記したように、クライアント装置を広告主装置へリダイレクトさせるステップの前後に、クリック判定処理が行われるようにすることが好ましい。
【０３７９】
本実施形態において、クリックコントロール装置では、所定の条件を満たすクリックが生じていない限り、一のクライアント装置に対して、同一の広告コンテンツがクリックコントロール値として何度でも生成され得る。
【０３８０】
また、クライアント装置上では、タブブラウジングなどにより、２以上のＷｅｂページ（アフィリエイターサイトやポイントサイトなど）が記憶され得る。
【０３８１】
このため、本実施形態においては、クライアント装置上で、同一の広告コンテンツを記述されたＷｅｂページが相前後して閲覧され、同一の広告コンテンツが相前後してクリックされる場合がある。
【０３８２】
この場合、費用報酬管理装置において、生じたすべてのクリックが所定の条件を満たしているとの誤認が生じると、広告主に対して広告費が重複して課金され、アフィリエイターや閲覧者に対して報酬が重複して支払われてしまう。
【０３８３】
そこで、本実施形態に係る広告配信システムにおいては、クライアント装置を広告主装置へリダイレクトさせるステップの前後に、クリック判定処理が行われるようにすることが好ましい。
【０３８４】
このようにすれば、クライアント装置上で同一の広告コンテンツに対するクリックが複数回生じた場合においても、費用報酬管理装置により、クリック判定処理の結果に基づいて、所定の条件を満たすクリックについてのみ広告費の課金や報酬の支払いについての処理を行なうことが可能となり、広告費の課金や報酬の支払いの重複を防止することができる。
【０３８５】
［テーブルの一元管理］
クリック判定手段は、クリックコントロール値生成手段が用いるテーブルと同一のテーブルを用いてクリック判定処理を行なうように構成することが好ましい。
【０３８６】
別個のテーブルを用いてクリック判定処理を行なうようにクリック判定手段を構成する場合は、クリックコントロールの正確性を担保するために、クリックコントロール値生成手段が用いるテーブルを、クリック判定手段が用いるテーブルに整合させる処理を行なう必要がある。
【０３８７】
しかしながら、このようにしても、整合させる処理が完了するまでの間は、クリックコントロール値生成手段にて、所定の条件を満たすクリックが生じているのに、一のクライアント装置に対して、同一の広告コンテンツがクリックコントロール値として何度でも生成されてしまい、クリックコントロールの正確性は担保されない。
【０３８８】
そこで、クリックコントロール値生成手段が用いるテーブルと同一のテーブルを用いてクリック判定処理を行なうようにクリック判定手段を構成することが好ましい。このようにすれば、上記のような整合という処理が不要となり、クリックコントロールの正確性を担保することができる。
【０３８９】
［リダイレクトの回数］
クライアント装置は、クリックコントロール装置以外の装置を介することなく、クリックコントロール装置から広告主サーバ７０へリダイレクトされることが好ましい。このようにすれば、リダイレクトの回数を低減できるからであり、この構成は、リダイレクトの回数が制限されているクライアント装置を用いる場合において特に好ましい。
【０３９０】
［媒体送信装置］
上記したＷｅｂサーバ４０やポイントサイトサーバ９０は、「媒体送信装置」の一例であるが、「媒体送信装置」は、何らこれらの装置に限定されるものではない。広告コンテンツを表示可能なＷｅｂページを送信する装置は、すべて、「媒体送信装置」に該当する。
【０３９１】
なお、Ｗｅｂページは、広告コンテンツを表示可能であるように構成されていれば足り、広告コンテンツが必ず表示されるように構成されている必要はない。本発明においては、クリックコントロール値（ｃｃ＿ｖａｌｕｅ）に応じて、Ｗｅｂページに広告コンテンツを表示したり表示しなかったりすることも可能であり、このような場合におけるＷｅｂページも、本発明における「Ｗｅｂページ」に該当する。
【０３９２】
［クライアント装置］
上記した携帯電話６０は、「クライアント装置」の一例であるが、「クライアント装置」は、携帯電話に何ら限定されるものではない。パーソナルコンピュータやＰＤＡ（Ｐｅｒｓｏｎａｌ  Ｄａｔａ  Ａｓｓｉｓｔａｎｃｅ）などの媒体送信装置からＷｅｂページを受信する装置は、すべて、「クライアント装置」に該当する。
【０３９３】
もっとも、「クライアント装置」は、上記実施形態のような携帯電話やＰＤＡなどの携帯端末であることが、特に、望ましい。
【０３９４】
一般に、携帯端末は、パーソナルコンピュータなどの固定端末と比較して、処理能力や記憶容量が劣る。このため、携帯端末に広告コンテンツを配信して「価値あるクリック」を獲得するためには、携帯端末のハードウェアリソースが有効に活用されるようにして、広告コンテンツを「クリック」するに至るまでの操作など、そして、広告コンテンツを「クリック」した後の操作などにつき、ユーザが不快感を感じないようにする必要がある。
【０３９５】
これを本発明に係る広告配信システムについてみると、本発明に係る広告配信システムによれば、クリックコントロール値（ｃｃ＿ｖａｌｕｅ）を用いたクリックコントロールにより、必要なデータについては、これを携帯端末に送信して、そのハードウェアリソースを動作させることができる（「価値あるクリックの獲得」）。他方で、不要なデータについては、これを携帯端末に送信せずに、そのハードウェアリソースを動作させないようにすることができる（「価値なきクリックの排除」）。
【０３９６】
したがって、「クライアント装置」は、携帯端末であることが、特に、望ましい。
【０３９７】
なお、上記した実施形態においては、携帯電話６０が、インターネット８０上の各装置に対し、各種のリクエストを送信するに際して、自己の固体識別番号を送信する形態について説明した。
しかしながら、本発明は、この形態に限定されるものではない。
携帯電話６０が、インターネット８０上の各装置に対し、各種のリクエストを送信するに際して、自己の固体識別番号を送信しない形態においては、インターネット８０上の各装置は、携帯電話６０からリクエストを受信した場合、携帯電話６０に対して、固体識別番号の送信を要求するリクエストを送信し、携帯電話６０から固体識別番号を受信するように構成することができる。
【０３９８】
［広告主装置］
上記した広告主サーバ７０は、「広告主装置」の一例であるが、「広告主装置」は、何ら広告主サーバ７０に限定されるものではない。広告主の商品・サービスなどが表示されるＷｅｂページが記憶された装置は、すべて、「広告主装置」に該当する。したがって、たとえば、広告主の商品・サービスなどが表示されるＷｅｂページがクリックコントロールサーバ１０や広告代理サーバ２０やＷｅｂサーバ４０やポイントサイトサーバ９０などにおいて記憶される場合、これらの装置は、「広告主装置」に該当する。
【０３９９】
［クリックコントロール装置］
上記したクリックコントロールサーバ１０や広告代理サーバ２０やポイントサイトサーバ９０は、「クリックコントロール装置」の一例であり、「クリックコントロール装置」は何らこれらのサーバに限定されるものではない。
「クリックコントロール装置」は、少なくとも「記憶手段」と「クリックコントロール値生成手段」とを具備しているが、上記した実施形態のように、「クリック判定手段」と「リダイレクト手段」とを具備していることが好ましい。
【０４００】
［記憶手段］
上記したテーブルが記憶されるストレージ１４（２４、９４）は、「記憶手段」の一例であり、「記憶手段」は、何らストレージ１４（２４、９４）に限定されるものではない。広告コンテンツを識別できる広告コンテンツ識別可能値と広告コンテンツがクリックされたクライアント装置を識別できるクライアント装置識別可能値とが対応付可能に記憶された手段は、すべて、「記憶手段」に該当する。
【０４０１】
なお、広告コンテンツ識別可能値とクライアント装置識別可能値とは、記憶手段において対応付可能に記憶されていれば足り、対応付されていない広告コンテンツ識別可能値やクライアント装置識別可能値が記憶されていても、これらが対応付可能であれば、これらが記憶されている記憶手段は、本発明における「記憶手段」に該当する。
【０４０２】
具体的に説明すると、たとえば、いままではユニーククリック管理テーブルに対応するレコードが存在しなかったが、ユニーククリック管理テーブルに固体識別番号（ｔ＿ｉｄ）と広告ＩＤ（ａｄ＿ｉｄ）とを格納する新たなレコードが追加されたことに伴い、この新たに追加されたレコードに格納された固体識別番号（ｔ＿ｉｄ）に対応することになった広告管理テーブルに格納された広告ＩＤ（ａｄ＿ｉｄ）は、記憶手段において、対応付可能に記憶されている。
【０４０３】
（クリックコントロール値生成手段）
上記したクリックコントロール値生成処理を実行するクリックコントロールサーバ１０のＣＰＵ１１、広告代理サーバ２０のＣＰＵ２１、およびポイントサイトサーバ９０のＣＰＵ９１は、「クリックコントロール値生成手段」の一例であり、「クリックコントロール値生成手段」は、何らこれらのＣＰＵ１１（２１、９１）に限定されるものではない。
クライアント装置識別可能値を受信した場合に、この受信したクライアント装置識別可能値と記憶手段に記憶されているクライアント装置識別可能値および広告コンテンツ識別可能値とに基づいてクリックコントロール値を生成する手段は、すべて、「クリックコントロール値生成手段」に該当する。
【０４０４】
（クリック判定手段）
上記したユニーククリック判定処理を実行するクリックコントロールサーバ１０のＣＰＵ１１、広告代理サーバ２０のＣＰＵ２１、およびポイントサイトサーバ９０のＣＰＵ９１は、「クリック判定手段」の一例であり、「クリック判定手段」は、何らこれらのＣＰＵ１１（２１、９１）に限定されるものでない。
クライアント装置によって広告コンテンツ（クライアント装置が閲覧するＷｅｂページに記述されている。）がクリックされた場合に、このクリックが所定の条件を満たしているか否かを判定する手段は、すべて、「クリック判定手段」に該当する。
【０４０５】
（リダイレクト手段）
上記したリダイレクトを実行するクリックコントロールサーバ１０のＣＰＵ１１、広告代理サーバ２０のＣＰＵ２１、およびポイントサイトサーバ９０のＣＰＵ９１は、「リダイレクト手段」の一例であり、「リダイレクト手段」は、何らこれらのＣＰＵ１１（２１、９１）に限定されるものでない。クライアント装置を広告主装置へリダイレクトする手段は、すべて、「リダイレクト手段」に該当する。
【０４０６】
［媒体記述装置］
上記したＷｅｂサーバ４０や携帯電話６０やポイントサイトサーバ９０は、「媒体記述装置」の一例であり、「媒体記述装置」は、Ｗｅｂサーバ４０や携帯電話６０やポイントサイトサーバ９０に何ら限定されるものではない。クリックコントロール装置で生成されたクリックコントロール値をＷｅｂページに記述する装置は、すべて、「媒体記述装置」に該当する。
したがって、たとえば、クリックコントロールサーバ１０や広告代理サーバ２０が、クリックコントロール装置で生成されたクリックコントロール値をＷｅｂページに記述する装置として構成される場合、クリックコントロールサーバ１０や広告代理サーバ２０は、「媒体記述装置」に該当する。
【０４０７】
［費用報酬管理装置］
上記した広告代理サーバ２０やポイントサイトサーバ９０は、「費用報酬管理装置」の一例であり、「費用報酬管理装置」は、これらのサーバに何ら限定されるものではない。広告コンテンツがクリックされた場合の費用報酬を管理する装置は、すべて、「費用報酬管理装置」に該当する。
したがって、たとえば、クリックコントロールサーバ１０などが、広告コンテンツがクリックされた場合の費用報酬を管理する装置として構成される場合、クリックコントロールサーバ１０などは、「費用報酬管理装置」に該当する。
【０４０８】
［ネットワーク］
上記した実施形態におけるインターネット８０は、「ネットワーク」の一例であり、「ネットワーク」は、インターネットに何ら限定されるものではない。ＴＣＰ／ＩＰプロトコル（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）以外のプロトコルに従って通信が行われるネットワークも、「ネットワーク」に該当する。
【０４０９】
［広告コンテンツ］
「広告コンテンツ」としては、テキストとしての文字列のほか、画像ファイル、音楽ファイル、動画ファイル、クライアントスクリプト言語に従ったコードとしての文字列、これらの文字列の組み合わせなど、を用いることができる。
【０４１０】
［広告コンテンツ識別可能値］
上記した実施形態における広告ＩＤ（ａｄ＿ｉｄ）は、「広告コンテンツ識別可能値」の一例であるが、「広告コンテンツ識別可能値」は、広告ＩＤ（ａｄ＿ｉｄ）に何ら限定されるものではない。
広告コンテンツを識別できる値であれば、本来は広告コンテンツを識別するための値ではない値（たとえば、広告コンテンツを構成するテキストとしての文字列が、広告コンテンツに固有のものであって、広告コンテンツを一意に特定するものである場合は、その文字列）であっても、「広告コンテンツ識別可能値」に該当する。
【０４１１】
［クライアント装置識別可能値］
上記した固体識別番号（ｔ＿ｉｄ）は、「クライアント装置識別可能値」の一例であり、  「クライアント装置識別可能値」は、固体識別番号（ｔ＿ｉｄ）に何ら限定されるものではない。パーソナルコンピュータにおけるクッキーなども、「クライアント装置識別可能値」に該当する。
クライアント装置を識別できる値であれば、クライアント装置を識別するための値でない値であっても、「クライアント装置識別可能値」に該当する。
なお、上記実施形態における「固体識別番号（ｔ＿ｉｄ）」としては、たとえば、携帯電話の製造番号などを用いることができる。
【０４１２】
［クリックコントロール値（ｃｃ＿ｖａｌｕｅ）］
上記実施形態におけるクリックコントロール値（ｃｃ＿ｖａｌｕｅ）は、「クリックコントロール値（ｃｃ＿ｖａｌｕｅ）」の一例である。
「クリックコントロール値（ｃｃ＿ｖａｌｕｅ）」は、上記実施形態におけるクリックコントロール値（ｃｃ＿ｖａｌｕｅ）に何ら限定されるものではない。
特定の広告コンテンツが特定のクライアント装置においていままでに「クリック」されているか否かに応じた値は、すべて、「クリックコントロール値（ｃｃ＿ｖａｌｕｅ）」に該当する。
【０４１３】
図２０は、クリックコントロール値生成処理（他の例）を示すフローチャートである。クリックコントロール値生成処理（他の例）は、クリックコントロールサーバ１０（広告代理サーバ２０、ポイントサイトサーバ９０）において、ストレージ１４（２４、９４）に記憶されているプログラムが、ＲＡＭ１２（２２、９２）に読み出されてＣＰＵ１１（２１、９１）で実行されることにより実現される。以下、図２０を参照しつつ、クリックコントロール値生成処理（他の例）について説明する。
【０４１４】
（ステップＳ３−１）
まず、クリックコントロールサーバ１０（広告代理サーバ２０、ポイントサイトサーバ９０）は、ユニーククリック管理テーブルにおいて、受信した固体識別番号（ｔ＿ｉｄ）が「ｔ＿ｉｄ」フィールドに格納され、且つ、受信した広告ＩＤ（ａｄ＿ｉｄ）が「ａｄ＿ｉｄ」フィールドに格納されているレコードを検索する（ステップＳ３−１）。
【０４１５】
（ステップＳ３−２）
次に、クリックコントロールサーバ１０（広告代理サーバ２０、ポイントサイトサーバ９０）は、レコードが存在するか否かを判断し（ステップＳ３−２）、存在すると判断された場合はステップＳ３−３に進み、存在しないと判断された場合はステップＳ３−４に進む。
【０４１６】
（ステップＳ３−３）
クリックコントロールサーバ１０（広告代理サーバ２０、ポイントサイトサーバ９０）は、ステップＳ３−２において存在すると判断された場合、受信した固体識別番号（ｔ＿ｉｄ）が受信した広告ＩＤ（ａｄ＿ｉｄ）に対応付けられていることを示す値（この例では「１」）をクリックコントロール値（ｃｃ＿ｖａｌｕｅ）として（ステップＳ３−３）、クリックコントロール値生成処理（他の例）を終了する。
【０４１７】
（ステップＳ３−４）
他方、クリックコントロールサーバ１０（広告代理サーバ２０、ポイントサイトサーバ９０）は、ステップＳ３−２において存在しないと判断された場合、受信した固体識別番号（ｔ＿ｉｄ）が受信した広告ＩＤ（ａｄ＿ｉｄ）に対応付けられていないことを示す値（この例では「０」）をクリックコントロール値（ｃｃ＿ｖａｌｕｅ）として（ステップＳ３−４）、クリックコントロール値生成処理（他の例）を終了する。
【０４１８】
このクリックコントロール値生成処理（他の例）によれば、媒体記述装置などがクリックコントロール値（ｃｃ＿ｖａｌｕｅ）（「１」または「０」）に基づいて任意の処理を行い、クリック機会を付与したり付与しなかったり、また、クリック意欲を高めたり低めたりして、「価値あるクリックの獲得」を図る一方で、「価値なきクリックの排除」を図ることができる。
【０４１９】
また、本発明においては、たとえば、受信した固体識別番号（ｔ＿ｉｄ）に対応付けられていない広告ＩＤ（ａｄ＿ｉｄ）がテーブルに記憶されている場合に、この対応付けられていない広告ＩＤ（ａｄ＿ｉｄ）のみをクリックコントロール値（ｃｃ＿ｖａｌｕｅ）とし、他方で、受信した固体識別番号（ｔ＿ｉｄ）に対応付けられていない広告ＩＤ（ａｄ＿ｉｄ）がテーブルに記憶されていない場合に、ＮＵＬＬ値をクリックコントロール値（ｃｃ＿ｖａｌｕｅ）としてもよい。この場合は、媒体送信装置や媒体記述装置などが、広告ＩＤ（ａｄ＿ｉｄ）に基づいて、他の装置や自らが備える記憶手段などから、広告コンテンツを取得する。
【０４２０】
なお、クリックコントロール値（ｃｃ＿ｖａｌｕｅ）とされる値は、１つや２つに限られるものではなく、本発明においては、複数の値をクリックコントロール値（ｃｃ＿ｖａｌｕｅ）とすることができる。
したがって、たとえば、本発明においては、複数の広告ＩＤ（ａｄ＿ｉｄ）とこれらによってそれぞれ識別される複数の広告コンテンツとをクリックコントロール値（ｃｃ＿ｖａｌｕｅ）とすることができる。
なお、複数の広告ＩＤ（ａｄ＿ｉｄ）と広告コンテンツの中から、特定の広告ＩＤ（ａｄ＿ｉｄ）と広告コンテンツ（たとえば、複数の広告ＩＤ（ａｄ＿ｉｄ）と広告コンテンツの中からランダムに選択されたｎ個（ｎは１以上の整数）の広告ＩＤ（ａｄ＿ｉｄ）と広告コンテンツ、複数の広告ＩＤ（ａｄ＿ｉｄ）と広告コンテンツの中から広告ＩＤ（ａｄ＿ｉｄ）が小さい順に選択されたｎ個（ｎは１以上の整数）のＩＤ（ａｄ＿ｉｄ）と広告コンテンツ、または優先を示す優先ビット列が対応付けて記憶されている広告ＩＤ（ａｄ＿ｉｄ）と広告コンテンツなど）を抽出して、これらをクリックコントロール値（ｃｃ＿ｖａｌｕｅ）とすれば、クライアント装置上で閲覧されるＷｅｂページに膨大な数の広告コンテンツが表示されることが防止され、好ましい。
【０４２１】
［クリック］
なお、「クリック」は、広告コンテンツが選択処理されるすべての形態を意味し、広告コンテンツとマウスのカーソルとが重ねられた際にマウスの左ボタンが押されるという形態に限られない。
【実施例１】
【０４２２】
次に、本発明の実施例１について説明する。この実施例１は、配信される広告コンテンツの数を「１つ」とし、この広告コンテンツが、クリックコントロールをされつつ、ユニーククリック数が１０００００回になるまで配信し続けられるようにしたものである。この実施例１では、広告コンテンツが５％の確率でクリックされるものとする。
【０４２３】
この実施例１においては、１０００００回のユニーククリックが獲得され（「価値あるクリックの獲得」、この広告コンテンツが同一の携帯電話で２回以上クリックされることはない（「価値なきクリックの排除）。
【０４２４】
［比較例１］
次に、比較例１について説明する。この比較例１は、配信される広告コンテンツの数を「１つ」とし、この広告コンテンツが、同一の携帯電話において掲出頻度の上限を「１回」とするフリークエンシーコントロールをされつつ、配信数が１０００００回になるまで配信し続けられるようにしたものである。この比較例１でも、広告コンテンツが５％の確率でクリックされるものとする。
【０４２５】
この比較例１においては、５０００回のユニーククリックが獲得されるが、９５０００回のユニーククリックが喪失される（「価値あるクリックの喪失」）。
【０４２６】
［比較例２］
次に、比較例２について説明する。この比較例２は、配信される広告コンテンツの数を「１つ」とし、この広告コンテンツが、同一の携帯電話において掲出頻度の上限を「２回」とするフリークエンシーコントロールをされつつ、配信数が２０００００回になるまで配信し続けられるようにしたものである。この比較例２では、１回目に掲出された広告コンテンツと２回目に掲出された広告コンテンツが、ともに、５％の確率でクリックされるものとする。
【０４２７】
この比較例２においては、９７５０回のユニーククリックが獲得されるが、その一方で、９０２５０回のユニーククリックが喪失される（「価値あるクリックの喪失」）。
さらに、この比較例２においては、２５０台の携帯電話において、広告コンテンツが２回クリックされる（「価値なきクリックの混入」）。
【０４２８】
なお、ユーザは様々な性格を有しており、また、ユーザが広告コンテンツを閲覧している環境や状況は、時々刻々と変化するものである。したがって、広告コンテンツを何度も見ることによってユーザがその広告をクリックする率が確実に低下していくか否かは定かではないと考えられる。しかしながら、仮にこの考え方に基づいて、たとえば、１回目に掲出された広告コンテンツが５％の確率でクリックされ、２回目に掲出された広告コンテンツが３％の確率でクリックされるものとしても、比較例２において「価値あるクリックの喪失」、「価値なきクリックの混入」が生じることに変わりはない。
【０４２９】
［比較例３］
次に、比較例３について説明する。この比較例３は、配信される広告コンテンツの数を「１つ」とし、この広告コンテンツが、クリックコントロールをされることなく、ユニーククリック数が１０００００回になるまで配信し続けられるようにしたものである。この比較例３では、広告コンテンツが５％の確率でクリックされるものとする。
【０４３０】
この比較例１においては、広告コンテンツが同一の携帯電話で２回以上クリックされる（「価値なきクリックの混入」）。
【０４３１】
以上、本発明の実施形態及び実施例について説明したが、これらの説明は、本発明の一例に関するものであり、本発明は、これらの説明によって限定されない。
【図面の簡単な説明】
【０４３２】
【図１】第１実施形態に係る広告配信システムＡの概略構成図である。
【図２】第１実施形態に係る広告配信システムＡの第１構成例ａ１を説明する図である。
【図３】第１実施形態に係る広告配信システムＡの第２構成例ａ２を説明する図である。
【図４】第１実施形態に係る広告配信システムＡの第３構成例ａ３を説明する図である。
【図５】第１実施形態に係る広告配信システムＡの第４構成例ａ４を説明する図である。
【図６】第２実施形態に係る広告配信システムＢの概略構成図である。
【図７】第２実施形態に係る広告配信システムＢの第１構成例ｂ１を説明する図である。
【図８】第２実施形態に係る広告配信システムＢの第２構成例ｂ２を説明する図である。
【図９】第３実施形態に係る広告配信システムＣの概略構成図である。
【図１０】第３実施形態に係る広告配信システムＣの第１構成例ｃ１を説明する図である。
【図１１】第３実施形態に係る広告配信システムＣの第２構成例ｃ２を説明する図である。
【図１２】第３実施形態に係る広告配信システムＣの第３構成例ｃ３を説明する図である。
【図１３】第３実施形態に係る広告配信システムＣの第４構成例ｃ４を説明する図である。
【図１４】第４実施形態に係る広告配信システムＤの概略構成図である。
【図１５】第４実施形態に係る広告配信システムＤの構成例ｄを説明する図である。
【図１６】クリックコントロールサーバ１０（広告代理サーバ２０、ポイントサイトサーバ９０）の概略構成を示す図である。
【図１７】クリックコントロールサーバ１０（広告代理サーバ２０、ポイントサイトサーバ９０）に具備されるストレージ１４（２４、９４）の概略構成を示す図である。
【図１８】クリックコントロール値生成処理を示すフローチャートである。
【図１９】ユニーククリック判定処理を示すフローチャートである。
【図２０】クリックコントロール値生成処理の他の例を示すフローチャートである。
【符号の説明】
【０４３３】
Ａ、Ｂ    広告配信システム（アフィリエイトシステム）
Ｃ、Ｄ    広告配信システム（ポイントシステム）
ｃｃｓ＿ａｄｄｒｅｓｓ    クリックコントロールサーバのアドレス
ａａｓ＿ｉｄ    広告代理サーバ識別ＩＤ
ｐｓ＿ｉｄ    アフィリエイターサイト識別ＩＤ
ｔ＿ｉｄ    固体識別番号
ｃｃ＿ｖａｌｕｅ    クリックコントロール値
ａｄ＿ｉｄ    広告ＩＤ
ａ＿ｓｅｓｓｉｏｎ＿ｉｄ    アフィリエイトセッションＩＤ
ｕｃ＿ｖａｌｕｅ    ユニーククリック値
ｃｓ＿ａｄｄｒｅｓｓ    広告主サイトのアドレス
ｐｓｓ＿ａｄｄｒｅｓｓ    ポイントサイトサーバのアドレス
ｐｓｓ＿ｉｄ    ポイントサイトサーバ識別ＩＤ
ｐ＿ｓｅｓｓｉｏｎ＿ｉｄ    ポイントセッション識別ＩＤ
ｍ＿ｉｄ    会員ＩＤ
１０    クリックコントロールサーバ
２０    広告代理サーバ
３０    アフィリエイター端末
４０    Ｗｅｂサーバ
５０    基地局
６０    携帯電話
７０    広告主サーバ
８０    インターネット
９０    ポイントサイトサーバ
１１（２１、９１）    ＣＰＵ
１２（２２、９２）    ＲＡＭ
１３（２３、９３）    ＲＯＭ
１４（２４、９４）    ストレージ
１５（２５、９５）    ネットワークインターフェースカード（ＮＩＣ）
【図１】
2009099075.tif 000003
【図２】
2009099075.tif 000004
【図３】
2009099075.tif 000005
【図４】
2009099075.tif 000006
【図５】
2009099075.tif 000007
【図６】
2009099075.tif 000008
【図７】
2009099075.tif 000009
【図８】
2009099075.tif 000010
【図９】
2009099075.tif 000011
【図１０】
2009099075.tif 000012
【図１１】
2009099075.tif 000013
【図１２】
2009099075.tif 000014
【図１３】
2009099075.tif 000015
【図１４】
2009099075.tif 000016
【図１５】
2009099075.tif 000017
【図１６】
2009099075.tif 000018
【図１７】
2009099075.tif 000019
【図１８】
2009099075.tif 000020
【図１９】
2009099075.tif 000021
【図２０】
2009099075.tif 000022